(57)【要約】      （修正有）【課題】収納庫の利用に関する業務効率を向上させるクリーニング管理システム、プログラム及びクリーニング管理方法を提供する。【解決手段】クリーニング管理システム１は、店員の操作によりクリーニング品を登録する登録手段であるＰＯＳ端末と、登録手段で登録されたクリーニング品の返却方法を選択する選択手段を有する店舗携帯端末と、選択手段により選択された返却方法を利用者端末に出力する出力手段としての管理装置と、を備える。【選択図】図１
2020074132.tif 000002
【特許請求の範囲】
【請求項１】
複数の返却口を有する収納庫をクリーニング品の返却の際に利用可能なクリーニング業向けのクリーニング管理システムであって、
クリーニング品を登録する登録手段と、
前記登録手段で登録されたクリーニング品について、前記収納庫による返却方法を選択する選択手段と、
前記選択手段により選択された前記収納庫による返却の際に利用する返却口の数に関する情報と、返却の際に前記収納庫を利用するクリーニング品に関する情報とを対応付けて、前記返却口の数に関する情報毎に、一の返却日について同時に複数出力する出力手段と、
を備えることを特徴とするクリーニング管理システム。  
【請求項２】
前記出力手段は、
クリーニング品の返却に用いられる収納庫の返却口の解錠に関する情報を出力することを特徴とする請求項１に記載のクリーニング管理システム。
【請求項３】
前記出力手段は、サービス提供者用控えに収納庫に関する情報を印刷する印刷手段であることを特徴とする請求項１又は請求項２に記載のクリーニング管理システム。
【請求項４】
複数の返却口を有する収納庫をクリーニング品の返却の際に利用可能なクリーニング業向けのクリーニング管理システムにおける装置のコンピュータを、
預かったクリーニング品について、前記収納庫による返却方法を選択する選択手段、
前記選択手段により選択された前記収納庫による返却の際に利用する返却口の数に関する情報と、返却の際に前記収納庫を利用するクリーニング品に関する情報とを対応付けて、前記返却口の数に関する情報毎に、一の返却日について同時に複数出力する出力手段
として機能させるためのプログラム。
【請求項５】
複数の返却口を有する収納庫をクリーニング品の返却の際に利用可能なクリーニング業向けのクリーニング管理システムにおけるクリーニング管理方法であって、
クリーニング品を登録する登録ステップと、
前記登録ステップで登録されたクリーニング品について、前記収納庫による返却方法を選択する選択ステップと、
前記選択ステップにより選択された前記収納庫による返却の際に利用する返却口の数に関する情報と、返却の際に前記収納庫を利用するクリーニング品に関する情報とを対応付けて、前記返却口の数に関する情報毎に、一の返却日について同時に複数出力する出力ステップと、
を備えることを特徴とするクリーニング管理方法。
【発明の詳細な説明】
【技術分野】
【０００１】
本発明は、クリーニング管理システム、プログラム及びクリーニング管理方法に関する。
【背景技術】
【０００２】
クリーニング店では、業務の効率化に向けて様々な取り組みが行われている。例えば、クリーニングバッグとロッカーユニットとからなるクリーニング受け渡しシステムが提案されている（例えば、特許文献１参照）。
【先行技術文献】
【特許文献】
【０００３】
【特許文献１】特開２００７−２９６３１５号公報
【発明の概要】
【発明が解決しようとする課題】
【０００４】
しかしながら、特許文献１に開示されているような技術では、収納庫（例えば、ロッカー等）の利用に関する業務の効率化が十分に図られていないという問題がある。
【０００５】
本発明は、このような事情に鑑みてなされたもので、その目的は、収納庫の利用に関する業務効率を向上させる技術を提供することにある。
【課題を解決するための手段】
【０００６】
上述した課題を解決するために、本発明の一態様であるクリーニング管理システムは、複数の返却口を有する収納庫をクリーニング品の返却の際に利用可能なクリーニング業向けのクリーニング管理システムであって、クリーニング品を登録する登録手段と、前記登録手段で登録されたクリーニング品について、前記収納庫による返却方法を選択する選択手段と、前記選択手段により選択された前記収納庫による返却の際に利用する返却口の数に関する情報と、返却の際に前記収納庫を利用するクリーニング品に関する情報とを対応付けて、前記返却口の数に関する情報毎に、一の返却日について同時に複数出力する出力手段と、を備える。
【発明の効果】
【０００７】
以上のように、収納庫の利用に関する業務の効率性を向上させることができる。
【図面の簡単な説明】
【０００８】
【図１】本発明の実施形態に係るクリーニングシステムの概略構成図である。
【図２】ＰＯＳ端末の機能ブロック図である。
【図３】クリーニングシステムが記憶する各種情報の一例である。
【図４】クリーニングシステムが記憶する各種情報の一例である。
【図５】クリーニングシステムが記憶する各種情報の一例である。
【図６】クリーニングシステムが記憶する各種情報の一例である。
【図７】クリーニングシステムが記憶する各種情報の一例である。
【図８】確認画像（不良部分を示す画像）の一例である。
【図９】商品預り時の動作の一例を示すフローチャートである。
【図１０】会員証画面の一例である。
【図１１】伝票一覧画面の一例である。
【図１２】伝票詳細画面（預り票画面、電子預り票）の一例である。
【図１３】商品引渡し時の動作の一例を示すフローチャートである。
【図１４】伝票詳細画面（預り票画面、電子預り票）の一例である。
【図１５】商品引渡し時の他の動作の一例を示すフローチャートである。
【図１６】商品引渡し時の他の動作の一例を示すフローチャートである。
【図１７】商品引渡し時の他の動作の一例を示すフローチャートである。
【図１８】ロッカーの一例を示した外観斜視図である。
【図１９】クリーニングシステムが記憶する各種情報の一例である。
【図２０】クリーニングシステムが記憶する情報の一例である。
【図２１】ロッカーの使用状況の管理について説明する説明図である。
【図２２】予約可能日の特定方法に関する動作の一例を示すフローチャートである。
【図２３】予約可能日の特定方法について説明する説明図である。
【図２４】ロッカー返却予定日カレンダー画面の一例である。
【図２５】ロッカー返却予定日カレンダー画面の一例である。
【図２６】クリーニングシステムが記憶する情報の一例である。
【図２７】伝票詳細画面（預り票画面、電子預り票）の一例である。
【図２８】返却口の隣接に関する判定に用いるファイルの一例である。
【図２９】返却口の決定方法の一例を示すフローチャートである。
【図３０】返却口の決定方法の他の例を示すフローチャートである。
【図３１】返却口の決定方法について説明する説明図である。
【図３２】返却口の他の決定方法について説明する説明図である。
【図３３】ロッカー予約時の動作の一例を示すフローチャートである。
【図３４】ロッカー予約時の他の動作の一例を示すフローチャートである。
【図３５】ロッカー予約時の他の動作の一例を示すフローチャートである。
【図３６】ロッカー返却予約確認画面（ロッカー返却予定一覧画面）の一例である。
【図３７】印字、発行される媒体の一例である。
【図３８】印字、発行される媒体の一例である。
【図３９】返却ロッカーの表示部に表示される画面の一例である。
【図４０】返却ロッカーの表示部に表示される画面の一例である。
【図４１】返却ロッカーの表示部に表示される画面の一例である。
【図４２】返却ロッカーの動作の一例を示すフローチャートである。
【図４３】返却ロッカーの動作の一例を示すフローチャートである。
【発明を実施するための形態】
【０００９】
図１は、本発明の実施形態に係るクリーニングシステム１の概略構成図である。クリーニングシステム１は、クリーニング業務をサポートするシステムである。
【００１０】
クリーニングシステム１は、管理装置１０とＰＯＳ端末（事業者端末）２０と店舗携帯端末３０（事業者端末）と工場用端末４０と利用者端末５０とロッカー（後述）を備える。管理装置１０、ＰＯＳ端末２０、工場用端末４０、および利用者端末５０は、ネットワーク９０を介して互いに接続される。ネットワーク９０は特に限定しない。例えば、ネットワーク９０は、無線ＬＡＮや携帯電話網やインターネットなどを利用したものであってもよい。店舗携帯端末３０は、ＰＯＳ端末２０と、例えば、無線ＬＡＮにより通信可能である。また、ロッカーも、ネットワーク９０を介するなどして、他の装置（例えば、管理装置１０、ＰＯＳ端末２０等）と通信可能であってもよい。
【００１１】
なお、クリーニングシステム１から利用者端末５０を除いた構成をクリーニングシステム２と称する場合がある。管理装置１０、ＰＯＳ端末２０、店舗携帯端末３０、工場用端末４０、ロッカーのうちのいずれか２つ乃至５つを備える構成をクリーニングシステム１と称する場合がある。一例として、管理装置１０とＰＯＳ端末２０とロッカーの３つからなるシステムや、ＰＯＳ端末２０とロッカーの２つからなるシステムを、クリーニングシステム１（又は、クリーニングシステム２）と称する場合がある。なお、クリーニング工場を有しない形態の場合（即ち、クリーニング店で商品のクリーニングを行う形態の場合）には、クリーニングシステム１（クリーニングシステム２）は、少なくとも、工場用端末４０を含まない。
【００１２】
管理装置１０は、例えば、クリーニングシステム１に関する各種情報を管理、提供するサーバである。一例として、管理装置１０は、クリーニングに関する各種サービスを提供するクラウドサーバであってもよい。なお、管理装置１０は、他の装置（例えば、利用者端末５０）に対し、プッシュ型の通信（通知）が実行可能であるものとする。また、管理装置１０は、表示部を有していてもよいし有していなくてもよい。管理装置１０が操作部や表示部を有しない場合（例えば、データセンタに設置されるサーバ等の場合）には、管理装置１０と通信（接続）可能な他の装置（例えば、パーソナルコンピュータ等。非図示）を介して管理装置１０のメンテナンス等を実行するようにしてもよい。
【００１３】
ＰＯＳ端末２０は、クリーニング店（クリーニング取次店）に設置され、クリーニング店の店員によって操作される。ＰＯＳ端末２０は、個人店（個人が営むクリーニング店）に設置されてもよいし、チェーン店（チェーン展開された各店舗）に設置されてもよい。即ち、クリーニングシステム１は、個人店およびチェーン店の何れにおいても適用可能である。店舗携帯端末３０は、クリーニング店内において用いられる、例えばタブレット端末である。
【００１４】
工場用端末４０は、クリーニング工場に設置され、クリーニング工場の担当者によって操作される。工場用端末４０は、例えば、クリーニング前の商品の確認や、クリーニング後の完了報告などにおいて用いられる。工場用端末４０は、例えば、パーソナルコンピュータなどであってもよい。
【００１５】
利用者端末５０は、利用者が操作する端末（例えば、利用者が所持するスマートフォン、タブレット端末、パーソナルコンピュータ等）である。利用者端末５０は、ネットワーク９０を介して管理装置１０、管理装置１０とは異なる装置（サーバ（図示省略））からアプリケーションプログラムをダウンロードしてインストール可能に構成されていてもよい。本実施形態では、クリーニングシステム１におけるクリーニング店（クリーニングに関する各種サービス）を利用する利用者向けのアプリケーションプログラム（以下、単に「クリーニングアプリ」と称する場合がある）が利用者端末５０にインストールされ、当該クリーニングアプリにより会員登録が完了しているものとする。クリーニングアプリは、利用者端末５０の表示部に表示される各種画面や各種メッセージに関するデータを含むものであってもよい。また、クリーニングアプリは、利用者の操作に応じて起動、実行、終了する場合に加えて、他のプログラム（アプリケーションプログラムやＯＳ）からの要求に応じて、起動、実行、終了する場合があってもよい。例えば、クリーニングアプリは、利用者端末５０に画面を表示せずに常駐し、他の装置（例えば、管理装置１０等）から送信された情報を受信したかを監視し、情報を受信した場合には、受信した情報に応じた画面を利用者の操作によらずに表示部に表示するようにしてもよい。
【００１６】
図２は、ＰＯＳ端末２０の機能ブロック図である。ＰＯＳ端末２０は、ＣＰＵ２１、ＲＯＭ２２、ＲＡＭ２３、ハードディスク２４、表示部２５、入力部２６、印字部２７、および通信部２８を備えており、これら機能部は、バス２９を介して互いに接続される。ＣＰＵ２１は、中央演算処理装置であり、例えば、ＲＡＭ２３に展開されたプログラムを実行することによって、ＰＯＳ端末２０の動作を制御する。
【００１７】
ＲＯＭ２２は、読み出し専用のメモリであり、ＰＯＳ端末２０を動作させるためのプログラムなどの各種情報を記憶する。ＲＡＭ２３は、一時記憶領域であり、ＣＰＵ２１が参照する情報（ＲＯＭ２２から読み出され展開されたプログラム、データ等）や生成した情報、通信部２８を介して受信した情報や送信する情報等を一時記憶する。ハードディスク２４は、補助記憶装置であり、ＣＰＵ２１が参照する情報や生成した情報、通信部２８を介して受信した情報や送信する情報等を記憶する。
【００１８】
表示部２５は、例えば液晶ディスプレイであり、ＰＯＳ端末２０を操作する店員に対して情報を表示する。入力部２６は、ＰＯＳ端末２０を操作する店員から種々の操作を受け付けるための入力装置であり、表示部２５の表示画面上に配置されたタッチパッド、ハンディースキャナー、カードリーダーなどを備える。印字部２７は、種々の情報（例えば、各種の伝票、引渡し希望商品一覧等）を印字（印刷）、発行する。印字部２７が発行する伝票は、例えば、客控え（「お預り票」「客用控え」とも称する。図２７参照）、工場控え（「工場用控え」とも称する。図２８参照）等である。通信部２８は、ネットワーク９０を介して各種機器と通信するための通信インターフェースである。
【００１９】
図３〜図７は、クリーニングシステム１が記憶する各種情報の一例である。図８は、不良部分（異常部分）を示す画像（画像データ）の一例である。なお、図３〜図７に示した各ファイル内の「…」は値の記載を省略した旨を示している。他図も同様である。
【００２０】
（顧客マスタファイル）
図３（Ａ）は、管理装置１０が記憶する顧客マスタファイルの一例である。顧客マスタファイルは、利用者である顧客（会員）に関する種々の基本情報を記憶するファイルである。図３（Ａ）に示した顧客マスタファイルは、顧客コードに対応付けて、氏名（漢字）、氏名（ふりがな）、住所、通信先、メール、電話番号（１）、電話番号（２）、アプリ通信用識別情報、誕生日、会員登録日、登録店（店舗コード）などを記憶している。氏名（漢字）、氏名（ふりがな）、住所等は、会員登録時に利用者から取得した情報である。
【００２１】
顧客コードは、クリーニングシステム１において利用者の夫々を識別するための情報である。例えば、会員登録時に、管理装置１０が、重複しない顧客コードを付与（採番）するようにしてもよい。
【００２２】
電子メールは、当該利用者に送信するメールのメールアドレスである。例えば、当該利用者の利用者端末５０のメールアドレスであってもよいし、利用者端末５０とは異なる当該利用者の端末（非図示）のメールアドレスであってもよい。
【００２３】
電話番号（１）及び電話番号（２）は、当該利用者と通話するための電話番号である。例えば、当該利用者の利用者端末５０がスマートフォンである場合には、電話番号（１）は、当該利用者の利用者端末５０（スマートフォン）の電話番号とし、電話番号（２）は、当該利用者の自宅の固定電話の電話番号としてもよい。
【００２４】
アプリ通信用識別情報は、当該利用者の利用者端末５０において実行するクリーニングアプリの通信を行うための情報である。アプリ通信用識別情報は、クリーニングアプリの通信において当該利用者の利用者端末５０を識別可能な情報であればよく、例えば、利用者端末５０のＩＰアドレス、利用者端末５０の個体識別情報、利用者端末５０の電話番号、個体識別情報とは異なる識別情報（トークン等）であってもよい。なお、アプリ通信用識別情報は、利用者端末５０に固定的に割り当てられるものであってもよいし、利用者端末５０に一時的に割り当てられるもの（例えば、クリーニングアプリが起動する度に変化し得るもの）であってもよい。アプリ通信用識別情報が一時的に割り当てられるものである場合には、最新のアプリ通信用識別情報を記憶すればよい。
【００２５】
なお、クリーニングアプリの通信において利用者端末５０を識別するためのアプリ通信用識別情報とは別に、クリーニングアプリにおいてユーザ（利用者）を識別するためのアプリ利用者識別情報（例えば、ユーザＩＤ等）を記憶してもよい。
【００２６】
登録店は、当該利用者が会員登録を行った店舗（クリーニング店）を示す情報であり、本実施形態では店舗コードを利用している。なお、店舗以外の場所にて会員登録を行った場合（例えば、利用者端末５０を利用して自宅や職場からクリーニングアプリを介して会員登録を行った場合）には、会員登録時にクリーニングアプリが自動選択した店舗を登録店としてもよいし、会員登録時にクリーニングアプリが提示した候補のなかから利用者が選択した店舗であってもよいし、会員登録時に利用者が自由に選択した店舗であってもよい。なお、会員登録時には、クリーニングアプリは、利用者が入力した情報（例えば、住所、市外局番、市外局番等）に基づいて、当該利用者の自宅に最寄りの店舗を検索し、登録店として自動選択してもよいし、選択候補として利用者に提示してもよい。
【００２７】
なお、本実施形態では、店舗コードは、上位２桁を“ＴＰ”、続く２桁を店舗固有の番号（００〜９９等）とする全４桁の店舗コードを用いている。
【００２８】
（顧客実績集計ファイル）
図３（Ｂ）は、管理装置１０が記憶する顧客実績集計ファイルの一例である。顧客実績集計ファイルは、利用者である顧客（会員）毎のサービス（クリーニングシステム１が提供するクリーニングに関する各種サービス）の利用実績に関する情報を記憶するファイルである。図３（Ｂ）に示した顧客実績集計ファイルは、顧客コードに対応付けて、全店舗を合算した実績情報（ランク、最終利用日、利用頻度、平均単価）、主利用店舗の実績情報（ランク、最終利用日、利用頻度、平均単価）を記憶している。なお、本実施形態では、実績の集計を、毎月１回（例えば、毎月の特定日）に行い、集計結果を顧客実績集計ファイルに記憶している。
【００２９】
最終利用日は、最後に利用した年月日である。利用頻度は、過去１月間の利用回数である。利用金額は、過去１月間の合計利用金額である。ランクは、利用者の評価（貢献度）を示す情報であり、過去１月以上の最終利用日、利用頻度、利用金額のうちの１つ以上に基づいて算出される情報である。一例として、過去６月の利用回数が１２回数以上、且つ、過去６月の利用金額が２４０００円以上である利用者を最上位ランク（例えばＳランク）とし、過去１２月の利用回数が０回の利用者を最下位ランク（例えばＤランク）としてもよい。なお、利用金額に代えて又は加えて過去１月間の平均単価を算出、顧客実績集計ファイルに記憶してもよい。
【００３０】
（ポイント管理ファイル）
図３（Ｃ）は、管理装置１０が記憶するポイント管理ファイルの一例である。ポイント管理ファイルは、サービスの利用実績に応じて付与され、現金に代えて利用可能なポイント（例えば、２００円毎に１ポイントが付与され、現金に代えて１ポイントを１００円として利用可能なポイント等）に関する情報を記憶するファイルである。図３（Ｃ）に示したポイント管理ファイルは、顧客コードに対応付けて、利用可能ポイント数などを記憶している。ポイント管理ファイルにて、利用期限を管理（記憶）してもよい。
【００３１】
なお、図３に示したポイント管理ファイルは、管理するポイントがチェーン店の全店舗で共通するポイントである場合（各店舗にて付与されるポイントが合算され、何れの店舗でも利用可能である場合）の構成であるが、チェーン店の各店舗で個別にポイントを管理する場合（ある店舗にて付与されるポイントは、当該店舗においてのみ利用可能である場合）には、例えば、店舗コード及び顧客コードに対応付けて（つまり店舗コード別顧客コード別に）、利用可能ポイント数などを記憶してもよい。
【００３２】
（クーポン販売実績ファイル）
図４（Ａ）は、管理装置１０が記憶するクーポン販売実績ファイルの一例である。クーポン販売実績ファイルは、クーポンの販売実績に関する情報を記憶するファイルである。図４（Ａ）に示したクーポン販売実績ファイルは、クーポン管理番号に対応付けて、販売日（発行日）、クーポン種別、購入者（顧客コード）などを記憶している。なお、管理装置１０は、クーポンの販売時にクーポン販売実績ファイルを更新（新規情報を追加）する。
【００３３】
なお、本実施形態におけるクーポンは、電子的なクーポンであり、対象商品別に複数種類が用意されているものとする。また、本実施形態におけるクーポンは、複数利用分を販売単位とし、利用者にとって割安な料金としている。例えば、対象商品がワイシャツであるクーポンの場合には１１回利用分（１１枚のワイシャツ（ドライ）の利用分）の料金（３３００円）を１０回利用分の料金（３０００円）にて販売（発行）している。なお、本実施形態におけるクーポンは上述したように電子的なクーポンであるが、以下の説明において、紙媒体のクーポンと同様、１枚、２枚というように数える場合がある。
【００３４】
クーポン管理番号は、クリーニングシステム１においてクーポンの販売（発行）を管理（識別）するための情報である。例えば、クーポン販売時に、管理装置１０が、重複しないクーポン管理番号（西暦下２桁−通番等。図４に示した例は、２０１Ｘ年の３６９番目の場合）を付与（採番）するようにしてもよい。クーポン種別は、利用可能な対象商品毎のクーポンの種別（種類）を示す情報である。購入者は、当該クーポンの購入者を示す情報である。
【００３５】
（クーポン利用実績ファイル）
図４（Ｂ）は、管理装置１０が記憶するクーポン利用実績ファイルの一例である。クーポン利用実績ファイルは、利用者別（顧客コード別）のクーポンの利用実績に関する情報を記憶するファイルである。図４（Ｂ）に示したクーポン利用実績ファイルは、顧客コード別に、クーポン管理番号に対応付けて、購入日（発行日）、クーポン種別、利用期限日、総利用数、残数、各回の利用実績（利用日、利用数）などを記憶している。なお、管理装置１０は、クーポンの利用時にクーポン利用実績ファイルを更新（合計利用数、残数、利用実績等を更新）する。
【００３６】
利用期限日は、当該クーポンの利用期限日（全１１枚の夫々に共通する利用期限日）を示す情報である。総利用数は、各回において利用した合計利用数である。残数は、未だ利用していない数（即ち、利用可能な数）を示す情報である。
【００３７】
なお、本実施形態では、クーポンの利用期限日は販売日が同日であれば何枚目であっても共通するが（つまり、最初の１枚目であっても最後の１１枚目であっても利用期限日は同日であるが）、何枚目であるかに応じて利用期限日を異ならせてもよい。一例として、全１１枚のうち１〜５枚目の利用期限日を販売日から２８日目（４週間）とし、６〜１１枚目の利用期限日を販売日から５６日目（８週間）としてもよい。
【００３８】
また、本実施形態では、クーポンの販売単位は、クーポンの種別（即ち、対象商品）に関係なく共通（１１回利用分、即ち全１１枚）としているが、クーポンの種別に応じて販売単位を異ならせてもよい。一例として、ワイシャツのクーポンの販売単位を１１枚、セーター類のクーポンの販売単位を６枚という具合に、料金が高い商品（図７（Ｄ）参照）は販売単位を少なくしてもよい。
【００３９】
（電子伝票ファイル）
図５は、管理装置１０が記憶する電子伝票ファイルの一例である。電子伝票ファイルは、クリーニングに関する各種サービスに係る取引内容を示した電子伝票に関する情報を記憶するファイルである。図５に示した電子伝票ファイルは、伝票番号に対応付けて、預り日時、店舗コード、店員コード、顧客コード、預り区分、預り点数、合計料金、仕上り予定日、引渡し完了日、受け取り催促日、更新日時などを記憶している。なお、管理装置１０は、商品の預り時に電子伝票ファイルを更新（新規情報を追加）し、サービスの進行等に応じて適宜、更新する。
【００４０】
伝票番号は、クリーニングシステム１において電子伝票を識別するための情報である。例えば、商品預り時に、ＰＯＳ端末２０が、伝票番号を付与（採番）するようにしてもよい。本実施形態では、伝票番号として、店舗毎の通番（サイクリックに使用）を付与している。具体的には、上位２桁を“ＤＮ”、続く２桁を店舗コードの下２桁（店舗固有の番号）、続く１桁を“−”、続く４桁を通番（００００〜９９９９）とする全９桁（ハイフンを含む）の伝票番号を用いている。従って、店舗コードを参照しなくても伝票番号を参照すれば、何れの店舗の取引における電子伝票であるかが分かる。
【００４１】
預り日時は、クリーニング店において利用者から商品を預かった日時を示す情報である。なお、商品預り時において、店員がＰＯＳ端末２０において情報を入力した日時を預り日時としてもよい。
【００４２】
預り区分は、商品の預り方法を示す情報である。本実施形態では、商品の預り方法（商品の受け付け方法）として、通常店舗預り（通常店舗受付と称する場合もある）、スピード預り（スピード受付と称する場合もある）、集荷預り（集荷受付と称する場合もある）、ロッカー預り（ロッカー受付と称する場合もある）が用意されている。預り区分「１」は通常店舗預りを示し、預り区分「２」はスピード預りを示し、預り区分「３（）」は集荷預りを示し、預り区分「４」はロッカー預りを示す。なお、預り区分「３（）」の括弧部分は、集荷預りにおける集荷場所を示す情報（場所コード）である。
【００４３】
通常店舗預りとは、利用者が店舗の受付窓口に商品を持参し、店員と利用者とが対面して、検品や精算を行い、預り商品として受け付ける方法である。スピード預りとは、利用者が袋詰めされた商品（袋詰めされた状態の商品）を店舗の受付窓口に預けることを以って（即ち、店員と利用者とが対面して検品や精算を行わずに）、受け付けが完了する方法である。スピード預りでは、利用者は、商品を入れた袋（例えば、カード挿入用のポケットを有するスピード預り専用の袋を用いてもよい）と一緒に会員カード（顧客コードや自身の氏名などを記載した会員カード）も店舗側に預ける。後述するロッカー預りの場合も同様である。集荷預りとは、クリーニング店側が所定の集荷場所（利用者の自宅、コンビニエンスストア等）に出向いて受け取った商品を、預り商品として受け付ける方法である。ロッカー預りとは、利用者が袋詰めされた商品（袋詰めされた状態の商品）を所定のロッカー（図１８（Ａ）参照）に投入することを以って（即ち、店員と利用者とが対面して検品や精算を行わずに）、受け付けが完了する方法である。
【００４４】
預り点数は、預り商品の点数を示す情報である。なお、個々の商品に関する情報は、預り商品情報ファイル（図６参照）に記憶している。合計料金は、全部の預り商品の合計料金を示す情報である。
【００４５】
仕上り予定日は、預り商品が仕上り（クリーニングが完了し）、利用者に対する商品の引渡しが可能になる日にち（利用者が商品を受け取ることが可能になる日にち）を示す情報である。複数の商品を預かった場合（預り点数が２以上の場合）の仕上り予定日は、預かった全商品について引渡しが可能になる日にちを示している。
【００４６】
引渡し完了日は、利用者に対する商品の引渡しが完了した日にち（利用者が商品を受け取った日にち）を示す情報である。なお、複数の商品を預かった場合の引渡し完了日は、預かった全商品について引渡しが完了した日にちを示している。
【００４７】
受け取り催促日は、利用者に商品の受け取りを催促した日にちを示す情報である。なお、商品の受け取りを催促した日にちが複数ある場合には、最後に催促した日にちのみを受け取り催促日として管理（記憶）してもよいし、催促した夫々の日にちを受け取り催促日として管理してもよい。なお、利用者への催促の方法は、クリーニングアプリによる催促であってもよいし、電子メールによる催促であってもよいし、電話による催促であってもよい。なお、受け取り催促日とともに、催促した方法を管理（記憶）してもよい。
【００４８】
更新日時は、当該電子伝票の何れかの情報を更新した日時を示す情報である。例えば、引渡し完了日の更新（入力）があった場合には、当該更新があった日時が更新日時となる。
【００４９】
（預り商品情報ファイル）
図６は、管理装置１０が記憶する預り商品情報ファイルの一例である。預り商品情報ファイルは、個々の預り商品に関する情報を記憶するファイルである。図６に示した預り商品情報ファイルは、預り商品番号に対応付けて、タグ番号、商品種別、処理種別、料金、保留区分、進行区分、仕上り予定日、予約区分、引渡し区分、引渡し予定日、引渡し完了日、更新日時などを記憶している。なお、管理装置１０は、商品の預り時に電子伝票ファイルを更新（新規情報を追加）し、サービスの進行等に応じて適宜、更新する。
【００５０】
預り商品番号は、クリーニングシステム１において預り商品を識別するための情報である。例えば、商品預り時に、ＰＯＳ端末２０又は管理装置１０が、預り商品番号を付与（採番）するようにしてもよい。本実施形態では、伝票番号に枝番号を付加したものを預り商品番号としている。具体的には、上位９桁を伝票番号、続く１桁を“−”、続く２桁を枝番号（０１〜９９）とする全１３桁（ハイフンを含む）の預り商品番号を用いている。従って、預り商品番号を参照すれば、何れの電子伝票における預り商品であるかが分かる。また、上述したように、伝票番号から取引を行った店舗を特定できるため、預り商品番号を参照すれば、何れの店舗の取引における預り商品であるかが分かる。
【００５１】
タグ番号は、クリーニングシステム１において預り商品を識別するための情報である。タグ番号は、例えば、商品預り時に、店員がＰＯＳ端末２０において、預り商品の夫々に付したタグに印刷されている番号を、夫々の預り商品のタグ番号として入力したものである。本実施形態では、タグ番号（タグに印刷されている番号）として、上位２桁を“ＴＧ”、続く２桁を店舗コードの下２桁（店舗固有の番号）、続く１桁を“−”、続く４桁を通番（００００〜９９９９）とする全９桁（ハイフンを含む）のタグ番号を用いている。従って、タグ番号を参照すれば、何れの店舗の取引における預り商品であるかが分かる。
【００５２】
商品種別は、商品の種別（図７（Ａ）参照）を示す情報である。処理種別は、処理（洗い、収納等）の種別（図７（Ｂ）参照）を示す情報である。料金は、当該預り商品の料金（図７（Ｄ）参照）を示す情報である。
【００５３】
保留区分は、進行の保留の要否を示す情報である。本実施形態では、預り商品が特定商品（汚れや、ほつれ等がある商品。図７（Ｅ）参照）である場合には、トラブル防止の観点から、クリーニング工場において実際に処理（洗い等）を行う前に、商品の現状（汚れや、ほつれ等の現状）を利用者に確認して貰っている。保留区分「０」は保留不要（保留事由無）を示し、保留区分「１」は保留必要（利用者確認前）を示し、保留区分「２」は保留不要（利用者確認済）を示す。
【００５４】
進行区分は、進行の状況を示す情報である。進行区分「１」は商品預りを示し、進行区分「２」は保留中を示し、進行区分「３」は仕上り完了を示し、進行区分「４」は引渡し可能を示し、進行区分「５」は引渡し予定有を示し、進行区分「６」は引渡し完了を示す。
【００５５】
仕上り予定日は、預り商品が仕上り、利用者に対する商品の引渡しが可能になる日にちを示す情報である。なお、預り商品情報ファイルにおける仕上り予定日は、個々の預り商品の仕上り予定日であるのに対し、電子伝票ファイルにおける仕上り予定日は、当該電子伝票内における全部の預り商品について引渡しが可能になる日にちである。つまり、電子伝票ファイルにおける仕上り予定日は、預り商品情報ファイルに示した当該電子伝票に対応する各預り商品の仕上り予定日のうち最も遅い仕上り予定日である。また、本実施形態では、仕上り予定日は、基本的には商品預り日（受付日）と所要日数（図７（Ｅ）参照）とに基づいて算出しているが、特定商品について利用者の確認が遅れた場合には仕上り予定日を遅らせている。
【００５６】
予約区分は、預り商品の引渡しの予約の有無を示す情報である。予約区分「０」は予約無を示し、予約区分「１」は店舗にて予約有を示し、予約区分「２」は電話にて予約有を示し、予約区分「３」はアプリにて予約有を示す。予約の内容は、引渡し日時や引渡し方法である。なお、来店して商品を預かる際（預り区分「１」又は「２」となるような場合）に、引渡しについて予約した場合には予約区分「１（店舗にて予約有）」となる。
【００５７】
予約は変更可能である。例えば、商品を預かるタイミングで行われた予約について、電話による変更やクリーニングアプリによる変更が可能である。予約を変更した場合の予約区分は、変更時の情報を記憶してもよい。例えば、商品を預かるタイミングで行われた予約について電話により変更した場合には、電話による変更前の予約区分「１」を［２］に更新してもよい。
【００５８】
引渡し区分は、預り商品の引渡し方法を示す情報である。本実施形態では、預り商品を引渡し方法（預り商品の返却方法）として、通常店舗引渡し（通常店舗返却と称する場合もある）、配達引渡し（配達返却と称する場合もある）、ロッカー引渡し（ロッカー返却と称する場合もある）が用意されている。引渡し区分「０」は未定を示し、引渡し区分「１（）」は通常店舗引渡しを示し、引渡し区分「２（）」は配達引渡しを示し、引渡し区分「３」はロッカー引渡しを示す。なお、引渡し区分「１（）」の括弧部分は、通常店舗引渡しにおける引渡し店舗を示す情報（店舗コード）である。引渡し区分「２（）」の括弧部分は、配達引渡しにおける配達場所（利用者の自宅、コンビニエンスストア等）を示す情報（場所コード）である。引渡し区分「３（）」の括弧部分は、ロッカー引渡しにおけるロッカーを示す情報（ロッカー番号）である。
【００５９】
通常店舗引渡し（通常店舗返却）とは、店舗の受付窓口において預り商品を引渡す方法である。配達引渡し（配達返却）とは、所定の配達場所において預り商品を引渡す方法である。ロッカー引渡し（ロッカー返却）とは、所定のロッカー（図１８（Ｂ）、図１８（Ｃ）参照）を用いて預り商品を引渡す方法である。
【００６０】
なお、引渡し予約がない場合（予約区分「０」の場合）、引渡し方法は未定（引渡し区分「０」）となる。一方、引渡し予約があった場合（予約区分「１」〜「３」の場合）、引渡し方法は当該予約において利用者が指定した方法（引渡し区分「１」〜「３」）となる。
【００６１】
引渡し予定日は、預り商品の引渡しが行われる予定の日にちを示す情報である。なお、引渡し予約がない場合（予約区分「０」の場合）、引渡し予定日は未定（例えば、空欄等）となる。一方、引渡し予約があった場合（予約区分「１」〜「３」の場合）、引渡し予定日は、当該予約において利用者が指定した日にちとなる。
【００６２】
なお、引渡し予約がない場合（予約区分「０」の場合）であっても、仕上り予定日以降における通常店舗引渡し（通常店舗返却）は可能である。つまり、当然ではあるが、利用者は、仕上り予定日以後であれば、何ら連絡せずに突然店舗に行き、商品を受け取ることが可能である。
【００６３】
引渡し完了日は、利用者に対する商品の引渡しが完了した日にち（利用者が商品を受け取った日にち）を示す情報である。なお、預り商品情報ファイルにおける引渡し完了日は、個々の預り商品の引渡し完了日であるのに対し、電子伝票ファイルにおける引渡し完了日は、当該電子伝票内における全部の預り商品について引渡しが完了した日にちである。つまり、電子伝票ファイルにおける引渡し完了日は、預り商品情報ファイルに示した当該電子伝票に対応する各預り商品の引渡し完了日のうち最も遅い引渡し完了日である。
【００６４】
更新日時は、当該預り商品の何れかの情報を更新した日時を示す情報である。例えば、引渡し完了日の更新（入力）があった場合には、当該更新があった日時が更新日時となる。
【００６５】
（商品種別ファイル）
図７（Ａ）は、管理装置１０が記憶する商品種別ファイルの一例である。図７（Ａ）に示した商品種別ファイルは、商品種別に対応付けて、商品の種類などを記憶している。ＰＯＳ端末２０は、管理装置１０から商品種別ファイルを受信し、記憶しておいてもよい。
【００６６】
（店舗ファイル）
図７（Ｂ）は、管理装置１０が記憶する店舗ファイルの一例である。図７（Ｂ）に示した店舗ファイルは、店舗コードに対応付けて、店舗名、所在地（住所）、所在地（緯度経度）などを記憶している。ＰＯＳ端末２０は、管理装置１０から店舗ファイルを受信し、記憶しておいてもよい。
【００６７】
（処理種別ファイル）
図７（Ｃ）は、管理装置１０が記憶する処理種別ファイルの一例である。図７（Ｃ）に示した処理種別ファイルは、処理種別に対応付けて、洗い、収納などを記憶している。ＰＯＳ端末２０は、管理装置１０から処理種別ファイルを受信し、記憶しておいてもよい。
【００６８】
（サービス基本ファイル）
図７（Ｄ）は、管理装置１０が記憶するサービス基本ファイルの一例である。図７（Ｄ）に示したサービス基本ファイルは、商品種別及び処理種別に対応付けて、料金、所要日数などを記憶している。ＰＯＳ端末２０は、管理装置１０からサービス基本ファイルを受信し、記憶しておいてもよい。
【００６９】
（特定商品管理ファイル）
図７（Ｅ）は、管理装置１０が記憶する特定商品管理ファイルの一例である。上述したように、本実施形態では、預り商品が特定商品（汚れや、ほつれ等がある商品）である場合、トラブル防止の観点から、店舗側（又はクリーニング工場側）から商品の現状を利用者に確認して貰っている。特に、スピード預りやロッカー預り等の場合、商品預り時において利用者と一緒に検品を行うことができないため、まずは、現状を利用者に確認して貰うことがトラブル防止の観点から重要である。
【００７０】
図７（Ｅ）に示した特定商品管理ファイルは、預り商品番号（特定商品管理ファイルでは、特定商品を管理するため、実際には特定商品である預り商品の預り商品番号）に対応付けて、不良区分（異常区分と称する場合もある）、確認画像、対処方法、確認依頼日時、確認日時などを記憶している。管理装置１０に代えて又は加えてＰＯＳ端末２０が特定商品管理ファイルを記憶してもよい。
【００７１】
不良区分は、利用者による確認を必要とする不良部分の内容を示す情報である。例えば、不良区分「１」は汚れを示し、不良区分「２」はシミを示し、不良区分「３」はほつれを示し、不良区分「４」はボタン割れを示し、不良区分「５」はボタン外れ（ボタン落ち）を示す。
【００７２】
確認画像は、不良部分（場所、程度等）を示す画像（写真、イラスト等の画像データ。図８参照）の格納場所を示す情報（例えば、URI；Uniform Resource Identifier）である。確認画像は、店舗側（例えばＰＯＳ端末２０）にて生成（撮像、商品毎のテンプレートに手書きしたものをスキャン等）してもよいし、クリーニング工場（例えば工場用端末４０）にて生成してもよい。上述の如く生成された確認画像は、現状確認の依頼として、管理装置１０から利用者端末５０に送信される。例えば、預り商品が特定商品であるか否かを店舗において確認し、特定商品であった場合には、ＰＯＳ端末２０が確認画像を生成し、管理装置１０が、ＰＯＳ端末２０において生成された確認画像を受信し、利用者端末５０に送信してもよい。また例えば、預り商品が特定商品であるか否かをクリーニング工場において確認し、特定商品であった場合には、工場用端末４０が確認画像を生成し、管理装置１０が、工場用端末４０において生成された確認画像を受信し、利用者端末５０に送信してもよい。
【００７３】
なお、現状確認の依頼には、クリーニングアプリを用いてもよいし（クリーニングアプリの画面上に確認画像を表示等させるようにしてもよいし）、電子メールを用いてもよい（電子メールに確認画像を添付等してもよい）。
【００７４】
利用者端末５０は、管理装置１０から受信した確認画像を表示し、当該画像を確認した利用者の入力を受け付ける。例えば、利用者端末５０は、預り商品に不良部分があった旨の確認に関する入力や、後述する対処方法に関する入力を受け付ける。続いて、利用者端末５０は、利用者から入力情報を管理装置１０に送信する。なお、図８に示した確認画像は、預り商品（シャツ）の右腹部にシミがあり、右袖のボタンが外れている旨を示したイラストの画像である。「シミ」「ボタン外れ」などの文言は、例えば、店舗の店員などにより入力等（テキスト入力、又は、候補の複数の文言から選択等）されたものである。また、不良部分の画像や、上記文言は、利用者端末５０等において、例えばタッチにより拡大可能である。
【００７５】
対処方法は、利用者が指定（又は選択）した不良部分への対処方法である。例えば、不良部分の内容がシミである場合（不良区分「２」の場合）、シミ抜きを行うか否か等である。確認依頼日時は、利用者に当該特定商品の現状確認を依頼した日時を示す情報である。確認日時は、利用者による現状確認が完了した日時を示す情報である。
【００７６】
なお、特定商品管理ファイルの構成は、図７（Ｅ）に示した構成に限定されない。例えば、図７（Ｅ）に示した特定商品管理ファイルは、１つの預り商品（預り商品番号）について不良区分と対処方法を１組記憶するものであるが、不良区分と対処方法を２組以上記憶してもよい。例えば、図８に示したシャツの場合、預り商品番号に対応付けて、確認依頼日時、確認画像、１つ目の不良部分の不良区分「２（シミ）」、１つ目の不良部分に対する対処方法、１つ目の不良部分に対する確認日時、２つ目の不良部分の不良区分「５（ボタン外れ）」、２つ目の不良部分に対する対処方法、２つ目の不良部分に対する確認日時等を記憶してもよい。図８に示したシャツは、不良区分が異なる複数の不良部分が存在する預り商品の一例であるが、不良区分が同一の複数の不良部分が存在する預り商品（例えば、襟と腕の２箇所にシミが存在するシャツ等）についても同様である。また、特定商品管理ファイルは、上述の如く夫々の不良部分について現状確認が完了した夫々の日時を記憶してもよいし、全部の不良部分について（最後の１つについて）現状確認が完了した１つの日時を記憶してもよい。また、ある預り商品における全部の不良部分を利用者が視認可能であれば、当該預り商品に関する確認画像は１つ（例えば、ＣＡＤの画像のように回転等の操作を受付可能な１つの画像等）であってもよいし、２つ以上であってもよい。
【００７７】
また、１つの預り商品に複数の不良部分（不良区分の異同は問わない）が存在する場合には、確認画像上において利用者が夫々の不良部分を指定（タッチ等）し、不良部分毎に対処方法を指定できるようにしてもよい。例えば、図８に示したシャツの場合、利用者がシミの領域をタッチしたことに基づいてシミに対する対処方法の選択肢を設けた選択画面を表示し、当該選択画面を介して当該利用者から当該シミに対する対処方法の選択を受け付け、続いて利用者がボタン外れの領域をタッチしたことに基づいてボタン外れに対する対処方法の選択肢を設けた選択画面を表示し、当該選択画面を介して当該利用者から当該ボタン外れに対する対処方法の選択を受け付けるようにしてもよい。なお、選択肢として提示される夫々の対処方法による料金（例えば、シミ抜き料金等）を選択肢毎に表示してもよい。また、特定商品について利用者から店舗等への個別の問い合せに効率的に応対するため、利用者端末５０に預り商品番号を表示（例えば、確認画像の近傍に表示、確認画像を表示している画面上に表示等）してもよい。なお、問い合せ時の伝達ミスの防止や一層の効率化のため、預り商品番号よりも短い番号を用いるようにしてもよい。例えば、特定商品管理ファイルに夫々の特定商品を一意に識別可能な問い合せ番号（預り商品番号よりも簡便な体系の番号）を記憶するとともに、利用者端末５０に当該問い合せ番号を表示（例えば、上記のように表示）してもよい。
【００７８】
以上のように、クリーニング工場において実際に処理（洗い等）を行う前に、確認画像を用いて預り商品に異常（汚れや、ほつれ等）がある旨を利用者に通知するため、例えば、利用者から商品を預けた後に異常が発生したといったクレームを付けられるトラブルが生じ難くなる。また、利用者は、確認画像を見ることによって、簡便に、現状を把握し、対処方法を検討、指定することができる。
【００７９】
続いて、図９〜図１２を用いて、クリーニングシステム１による商品預り時の処理について説明する。なお、図９〜図１２の説明において、利用者端末５０はスマートフォンであるものとする。
【００８０】
図９は、商品預り時の動作の一例を示すフローチャートである。具体的には、図９に示したフローチャートは、店舗（クリーニング店）に来店した利用者（会員）から商品を預かる場合（つまり通常店舗預りの場合）における動作の一例を示している。なお、図９の左側は利用者端末５０の動作を示し、中央はＰＯＳ端末２０の動作を示し、右側は管理装置１０の動作を示している。
【００８１】
図１０〜図１２は、利用者端末５０に表示される各種画面の一例である。具体的には、図１０は会員証画面を示し、図１１は伝票一覧画面を示し、図１２は伝票詳細画面（預り票画面、又は、電子預り票と称する場合もある）を示している。なお、図９〜図１２の説明において、利用者端末５０（スマートフォン）において実行されるクリーニングアプリが上記画面（会員証画面、伝票詳細画面、伝票一覧画面）を表示するものとする。
【００８２】
図９のステップＳ１０：利用者端末５０は、表示部（タッチパネル）に図１０に示すような会員証画面を表示する。会員証画面は、クリーニングアプリの初期画面であってもよい。つまり、会員証画面は、利用者端末５０においてクリーニングアプリが起動した場合に最初に表示部に表示される画面であってもよい。利用者端末５０は、自身が記憶している会員証画面を表示部に表示してもよいし、管理装置１０から会員証画面を取得して表示部に表示してもよい。
【００８３】
なお、管理装置１０から会員証画面を取得して表示部に表示する場合には、利用者端末５０は、アプリ通信用識別情報（又はアプリ利用者識別情報）を管理装置１０に送信してもよい。つまり、利用者端末５０は、アプリ通信用識別情報（又はアプリ利用者識別情報）を管理装置１０に送信することにより、管理装置１０から会員証画面を取得して表示部に表示してもよい。なお、管理装置１０は、顧客マスタファイルを参照し、利用者端末５０から取得したアプリ通信用識別情報（又はアプリ利用者識別情報）に基づいて利用者（顧客コード）を特定し、特定した利用者の会員証画面を利用者端末５０に送信してもよい。
【００８４】
図１０に示した会員証画面には、ランク情報、ポイント情報（利用可能ポイント数）、バーコードＧ１１、預り票アイコンＧ１２などが表示されている。バーコードＧ１１は、顧客コードをバーコード化したものである。ある利用者の会員証画面に表示されているバーコードＧ１１は、当該利用者の顧客コードに基づいて管理装置１０が生成したものであってもよい。例えば、管理装置１０は、会員登録時に顧客コードを付与（採番）し、付与した顧客コードに基づいてバーコードを生成し、当該利用者の会員証画面に表示するバーコードとして記憶しておいてもよい。
【００８５】
会員証画面の最下段の横一列の「会員証」「預り票」「お知らせ」「クーポン」「アンケート」は、現在表示中の画面の種類を示している。図１１に示した伝票一覧画面や、図１２、図１４及び図２７に示した伝票詳細画面の最下段も同様である。なお、伝票一覧画面や伝票詳細画面は、「会員証」「預り票」「お知らせ」「クーポン」「アンケート」の５つに画面を分類した場合には「預り票」に分類されるため、伝票一覧画面を表示しているときも（図１１）、伝票詳細画面を表示しているときも（図１２、図１４、図２７）、共に「預り票」としている。
【００８６】
ステップＳ１１：ＰＯＳ端末２０は、店員の操作（動作）により、会員証画面のバーコードを読み取る。これにより、ＰＯＳ端末２０は、来店した利用者の顧客コードを認識する。
ステップＳ１２：ＰＯＳ端末２０は、バーコードを読み取ることにより認識した顧客コードを管理装置１０に送信する。
【００８７】
ステップＳ１３：管理装置１０は、顧客コードをＰＯＳ端末２０から受信する。
ステップＳ１４：管理装置１０は、ステップＳ１３において受信した顧客コードに対応する顧客情報を顧客マスタファイル等から抽出する。
ステップＳ１５：管理装置１０は、ステップＳ１４において抽出した顧客情報をＰＯＳ端末２０に送信する。
【００８８】
ステップＳ１６：ＰＯＳ端末２０は、顧客情報を管理装置１０から受信する。
ステップＳ１７：ＰＯＳ端末２０は、ステップＳ１６において受信した顧客情報を表示部２５に表示する。
【００８９】
なお、ＰＯＳ端末２０は、ステップＳ１６において顧客情報を受信したことに基づいて表示部２５に登録画面（非図示）を表示し、ステップＳ１７において登録画面上に顧客情報を表示してもよい。あるいは、ＰＯＳ端末２０は、ステップＳ１６において顧客情報を受信したことに基づいて表示部２５に登録画面とは異なる顧客情報表示用画面（非図示）を表示し、ステップＳ１７において顧客情報表示用画面上に顧客情報を表示してもよい。
【００９０】
なお、ステップＳ１７においてＰＯＳ端末２０が表示する顧客情報は、顧客マスタファイル等に記憶されている情報の一部であってもよい。換言すれば、ＰＯＳ端末２０は、顧客マスタファイル等に記憶されている情報の一部を表示してもよい。また、ステップＳ１４において管理装置１０は、ステップＳ１７においてＰＯＳ端末２０が表示する情報のみを抽出してもよい。
【００９１】
なお、ステップＳ１７において表示する顧客情報をＰＯＳ端末２０が記憶している場合には、管理装置１０への問い合わせは不要である（つまりステップＳ１２〜Ｓ１６の処理は省略してもよい）。
【００９２】
ステップＳ１８：ＰＯＳ端末２０は、店員の操作により、預り商品を登録する。具体的には、例えば、ＰＯＳ端末２０は、登録画面において、個々の預り商品に関する情報（商品種別、処理種別）や、個々の預り商品に付したタグのタグ番号などの入力を受け付ける。なお、ステップＳ１７において登録画面ではなく顧客情報表示用画面に顧客情報を表示している場合には、店員の操作により登録画面を表示した後に、個々の預り商品に関する情報（商品種別、処理種別）や、個々の預り商品に付したタグのタグ番号などの入力を受け付ける。
【００９３】
ステップＳ１９：ＰＯＳ端末２０は、仕上り予定日を表示する。具体的には、ＰＯＳ端末２０は、サービス基本ファイルを参照して夫々の預り商品の所要日数を取得し、取得した夫々の所要日数に基づいて夫々の預り商品の仕上り予定日を算出し、算出した夫々の預り商品の仕上り予定日を表示部２５に表示する。なお、ＰＯＳ端末２０は、夫々の預り商品の仕上り予定日に代えて又は加えて、夫々の預り商品の仕上り予定日のうち最も遅い仕上り予定日（つまり、預り商品の全部が仕上る仕上り予定日）を表示部２５に表示してもよい。
【００９４】
なお、ステップＳ１９において、ＰＯＳ端末２０がサービス基本ファイルを記憶していない場合には、サービス基本ファイルを記憶している管理装置１０に夫々の預り商品の所要日数を問い合わせる必要があるが、ＰＯＳ端末２０がサービス基本ファイルを記憶している場合には、上記問い合わせは不要である。
【００９５】
ステップＳ２０：ＰＯＳ端末２０は、代金を決済する。具体的には、ＰＯＳ端末２０は、サービス基本ファイルを参照して夫々の預り商品の料金を取得し、取得した夫々の預り商品の料金を合計した合計料金を算出し、夫々の預り商品の料金とともに合計料金を表示部２５に表示する。続いて、ＰＯＳ端末２０は、店員の操作（預り金額に応じた置数入力）により預り金額を認識し、合計料金及び預り金額から釣銭額を算出する。そして、ＰＯＳ端末２０は、預り金額及び釣銭額を表示部２５に表示する（代金決済は終了）。なお、店員は、表示部２５に表示されている釣銭額を確認し、釣銭を取り出して利用者に手渡しする。
【００９６】
なお、ステップＳ２０において、ＰＯＳ端末２０がサービス基本ファイルを記憶していない場合には、サービス基本ファイルを記憶している管理装置１０に夫々の預り商品の料金を問い合わせる必要があるが、ＰＯＳ端末２０がサービス基本ファイルを記憶している場合には、上記問い合わせは不要である。
【００９７】
また、ステップＳ２０において、ＰＯＳ端末２０が自動釣銭釣札機を搭載している場合（又はＰＯＳ端末２０に自動釣銭釣札機が接続されている場合）には、ＰＯＳ端末２０は、合計料金等を表示部２５に表示した後に、店員の操作（自動釣銭釣札機の貨幣投入口への預り金の投入）により預り金額を認識し、合計料金及び預り金額から釣銭額を算出する。そして、ＰＯＳ端末２０は、預り金額及び釣銭額を表示部２５に表示するとともに、自動釣銭釣札機の貨幣放出口に釣銭を放出する（代金決済は終了）。
【００９８】
なお、ＰＯＳ端末２０は、ステップＳ２０において、伝票（図３７のお預り票、図３８の工場控え）などを印字、発行する。
【００９９】
ステップＳ２１：ＰＯＳ端末２０は、店員の操作により、ステップＳ２０迄に取得等した情報を商品預り時の取引情報として管理装置１０に送信する。例えば、ＰＯＳ端末２０は、伝票番号、預り日時、店舗コード、店員コード、顧客コード、預り区分（具体的には預り区分「１（通常店舗預り）」）、夫々の預り商品のタグ番号、商品種別、処理種別等を含む、取引情報を管理装置１０に送信する。なお、伝票番号は、ＰＯＳ端末２０が付与（採番）したものである。店舗コード及び店員コードは、ＰＯＳ端末２０の記憶部（ＲＡＭ２３、ハードディスク２４）に記憶されている。なお、店員コードは、店員の操作（例えば、店員コードの置数入力、非図示のカード読取装置による店員カードの読み取り等）により、ＰＯＳ端末２０の記憶部に記憶される。
【０１００】
なお、電子伝票ファイル（図５参照）には預り点数が記憶されるが、管理装置１０の側では、ＰＯＳ端末２０から送信される預り商品の情報の数（例えば、タグ番号の数）に基づいて預り点数の認識が可能である。従って、ＰＯＳ端末２０は、預り点数を管理装置１０に送信しなくてもよい。つまり、ＰＯＳ端末２０は、預り点数を含む取引情報を送信してもよいし、預り点数を含まない取引を送信してもよい。同様に、ＰＯＳ端末２０は、合計料金を含む取引情報を送信してもよいし、合計料金を含まない取引を送信してもよい。
【０１０１】
また、預り商品情報ファイル（図６参照）には預り商品番号が記憶されるが、管理装置１０の側では、伝票番号と預り点数とに基づいて、預り商品番号を付与（採番）可能である。従って、必ずしも、ＰＯＳ端末２０側が夫々の預り商品に預り商品番号を付与し、管理装置１０に送信しなくてもよい。つまり、ＰＯＳ端末２０は、夫々の預り商品の預り商品番号を含む取引情報を送信してもよいし、夫々の預り商品の預り商品番号を含まない取引を送信してもよい。
【０１０２】
また、預り商品情報ファイル（図６参照）には引渡しの予約に関する情報（予約区分、引渡し区分）が記憶されるが、ステップＳ２０迄の間に、店員による、引渡しに関する入力（引渡し区分に対応する情報の入力）があった場合には、ＰＯＳ端末２０は、引渡しに関する入力情報を含む取引情報を管理装置１０に送信する。
【０１０３】
また、預り商品情報ファイル（図６参照）や特定商品管理ファイルには特定商品に関する情報（預り商品情報ファイルの保留区分、特定商品管理ファイルの不良区分等）が記憶されるが、ステップＳ２０迄の間に、店員による、特定商品に関する入力があった場合には、ＰＯＳ端末２０は、特定商品に関する入力情報を含む取引情報を管理装置１０に送信する。なお、ＰＯＳ端末２０は、特定商品に関する入力情報を含む取引情報を管理装置１０に送信する場合には、ＰＯＳ端末２０は、更に、不良部分を示す情報（図８に示すような画像）を管理装置１０に送信してもよい（管理装置１０側にて不良部分を示す情報を用意する場合に当該送信は不要である）。
【０１０４】
ステップＳ２２：管理装置１０は、商品預り時の取引情報をＰＯＳ端末２０から受信する。
ステップＳ２３：管理装置１０は、ステップＳ２２において受信した取引情報に基づいて各種ファイルを更新する。具体的には、管理装置１０は、電子伝票ファイルに新たな伝票番号の情報（レコード）を追加し、預り商品情報ファイルに新たな預り商品番号の情報（レコード）を追加する。なお、管理装置１０は、特定商品に関する入力情報を含む取引情報を受信した場合には、更に、特定商品管理ファイルも更新する。
【０１０５】
ステップＳ２４：管理装置１０は、ステップＳ２２において受信した取引情報に基づいて（つまり、ステップＳ２３において更新した各種ファイル等を参照して）、伝票一覧画面を更新する（伝票を追加するように画面情報を更新する）。
【０１０６】
ステップＳ２５：管理装置１０は、ステップＳ２２において受信した取引情報に基づいて（つまり、ステップＳ２３において更新した各種ファイル等を参照して）、伝票詳細画面を生成する（追加する伝票の画面情報を生成する）。
【０１０７】
ステップＳ２６：管理装置１０は、ステップＳ２４において更新した伝票一覧画面の画面情報、ステップＳ２５において生成した伝票詳細画面の画面情報を利用者端末５０に送信する。
【０１０８】
ステップＳ２７：利用者端末５０は、画面情報を管理装置１０から受信し、受信した画面情報を記憶部に記憶する。そして、図９のフローチャートは終了する。
【０１０９】
なお、個々の預り商品にタグを付す作業は時間を要するため当該作業を後回しにする場合、ステップＳ１８におけるタグ番号の入力も後回しになる。ステップＳ２１ではタグ番号を含む取引情報を管理装置１０に送信する必要があるため、ステップＳ２１の処理も後回しになる。つまり、上述のステップＳ１０〜Ｓ２７の処理において、ステップＳ２０迄の処理（ステップＳ１８の処理ではタグ番号の入力を保留した状態で一旦終了してステップＳ１９に進む）を実行し、直ちにステップＳ２１に進まずに、ステップＳ１８の残りの処理（タグ番号の入力）を実行した後に、ステップＳ２１以降の処理に進むようにしてもよい。
【０１１０】
なお、図１０に示した会員証画面において預り票アイコンＧ１２が操作（タップ等）されると、利用者携末５０は、図１１に示すような伝票一覧画面を表示する。伝票一覧画面には、全店舗における伝票の概要が一覧表示されている。
【０１１１】
また、図１１に示した伝票一覧画面において、上から３段目の電子伝票の欄Ｇ２１が操作されると、利用者端末５０は、図１２に示すような伝票詳細画面を表示する。伝票詳細画面は、従来の預り票および領収証に相当する。伝票詳細画面には、伝票一覧画面にて操作された伝票の詳細情報が表示される。
【０１１２】
なお、商品預り時には、図９のステップＳ２６、Ｓ２７の処理を行わずに、利用者の操作があった場合に、ステップＳ２４において更新された伝票一覧画面の画面情報や、ステップＳ２５において生成された伝票詳細画面の画面情報が、管理装置１０から利用者端末５０に送信されるようにしてもよい。
【０１１３】
なお、伝票詳細画面において、「お預り中」は、預り商品情報ファイル（図６）の進行区分「１」〜「５」に対応し、引渡し前の状態であることを示している。「お渡し済」は、預り商品情報ファイル（図６）の進行区分「９」に対応し、引渡し済みの状態であることを示している。なお、利用者端末５０は、複数の商品がある場合には単に仕上り予定日の順に並べてもよいが、「お預り中」と「お渡し済」とが混在している場合には、「お預り中」の商品を優先して表示してもよい。図１２に示す例では、「お預り中」の商品（欄Ｇ３４、欄Ｇ３５の商品）を「お渡し済」の商品（欄Ｇ３６の商品）よりも上側に表示している。また、「お渡し済」の商品（欄Ｇ３６の商品）をグレーアウト表示している。なお、もしも仕上り予定日の順に並べた場合には、欄Ｇ３６の商品は、欄Ｇ３４、欄Ｇ３５の商品よりも上側になる。
なお、戻るアイコンＧ３１は、直前の画面（伝票一覧画面（図１１））に戻るためのボタンである。
【０１１４】
以上によれば、利用者は、伝票一覧画面（図１１）で取引全体（伝票の一覧）の概要を把握し、伝票詳細画面（図１２）で各取引（各伝票）の詳細を確認することができる。
【０１１５】
預り商品は、クリーニング工場に届けられクリーニングが行われる。クリーニングの完了したときには、操作員が、商品が仕上った旨の情報を工場用端末４０に入力し、管理装置１０に送信される。商品が仕上った旨の情報を受信した管理装置１０は、預り商品情報ファイル（図６）の進行区分を更新（具体的には「３（仕上り完了）」に更新）する。また、クリーニングの完了した商品は店舗に届けられる。店舗に届いたときには、店員が、商品が店舗に届いた旨の情報をＰＯＳ端末２０に入力し、管理装置１０に送信される。商品が店舗に届いた旨の情報を受信した管理装置１０は、預り商品情報ファイルの進行区分を更新（具体的には「４（引渡し可能）」に更新）する。更に、商品の引渡しが完了したときには、店員が、商品の引渡しが完了した旨の情報をＰＯＳ端末２０に入力し、管理装置１０に送信される。商品の引渡しが完了した旨の情報を受信した管理装置１０は、預り商品情報ファイルの進行区分を更新（具体的には「９（引渡し完了）」に更新）する。
【０１１６】
また、特定商品について利用者による現状確認が完了していない状態では、預り商品情報ファイル（図６）の進行区分は「２（保留中）」であり、利用者による現状確認が完了した場合に、管理装置１０は、進行区分を更新（具体的には「１（商品預り）」に更新）する。また、利用者から商品の引渡しの予約を受け付けている状態では、進行区分は「５（引渡し予約有）」であり、商品の引渡しが完了した場合に、管理装置１０は、進行区分を更新（具体的には「９（引渡し）」に更新）する。
【０１１７】
図１２に示した例では、進行状況を示す情報は「お預り中」及び「お渡し済」の２種類であったが、進行状況を示す情報は２種類でなくてもよい。一例として、「仕上り前」「仕上り済」「お渡し可能」及び「お渡し済」の４種類としてもよい。「仕上り前」は、進行区分「１」又は「２」に対応し、工場において仕上り前の状態であることを示している。「仕上り済」は、進行区分「３」に対応し、工場において仕上り済みの状態であることを示している。「お渡し可能」は、進行区分「４」に対応し、引渡し可能な状態であることを示している。「お渡し済」は、進行区分「９」に対応し、引渡し済みの状態であることを示している。また、他の例として、進行区分「２」に対応し、クリーニング作業を保留された状態であることを示した「保留中」を表示してもよい。また、進行区分「５」に対応し、引渡しの予約を受け付けている状態であることを示した「引渡し予約中」を表示してもよい。また、ロッカー返却の場合には、例えば「ロッカー返却予約中」などと表示してもよい。「引渡し予約中」や「ロッカー返却予約中」など予約に関する進行状況を表示する場合には更に予約日を表示してもよい。
【０１１８】
続いて、図１３〜図１６を用いて、クリーニングシステム１による商品引渡し時の処理について説明する。なお、図１３〜図１５の説明において、利用者端末５０はスマートフォンであるものとする。一方、図１６の説明では、利用者端末５０は必ずしも携帯可能な端末である必要はない。
【０１１９】
図１３は、商品引渡し時の動作の一例を示すフローチャートである。具体的には、図１３に示したフローチャートは、店舗に来店した利用者に商品を引渡す場合（つまり通常店舗引渡しの場合）における動作の一例を示している。なお、図１３の左側は利用者端末５０の動作を示し、中央はＰＯＳ端末２０の動作を示し、右側は管理装置１０の動作を示している。図１４は、伝票詳細画面（預り票画面、電子預り票）の一例である。図１５、図１６については後述する。
【０１２０】
図１３のステップＳ３０：利用者端末５０は、表示部（タッチパネル）に伝票詳細画面を表示する。つまり、利用者端末５０は、会員証画面上において預り票アイコンＧ１２が操作されることにより、伝票一覧画面を表示し、伝票一覧画面上において所望の伝票の欄が操作（選択）されることにより、所望の伝票の伝票詳細画面が表示される。
【０１２１】
ステップＳ３１：利用者端末５０は、伝票詳細画面において、引渡し商品の選択を受け付ける。具体的には、利用者端末５０は、伝票詳細画面上において商品の欄が操作（タップ等）されることにより、操作された欄の商品を選択する。また、利用者端末５０は、操作された欄の商品（選択した商品の欄）を反転表示する。なお、図１４に示した伝票詳細画面では、最上段の商品の欄Ｇ３３が選択されている様子を示している。なお、「お渡し済」の商品の欄（図１４の欄Ｇ３６）が操作されたとしても、当該商品は選択できない（表示もグレーアウト表示のままである）。
【０１２２】
１つ以上の商品の選択後に、選択完了アイコンＧ３２が操作されると、ステップＳ３２に処理が移る（即ち、引渡し商品の選択が完了する）。
【０１２３】
なお、利用者端末５０は、異なる伝票内の商品を一度に選択可能である。例えば、利用者端末５０は、利用者の操作により、ある伝票の伝票一覧画面において１つ以上の商品を選択した後に、選択完了アイコンＧ３２が操作されることなく、戻るアイコンＧ３１が操作された場合、伝票一覧画面を表示する。続いて、利用者端末５０は、利用者の操作に応じて、伝票一覧画面から他の伝票の伝票詳細画面を表示し、当該他の伝票の伝票詳細画面において１つ以上の商品を選択した後に、選択完了アイコンＧ３２が操作された場合、最初の伝票内の１つ以上の商品と、次の伝票内の１つ以上の商品とを一度に選択する。
【０１２４】
ステップＳ３２：利用者端末５０は、当該利用者、当該利用者が選択した選択商品（引渡し希望商品）を特定可能なバーコードを生成する。具体的には、利用者端末５０は、顧客コード、及び、ステップＳ３１において選択した各商品のタグ番号をバーコード化したバーコードを生成する。
ステップＳ３３：利用者端末５０は、ステップＳ３２において生成したバーコードを表示部に表示する。
【０１２５】
ステップＳ３４：ＰＯＳ端末２０は、店員の操作（動作）により、利用者端末５０の表示部に表示されているバーコードを読み取る。
ステップＳ３５：ＰＯＳ端末２０は、ステップＳ３４において読み取ったバーコードから、当該利用者、当該利用者が選択した選択商品を特定する。具体的には、顧客コード、選択した各商品のタグ番号を特定する。
【０１２６】
ステップＳ３６：ＰＯＳ端末２０は、引渡し希望商品一覧を印字部２７により印字、発行。具体的には、ＰＯＳ端末２０は、各商品のタグ番号を印字した引渡し希望商品一覧を発行する。なお、ＰＯＳ端末２０は、各商品のタグ番号に加えて、顧客コードを印字した引渡し希望商品一覧を発行してもよい。
【０１２７】
なお、店舗の店員は、預り商品を保管しているバックヤードに、ステップＳ３４において発行された引渡し希望商品一覧を持ち込み、引渡し希望商品一覧を確認しながら、引渡し希望商品を探して、利用者に引渡す。
【０１２８】
ステップＳ３７：ＰＯＳ端末２０は、店員の操作により、引渡しの完了を登録する。なお、引渡しの完了の登録は、クリーニングシステム１において、何れの預り商品の引渡しが完了したかを特定できるものであればよい。一例として、ＰＯＳ端末２０は、引渡し可能な夫々の商品（又は、夫々の引渡し希望商品）に対応する確認ボタンを有する所定画面を表示し、店員による所定画面上の確認ボタンの操作（タッチ）を受け付けるようにしてもよい。
【０１２９】
ステップＳ３８：ＰＯＳ端末２０は、店員の操作により、ステップＳ２０迄に取得等した情報を商品引渡し時の取引情報として管理装置１０に送信する。例えば、ＰＯＳ端末２０は、引渡し日時、店舗コード、店員コード、顧客コード、引渡し区分（具体的には引渡し区分「１（通常店舗引渡し）」）、夫々の引渡し商品のタグ番号等を含む、取引情報を管理装置１０に送信する。店舗コード及び店員コードは、上述したように、ＰＯＳ端末２０の記憶部（ＲＡＭ２３、ハードディスク２４）に記憶されている。
【０１３０】
ステップＳ３９：管理装置１０は、商品引渡し時の取引情報をＰＯＳ端末２０から受信する。
ステップＳ４０：管理装置１０は、ステップＳ３９において受信した取引情報に基づいて各種ファイルを更新する。例えば、管理装置１０は、商品情報ファイル内の該当商品の進行区分を更新（具体的には「９（引渡し完了）」に更新）し、引渡し完了日を入力し、更新日時を更新する。また、管理装置１０は、同一伝票内の全部の預り商品について引渡しが完了した場合（全部の商品について進行区分「９」となった場合）には、電子伝票ファイル内の引渡し完了日を入力し、更新日時を更新する。
【０１３１】
ステップＳ４１：管理装置１０は、ステップＳ３９において受信した取引情報に基づいて（つまり、ステップＳ４０において更新した各種ファイル等を参照して）、伝票一覧画面を更新する。なお、伝票一覧画面に表示する情報が変わらない場合（例えば、当該伝票内に引渡しが完了していない商品が存在するため、伝票全体としてはお預り中と表示したままとするような場合）には、管理装置１０は、伝票一覧画面を更新しない。
【０１３２】
ステップＳ４２：管理装置１０は、ステップＳ３９において受信した取引情報に基づいて（つまり、ステップＳ４０において更新した各種ファイル等を参照して）、伝票詳細画面を更新する。なお、伝票詳細画面内の全部の商品の引渡しが完了した場合には、当該伝票詳細画面を削除（当該伝票の画面情報を削除）してもよい。
【０１３３】
ステップＳ４３：管理装置１０は、ステップＳ４１において更新した伝票一覧画面の画面情報、ステップＳ４２において更新した伝票詳細画面の画面情報を利用者端末５０に送信する。
【０１３４】
ステップＳ４４：利用者端末５０は、画面情報を管理装置１０から受信し、受信した画面情報を記憶部に記憶する。そして、図１３のフローチャートは終了する。
【０１３５】
なお、商品引渡し時には、図１３のステップＳ４３、Ｓ４４の処理を行わずに、利用者の操作があった場合に、ステップＳ４１において更新された伝票一覧画面の画面情報や、ステップＳ４２において更新された伝票詳細画面の画面情報が、管理装置１０から利用者端末５０に送信されるようにしてもよい。
【０１３６】
クリーニングシステム１では、商品引渡し時には、図１３のフローチャートに示すように、利用者端末５０が生成したバーコードをＰＯＳ端末２０が読み取ることで、引渡し希望商品一覧の印字、発行を簡便に行うことが可能になり、業務効率が向上する。
【０１３７】
特に、クリーニングシステム１では、複数の引渡し可能な商品のうちの一部の商品について引渡しを希望する利用者が来店した場合に有効である。つまり、例えば特許文献１の技術では、上述のような利用者が来店した場合、利用者の口頭の指示により引渡し希望商品を特定したり、バックヤードから引渡し希望商品を探し出すためにはタグ番号をメモ用紙にひかえたりする必要があり、業務効率的が著しく低下する。一方、クリーニングシステム１では、利用者が利用端末５０においてバーコードを提示すれば、全部の商品について引渡しを希望する場合と同様に一部の商品について引渡しを希望する場合にも、引渡し希望商品一覧が出力されるため、利用者の口頭の指示やメモも不要であり、業務効率が向上する。
【０１３８】
更に、クリーニングシステム１では、商品引渡し時には、図１３のフローチャートに示すように、利用者端末５０が生成したバーコードをＰＯＳ端末２０が読み取ることで、引渡しを希望する利用者が実際に店舗に来店しているかの来店確認を行うことができる。
【０１３９】
また、引渡し希望商品一覧の印字、発行と来店確認とを共通の処理（バーコードを生成し生成したバーコードを読み取るという共通の処理）により実現しているため、例えば、引渡し希望商品一覧に基づいて商品を探し出した後に、商品を引渡すべき利用者が実際には来店していなかったというような非効率な状況が生じなくなる。
【０１４０】
図１５は、商品引渡し時の他の動作の一例を示すフローチャートである。なお、図１５に示したフローチャートは、図１３に示したフローチャートの一部（破線Ａ）を置き替えたものである。具体的には、来店確認を行うために、図１３に示したフローチャート（破線Ａの部分）ではバーコードを用いているが、図１５に示したフローチャート（破線Ａの部分）ではワンタイムパスワード（例えば、数桁の文字列等）を用いている点が異なる。
【０１４１】
図１５のステップＳ１３２：利用者端末５０は、図１３のステップＳ３１に続いて、ワンタイムパスワード（ＯＴＰ）を生成する。例えば、利用者端末５０は、任意の桁数（例えば２桁）の数字で構成されるワンタイムパスワードを生成する。なお、利用者端末５０にインストールされているクリーニングアプリには、乱数発生器が実装されているものとする。
【０１４２】
ステップＳ１３３：利用者端末５０は、当該利用者を特定可能な情報、当該利用者が選択した選択商品（引渡し希望商品）を特定可能な情報、ＯＴＰを管理装置１０に送信する。具体的には、利用者端末５０は、顧客コード、ステップＳ３１（図１３参照）において選択した各商品のタグ番号、及び、ステップＳ１３２において生成したＯＴＰを管理装置１０に送信する。
ステップＳ１３４：管理装置１０は、利用者を特定可能な情報、当該利用者が選択した選択商品（引渡し希望商品）を特定可能な情報、ＯＴＰを利用者端末５０から受信して記憶する。具体的には、管理装置１０は、顧客コード、各商品のタグ番号、及び、ＯＴＰを利用者端末５０から受信して記憶する。
【０１４３】
ステップＳ１３５：利用者端末５０は、ステップＳ１３３において生成したＯＴＰ（例えば、「１８」等）を表示部に表示する。なお、利用者は、利用者端末５０の表示部に表示されているＯＴＰを店員に伝える。店員にＯＴＰを伝える方法は、例えば口頭で店員に伝える方法、表示部に表示されているＯＴＰを店員に見せる方法などである。
【０１４４】
ステップＳ１３６：店員の操作により、ＰＯＳ端末２０は、利用者端末５０の表示部に表示されているＯＴＰを取得する。一例として、ＰＯＳ端末２０は、ＯＴＰの入力欄を有する所定画面を表示し、店員による入力欄へのＯＴＰ（利用者から伝えられたＯＴＰ）の入力を受け付けるようにしてもよい。
ステップＳ１３７：ＰＯＳ端末２０は、店員の操作により、ステップＳ１３６において取得したＯＴＰを管理装置１０に送信する。
ステップＳ１３８：管理装置１０は、ＯＴＰをＰＯＳ端末２０から受信して記憶する。
【０１４５】
ステップＳ１３９：管理装置１０は、２つのＯＴＰを照合する。つまり、管理装置１０は、ステップＳ１３４において利用者端末５０から受信したＯＴＰと、ステップＳ１３８においてＰＯＳ端末２０から受信したＯＴＰが一致するか否かを判定する。なお、一致した場合にはステップＳ１４０に進むが、不一致の場合には処理を終了する。
ステップＳ１４０：管理装置１０は、ステップＳ１３４において受信した選択商品（引渡し希望商品）を特定可能な情報（具体的には、各商品のタグ番号）をＰＯＳ端末２０に送信する。
【０１４６】
ステップＳ１４１：ＰＯＳ端末２０は、選択商品（引渡し希望商品）を特定可能な情報（具体的には、各商品のタグ番号）を管理装置１０から受信する。
【０１４７】
図１５に示したフローチャートによれば、管理装置１０は、利用者端末５０から直接取得したＯＴＰと、ＰＯＳ端末２０を経由して取得したＯＴＰとを照合し、引渡しを希望する利用者が実際に店舗に来店しているかの来店確認を行っている。つまり、ステップＳ１３６において、ＰＯＳ端末２０は、店員の操作により、利用者端末５０の表示部に表示されているＯＴＰを取得しているが、利用者が実際に店舗に来店しているからこそステップＳ１３６の処理が可能になるため（利用者が実際に店舗に来店していなければステップＳ１３６の処理は不可能であるため）、来店確認が確実に行われることになる。
【０１４８】
なお、来店前に利用者が引渡し希望商品を選択した場合、利用者端末５０はＯＴＰ等を管理装置１０に送信するため、管理装置１０は、来店前の利用者の利用者端末５０からＯＴＰを取得することになる。一方、当該利用者が来店する迄は、管理装置１０は、ＰＯＳ端末２０からＯＴＰを取得し得ない。従って、来店前に利用者が引渡し希望商品を選択した場合には、管理装置１０は、利用者端末５０からＯＴＰ等を取得した後（ステップＳ１３７の処理を実行した後）に、処理が止まることになる。これに対応するため、例えば、ステップＳ１３３において、利用者端末５０は、利用者の操作があった場合にＯＴＰ等を管理装置１０に送信し、利用者の操作がない場合にはＯＴＰ等を管理装置１０に送信しないようにしてもよい。また例えば、管理装置１０が、ステップＳ１３４の処理の実行後（利用者端末５０からＯＴＰ等の受信後）、所定期間内（例えば５分間）に、ステップＳ１３８の処理を実行しない場合（ＰＯＳ端末２０からＯＴＰを受信しない場合）には、処理を終了するようにしてもよい。
【０１４９】
図１６は、商品引渡し時の他の動作の一例を示すフローチャートである。なお、図１６に示したフローチャートは、図１３に示したフローチャートの一部（破線Ａ）を置き替えたものである。なお、図１３に示したフローチャートの一部を図１６に示したフローチャートに置き換える場合（即ち、図１３に示したフローチャート（一部を除く）と図１６に示したフローチャートとを合わせたフローチャートの場合）、利用者端末５０は、スマートフォンなどの携帯可能な端末である必要はない（即ち、利用者端末５０は、例えば、スマートフォンであってもよいし、自宅などに据え置かれるパーソナルコンピュータであってもよい）。
【０１５０】
図１６のステップＳ２３２：利用者端末５０は、図１３のステップＳ３１に続いて、当該利用者を特定可能な情報、当該利用者が選択した選択商品（引渡し希望商品）を特定可能な情報を管理装置１０に送信する。具体的には、利用者端末５０は、顧客コード、ステップＳ３１（図１３参照）において選択した各商品のタグ番号を管理装置１０に送信する。
ステップＳ２３３：管理装置１０は、利用者を特定可能な情報、当該利用者が選択した選択商品（引渡し希望商品）を特定可能な情報を利用者端末５０から受信する。具体的には、管理装置１０は、顧客コード、各商品のタグ番号を利用者端末５０から受信する。
【０１５１】
ステップＳ２３４：管理装置１０は、利用者を特定可能な情報、当該利用者が選択した選択商品（引渡し希望商品）を特定可能な情報をＰＯＳ端末２０に送信する。具体的には、管理装置１０は、ステップＳ２３３において受信した、顧客コード、各商品のタグ番号をＰＯＳ端末２０に送信する。
ステップＳ２３５：ＰＯＳ端末２０は、利用者を特定可能な情報、当該利用者が選択した選択商品（引渡し希望商品）を特定可能な情報を管理装置１０から受信する。具体的には、ＰＯＳ端末２０は、顧客コード、各商品のタグ番号を管理装置１０から受信する。
【０１５２】
図１６に示したフローチャートによれば、利用者の来店前に、引渡し希望商品一覧を印字、発行することができるため（つまり利用者の来店前に引渡し商品をバックヤードから探し出すことができるため）、店舗における利用者の待ち時間を短縮することができる。なお、店員は、利用者の待ち時間が更に短くなるように、バックヤードから探し出した商品を袋に入れるなりして纏めておくとよい（誰に引渡す商品であるかも直ぐに分かるようしておくとよい）。なお、図１６に示した例は、予約区分「３（予約有（クリーニングアプリ））による通常店舗引渡し（引渡し区分「１」）である。
【０１５３】
図１７は、商品引渡し時の他の動作（店舗携帯端末３０を用いる場合の動作）の一例を示すフローチャートである。なお、図１７に示したフローチャートは、図１３に示したフローチャートの一部（破線Ｂ）を置き替えたものである。なお、図１７の中央はＰＯＳ端末２０の動作を示し、右側は店舗用携帯端末３０の動作を示している。
【０１５４】
図１７のステップＳ３３６：ＰＯＳ端末２０は、図１３のステップＳ３５（又は、図１５のステップＳ１４１、又は、図１６のステップＳ２３５）に続いて、選択商品を特定可能な情報（具体的には、各商品のタグ番号）を店舗携帯端末３０に送信する。
【０１５５】
ステップＳ３３７：店舗携帯端末３０は、選択商品を特定可能な情報（具体的には、各商品のタグ番号）をＰＯＳ端末２０から受信する。
ステップＳ３３８：店舗携帯端末３０は、ステップＳ３３７において受信した選択商品を特定可能な情報（具体的には、各商品のタグ番号）を表示部に表示する。例えば、ＰＯＳ端末２０が印字、発行する引渡し希望商品一覧（図１３のＳ３６参照）と同様の情報を表示部に表示してもよい。
【０１５６】
図１６に示したフローチャートによれば、バックヤードへの持ち込みが可能な店舗携帯端末３０の表示部に、クリーニングシステム１においてＰＯＳ端末２０が印字、発行する引渡し希望商品一覧と同様の情報を表示することができるため、クリーニングシステム１と同様、業務効率が向上する。
【０１５７】
（販促活動）
上記実施形態において、特定の条件を満たす利用者（例えば、前月に会員登録した新規の利用者、ランクＳの利用者、誕生日が近い利用者等）に、販促活動を行ってもよい。
【０１５８】
例えば、管理装置１０は、顧客マスタファイル（図３（Ａ））や、顧客実績集計ファイル（図３（Ｂ））を参照し、特定の条件を満たす利用者を抽出し、抽出した利用者に対し、クリーニングアプリを用いてメッセージを送信したり、電子メールを送信したり、ダイレクトメール（ＤＭ）を発送したりしてもよい。また、キャンペーン期間を設定して、クリーニングシステム１において利用可能なポイント（図３（Ｃ）のポイント）やクーポン（図４のクーポン）を贈与してもよい。
【０１５９】
なお、管理装置１０から利用者端末５０にメッセージや電子メールを送信することに代えて、ＰＯＳ端末２０から利用者端末５０（例えば、来店した利用者の利用者端末５０）にメッセージ等を送信してもよい。なお、ＰＯＳ端末２０から利用者端末５０にメッセージ等を送信する態様（ＰＯＳ端末２０から利用者端末５０に広告情報を送信する態様も同様）では、管理装置１０が特定の条件（当該店舗において会員登録した利用者であることを追加の条件としてもよい）を満たす利用者を抽出し抽出結果をＰＯＳ端末２０に送信してもよいし、ＰＯＳ端末２０自身が管理装置１０が記憶する顧客マスタファイルにアクセスするなどして特定の条件（自店舗において会員登録した利用者であることを追加の条件としてもよい）を満たす利用者を抽出してもよい。
【０１６０】
また、管理者装置１０から広告情報を送信することにより、利用者端末５０（例えば、会員証画面、伝票一覧画面、伝票詳細画面の少なくとも１つの画面）に広告を表示させるようにしてもよい。利用者端末５０における広告は、紙のレシートによる広告などと比べ露出回数が多いため、紙のレシートと比べ広告効果が高い。なお、管理者装置１０は、各種ファイル（顧客マスタファイル、顧客実績ファイル、ポイント管理ファイル、クーポン販売実績ファイル、クーポン利用実績ファイルなど）を参照し、利用者毎に広告情報の送信の有無を決定したり、利用者毎に異な内容の広告情報を送信したりしてもよい。
【０１６１】
なお、管理装置１０から利用者端末５０に広告情報を送信することに代えて、ＰＯＳ端末２０から利用者端末５０（例えば、来店した利用者の利用者端末５０）に広告情報を送信してもよい。
【０１６２】
なお、管理者装置１０が利用者端末５０に広告情報を送信する場合（ＰＯＳ端末２０が利用者端末５０に広告情報を送信しない場合）には、管理者装置１０は、どの利用者にどういった内容の広告情報を送信したか（又は送信するか）を示す情報をＰＯＳ端末２０に送信してもよい。例えば、管理者装置１０は、ある利用者に広告情報を送信した後（又は送信するとき又は送信する前）に、当該利用者が主に利用している店舗（例えば、会員登録した登録店等）のＰＯＳ端末２０に、当該利用者に送信した広告情報（又は、当該利用者に送信した広告情報を要約した情報）を送信してもよい。これにより、店員による広告に連動した声掛けも可能になるとともに、利用者から広告に関する問い合わせにより初めて広告について認識するといった事態が生じ難くなる。
【０１６３】
（袋詰預り）
上記実施形態においては、袋詰めによる商品預り（袋詰預り）が可能である。具体的には、上述した、スピード預り（預り区分「２」）、ロッカー預り（預り区分「４」）が袋詰預りに該当する。なお、集荷場所において袋詰めされた商品を受け付ける場合には集荷預り（預り区分「３（）」）も袋詰預りに該当する。
【０１６４】
袋詰預りの特長は、商品の検品や精算のために利用者を待たせないことである。しかし、商品預り時に利用者と対面して検品を行わないため（袋から商品を取り出すときに店員が単独で検品を行うため）、利用者との間において預り商品の認識に齟齬が生じ、実際には預けていないにも関わらず、利用者の記憶違いにより、利用者からクリーニング店側が商品を紛失したのではないかといったクレームを付けられるトラブルが生じる虞がある。上述のような利用者の記憶違いというのは、商品の預り時から余り時間が経過していなければ、基本的には生じ難く、また仮に生じたとしても誤りに気付く可能性が高い。
【０１６５】
従って、上記実施形態では、袋詰預りの場合、店員が袋から取り出した商品を検品しつつＰＯＳ端末２０に登録すると、直ちに、取引情報がＰＯＳ端末２０から管理装置１０に送信され、直ちに、管理装置１０において各種の処理（例えば、図９のステップＳ２３〜Ｓ２６の処理）を行うようにしている。これにより、商品預り時に検品を行わない袋詰預りであっても、早期に（店員が袋から商品を取り出して検品を行えば）、利用者が、伝票詳細画面上において預り商品の内訳を確認することができるようになるため、利用者の記憶違いも生じ難くなり、トラブルのリスクが低減する。
【０１６６】
（商品引渡し時の精算）
上述の袋詰預りの場合、精算は、商品預り時ではなく商品引渡し時に行われる。従って、円滑かつ確実な代金の回収が課題になる。
【０１６７】
上記実施形態では、クレジットカード決済、プリペイド決済、ポイント決済が可能である。具体的には、管理装置１０は、利用者端末５０に伝票詳細画面等を送信するときに（図９のステップＳ２６）、伝票詳細画面等に加え、決済方法（クレジットカード決済、プリペイド決済、クーポン決済、ポイント決済）を選択させる画面を送信し、利用者端末５０からの決済方法の応答を受信する。なお、管理装置１０は、伝票詳細画面等の送信とは別のタイミングに、決済方法を選択させる画面を送信してもよい。
【０１６８】
また、クリーニング工場におけるクリーニングは、管理装置１０が利用者端末５０から決済方法の応答を受信した後（利用者が選択した決済方法により実際に決済が完了した後）に、開始するようにしてもよい。つまり、管理装置１０は、少なくとも、クリーニング工場におけるクリーニングを開始する前に、決済方法を選択させる画面を送信するようにしてもよい。
【０１６９】
なお、管理装置１０は、決済サーバ（非図示）と通信する機能を有し、決済サーバと通信し、クレジットカード決済が行われる。
管理装置１０は、プリペイドカードに関する情報（非図示）を管理しており、利用可能残高を確認し、プリペイド決済が行われる。
管理装置１０はクーポンに関する情報（図４（Ａ）（Ｂ））を管理しており、残数を確認し、クーポン決済が行われる。
管理装置１０はポイント情報（図３（Ｃ））を管理しており、利用可能ポイント数を確認し、ポイント決済が行われる。
【０１７０】
なお、利用者が選択した決済方法による決済が実行できない事態（例えば、利用者が選択した決済方法がプリペイド決済の場合、プリペイド決済における利用可能残高が不足している場合やそもそもプリペイドとしての入金がなかった場合等、クーポン決済、ポイント決済についても同様）に備えて、複数の決済方法の選択を受け付けるようにしてもよい。また、複数の決済方法の選択を受け付ける場合には、決済方法の優先順位の指定を受け付けるようにしてもよい。なお、利用者の指定が、クーポン決済→ポイント決済→クレジットカード決済という優先順位であった場合には、クーポン決済を実行し、ポイント決済では回収できない不足料金分についてはポイント決済を実行し、クーポン決済及びポイント決済では回収できない不足料金分についてクレジットカード決済を実行してもよい。
【０１７１】
なお、利用可能ポイントについては、利用者は利用者端末５０において確認可能であるが（例えば、図１０に示すように会員証画面において表示されているが）、プリペイドの利用可能残高や、クーポンの残数についても、利用者が利用者端末５０において確認できるようにしてもよい。
【０１７２】
（他の商品預り態様）
商品を利用者から預かる態様として、図９に例示した態様は、店舗において利用者と店員が対面して行う態様（預り区分「１（通常店舗預り）」）であるが、上述したように、利用者から商品を預かる態様は、店舗において利用者と店員が対面して行う態様に限定されない。上述したように、店舗において袋詰めされた商品を預かる態様（預り区分「２（スピード預り）」や、店舗以外の場所（自宅、コンビニエンスストア等）において商品を預かる態様（預り区分「３（集荷預り）」）や、ロッカーを介して袋詰めされた商品を預かる態様（預り区分「４（ロッカー預り）」）もある。
【０１７３】
（他の商品引渡し態様）
預り商品を利用者に引渡す態様として、図１３、図１５、図１６及び図１７に例示した態様は、何れも、店舗において利用者と店員が対面して行う態様（引渡し区分「１」）であるが、上述したように、預り商品を利用者に引渡す態様は、店舗において利用者と店員が対面して行う態様に限定されない。上述したように、店舗以外の場所（自宅、コンビニエンスストア等）において預り商品を引渡す配達引渡し（引渡し区分「２」）や、ロッカーを介して預り商品を引渡すロッカー引渡し（引渡し区分「３」）もある。
【０１７４】
配達引渡しは、利用者による配達引渡し指示（配達引渡しを希望する旨の要求）に基づいて行われる。なお、利用者から以降の商品引渡しについて全て配達引渡しとする旨の指示を受け付けることにより、都度の商品引渡し指示を省略してもよい。店舗の店員は、配達引渡し指示に基づいて、指示された配達日に、指示された配達場所に配達商品を配達する。
【０１７５】
なお、来店時に配達引渡し指示を受け付けた場合、ＰＯＳ端末２０から管理装置１０に送信される取引情報に基づいて、電子伝票ファイルには予約区分「１（店舗にて予約）」、引渡し区分「２（配達引渡し）」が記憶される。また、電話にて配達引渡し指示を受け付けた場合には、予約区分「２（電話にて予約）」、引渡し区分「２（配達引渡し）」が記憶される。また、クリーニングアプリにて配達引渡し指示を受け付けた場合には、予約区分「３（アプリにて予約）」、引渡し区分「２（配達引渡し）」が記憶される。
【０１７６】
ロッカー引渡し（ロッカー返却）は、利用者によるロッカー引渡し指示（ロッカー引渡しを希望する旨の要求）に基づいて行われる。店舗の店員は、ロッカー引渡し指示に基づいて、ロッカー返却商品（ロッカー引渡しの対象となる預り商品）を返却日（ロッカー引渡しを行う日）の前日にロッカーに入れて施錠し、利用者は、返却日に店員を介さずにロッカーから商品を取り出す。
【０１７７】
なお、来店時にロッカー引渡し指示を受け付けた場合、ＰＯＳ端末２０から管理装置１０に送信される取引情報に基づいて、電子伝票ファイルには予約区分「１（店舗にて予約）」、引渡し区分「３（ロッカー引渡し）」が記憶される。また、電話にてロッカー引渡し指示を受け付けた場合には、予約区分「２（電話にて予約）」、引渡し区分「３（ロッカー引渡し）」が記憶される。また、クリーニングアプリにてロッカー引渡し指示を受け付けた場合には、予約区分「３（アプリにて予約）」、引渡し区分「３（ロッカー引渡し）」が記憶される。
【０１７８】
（利用者の来店の確認）
利用者の来店の確認方法は、上述した確認方法に限定されない。例えば、利用者端末５０にて都度生成されるＯＴＰとは異なり、利用者端末５０と管理装置１０との間において予め定められた文字列を用いて利用者の来店を確認してもよい。
【０１７９】
また、利用者端末５０がＢｌｕｅｔｏｏｔｈ（登録商標）機能を備える場合には、Ｂｌｕｅｔｏｏｔｈを用いて利用者の来店を確認してもよい。例えば、店舗側にＢｌｕｅｔｏｏｔｈ対応機器を設置しておき、店舗のＢｌｕｅｔｏｏｔｈ対応機器とＢｌｕｅｔｏｏｔｈにより接続した利用者端末５０を識別することにより、当該利用者端末５０を所持する利用者の来店があったと判断してもよい。店舗側に、無線ＬＡＮのルータや、漏洩同軸ケーブルを設置して、同様に、利用者の来店を確認してもよい。
【０１８０】
また、利用者端末５０がＧＰＳ機能を備える場合には、ＧＰＳ機能を用いて利用者の来店を確認してもよい。例えば、管理装置１０が、利用者端末５０の位置情報を取得し、店舗ファイル（図７（Ｂ））に記憶している店舗の位置と比較し、利用者端末５０の位置情報が店舗の所在地（緯度経度）と一致（又はある範囲内で一致）した場合、当該利用者端末５０を所持する利用者の来店があったと判断してもよい。
【０１８１】
なお、上記実施形態では、引渡し希望商品を利用者端末５０において選択する例を説明したが、他の装置（例えば、ＰＯＳ端末２０や店舗携帯端末３０）においても選択できるようにしてもよい。つまり、店員が、利用者の利用者端末５０を操作することなく利用者に代わって商品を選択できるようにしてもよい。これにより、利用者が、クリーニングアプリの操作に不慣れであったり、利用者端末５０を店員が触わることに抵抗があったりした場合であっても、預り商品の引渡しを円滑に行うことができる。
【０１８２】
また、上記実施形態では、利用者端末５０は、伝票一覧画面において「お預り中」の伝票も「お渡し済」の伝票も表示しているが（図１１参照）、利用者の操作により、「お預り中」の伝票のみを表示したり、「お渡し済」の伝票のみを表示したりしてもよい。なお、「お預り中」の伝票のみを表示しているときには「お預り中」の伝票のみを表示している旨（メッセージ、マーク等）を表示し、「お渡し済」の伝票のみを表示しているときには「お渡し済」の伝票のみを表示している旨を表示してもよい。
【０１８３】
また、上記実施形態では、利用者端末５０は、伝票詳細画面において「お預り中」の商品も「お渡し済」の商品も表示しているが（図１２等参照）、利用者の操作により、「お預り中」の商品のみを表示したり、「お渡し済」の商品のみを表示したりしてもよい。なお、「お預り中」の商品のみを表示しているときには「お預り中」の商品のみを表示している旨（メッセージ、マーク等）を表示し、「お渡し済」の商品のみを表示しているときには「お渡し済」の商品のみを表示している旨を表示してもよい。
【０１８４】
なお、クリーニングの完了した預り商品を長期間（例えば半年間以内）保管するサービスを提供する場合において、保管予定の商品や保管中の商品に関連し、引渡し希望商品の選択操作に制限を設けるようにしてもよい。例えば、伝票詳細画面において、保管予定の商品や保管中の商品については、非表示やグレーアウト表示にするなどして、利用者が引渡し希望商品として選択できないようにしてもよい。あるいは、保管予定の商品や保管中の商品を選択した場合には、選択した商品が保管予定の商品（又は保管中の商品）であるため引渡しができない旨のメッセージを表示してもよい。なお、保管予定の商品や保管中の商品を選択した場合に、保管を維持するか（つまり引渡しの選択をキャンセルし無効とするか）、保管を中止し引渡しとするか（つまり引渡しの選択を有効とするか）を選択させ、保管を中止し引渡しとする旨の選択があった場合には、引渡しができるようにしてもよい。上記によれば、利用者が、誤って（意に反して）、保管を望んでいる商品を引き取ってしまうようなことがなくなるため、利用者の満足度の低下を防止することができる。
【０１８５】
なお、クリーニング工場において利用者へのコメント（付加情報）を入力してもよい。例えば、工場用端末４０に、特定商品（汚れや、ほつれ等がある商品）に関連するコメントとして例えば「新しいボタンを付けました」というコメントや「シミが多少残りました」というコメントを入力してもよいし、特定商品とは無関係に「ポケットに物が入っていました」というコメントを入力してもよい。工場用端末４０は、入力情報（コメント）を管理装置１０に送信し、管理装置１０は利用者端末５０に送信する。なお、管理装置１０は、利用者端末５０に代えて又は加えてＰＯＳ端末２０にコメントを送信してもよい。また、管理装置１０は、工場用端末４０から取得したコメントを、例えば預り商品情報ファイルに記憶してもよい。
【０１８６】
なお、クリーニングが完了した預り商品に電子タグを取り付けるとともにリーダーで夫々の電子タグを検出することにより夫々の預り商品の位置を取得し、夫々の預り商品の保管位置として記憶（例えば、夫々の預り商品のタグ番号に対応付けて保管位置を記憶）しておく。そして、商品を引渡す際には、ＰＯＳ端末２０（又は店舗携帯端末３０）は、引渡し希望商品の保管位置を表示部に表示（例えば、バックヤードのフロアレイアウト画像上に保管位置を表示等）してもよい。これにより、店員は、バックヤードに保管されている多数の預り商品のなかから所望の商品（引渡し希望商品）を見つけやすくなる。
【０１８７】
また、バックヤード内の複数の保管位置の夫々にランプ（ＰＯＳ端末２０や店舗携帯端末３０の制御により動作可能なランプ）を配置するとともに、店員は、クリーニングが完了した夫々の預り商品の保管位置をＰＯＳ端末２０（又は店舗携帯端末３０）に記憶（例えば、夫々の預り商品のタグ番号に対応付けて保管位置を記憶）しておく。そして、商品を引渡す際には、ＰＯＳ端末２０（又は店舗携帯端末３０）は、引渡し希望商品の保管位置に対応するランプを点灯させるなどしてもよい。
【０１８８】
また、店舗携帯端末３０に設けられているカメラを用いて画像認識を行うことにより、バックヤードから所望の商品を見つけるようにしてもよい。例えば、店員は、利用者から商品を預かった際（又はクリーニング完了後店舗に戻って際）に、夫々の預り商品の画像を撮像（例えば店舗携帯端末３０のカメラにより撮像）し、夫々の預り商品の画像として記憶（例えば、夫々の預り商品のタグ番号に対応付けて撮像画像を記憶）しておく。そして、商品を引渡す際には、店舗携帯端末３０に設けられているカメラをバックヤードに保管されている商品に向けてスルー画像を取得し、引渡し希望商品の画像（ＰＯＳ端末２０等から受信したタグ番号等に対応する画像）と一致するかを判定し、引渡し希望商品の画像と一致するスルー画像を得られる預り商品を引渡し希望用品として特定してもよい。
【０１８９】
図１８は、ロッカーの一例を示した外観斜視図である。クリーニングシステム１において使用されるロッカーは、商品預り時に使用するロッカー（即ちロッカー受付において使用するロッカー）と、商品引渡し時に使用するロッカー（即ちロッカー返却において使用するロッカー）とがある。図１８（Ａ）は、ロッカー受付においてのみ使用する専用のロッカー（以下、受付専用ロッカーと称する場合がある）１００の外観斜視図である。図１８（Ｂ）は、ロッカー受付及びロッカー返却の両方において使用するロッカー（以下、共通ロッカーと称する場合がある）２００の外観斜視図である。図１８（Ｃ）は、ロッカー返却においてのみ使用する専用のロッカー（以下、返却専用通ロッカーと称する場合がある）３００の外観斜視図である。
【０１９０】
（受付専用ロッカー）
受付専用ロッカー１００は、例えば、図１８（Ａ）に示すように、商品を投入するための投入口１０１、投入口から投入された商品を回収する回収部１０２、カードを挿入し排出するカード挿入排出口１０３、種々の情報を表示する表示部１０４、入力操作を受け付ける入力操作部１０５、バーコード等を読み取って認識するコード認識部１０６、レシート等の媒体を発行する発行口１０７、記憶部（非図示）、表示部１０４における表示や投入口扉（後述）の施錠等を制御する制御部（非図示）を備える。なお、受付専用ロッカー１００は、必ずしも、上述した全部の構成を備えていなくてもよい。例えば、入力操作部１０５とコード認識部１０６のうちの何れか一方を備え、他方を備えていなくてもよい。
【０１９１】
投入口１０１には、暖簾型の扉（以下、投入口扉という）が設けられている。投入口扉は、施錠可能である。投入口扉が解錠状態であるときには、利用者は商品（預ける商品）を投入口１０１に投入することができる。一方、投入口扉が施錠状態であるときには、利用者は商品を投入口１０１に投入することができない。投入口扉は、通常時は施錠状態であり、所定条件が成立した場合に解錠され、商品の投入後に再度施錠される。
【０１９２】
投入口扉を解錠する所定条件としては種々の条件が考えられる。例えば、カード挿入排出口１０３に挿入されたカード（例えば、会員カード等）の情報、入力操作部１０５に入力された情報（例えば、暗証番号等）のうちのいずれか一方又は両方に基づいて認証を行い、認証ＯＫの場合に投入口扉を解錠してもよい。また、コード認識部１０６によって認識された情報（例えば、会員証画面に表示されたバーコードＧ１１、会員カードに印刷されたバーコードの情報等）に基づいて認証を行い、認証ＯＫの場合に投入口扉を解錠してもよい。また、コード認識部１０６によって認識された情報と、入力操作部１０５に入力された情報とに基づいて認証を行い、認証ＯＫの場合に投入口扉を解錠してもよい。
【０１９３】
商品の投入を認識する方法としては種々の方法が考えられる。例えば、投入口扉が、通常の状態（自重により面が鉛直となっている状態）であるか否かを検出可能なセンサ（換言すれば、投入口扉が奥側に押されている状態か否かを検出可能なセンサ）を設けることにより、当該センサの検出結果に基づいて商品の投入を認識してもよい。なお、商品投入後には、奥側に押されていた投入口扉は、自重により元の状態（通常の状態）に戻るが、元の状態に戻った後に元の状態が所定時間（同一利用者による複数回の投入動作がある場合でも全部の投入動作が終了したとみなせる時間。例えば１０秒）維持された場合に投入口扉を施錠（自動ロック）してもよい。
【０１９４】
回収部１０２内にはキャスター付のカゴが収まるようになっている。つまり、投入口１０１に投入された商品は、キャスター付のカゴ内に収まるようしている。また、回収部１０２内の商品（キャスター付カゴ）は、前面からも背面からも取り出しが可能である。
【０１９５】
回収部１０２には、商品と取り出し可能な位置に、扉（以下、回収部扉という）が設けられている。回収部扉は、施錠可能である。回収部扉が解錠状態であるときには、店舗の店員等は回収部１０２から商品（キャスター付カゴ）を取り出すことができる。一方、回収部扉が施錠状態であるときには店舗の店員等は回収部１０２から商品を取り出すことができない。投入口扉は、通常時は施錠状態であり、店舗の店員等が管理する鍵により解錠され、商品の取り出し後に再度施錠される。
【０１９６】
なお、回収部１０２内の商品（キャスター付カゴ）は、前面からも背面からも取り出しが可能であると説明したが、例えば、回収部１０２の前面側を店舗外に、背面側を店舗内に通じるようにすれば、店舗内においてキャスター付カゴを取り出すことができるため、店舗外において取り出したキャスター付カゴを店舗内に移動させるといった作業が不要になる。つまり、前面側が店舗外に、背面側が店舗内になるように受付専用ロッカー１００を設置すれば、回収部１０２内の商品は、前面からも背面からも取り出しが可能であるため、商品の取り出しの作業を効率的に行うことができる。
【０１９７】
また、店内側（背面）において、店舗外（前面）から投入口に投入された商品を、自動的に（キャスター付カゴを回収部１０２内に入れる等の準備や商品を載せたキャスター付カゴを回収部１０２内から取り出すといいった作業を行うことなく）、回収できるようにしてもよい。例えば、店外側から投入された商品が店内側に自然に移動するように回収部１０２内の底部を傾斜させるとともに、店内側には回収扉を設けることなく単に開口部としてもよい。これにより、店外側から投入された商品が店内側の開口部に自動的に滑り落ちるようなるため、回収部１０２の容量（体積）を気にしなくてもよくなる（例えば、利用者はいつでも商品を投入することができる。また、店員は、回収部１０２内から、適宜の商品の取り出しを行わなくても済むようになる）。なお、開口部から滑り落ちる商品を受け止めるように、開口部の下に、大きめのキャスター付カゴ等を置いておけばよい。
【０１９８】
なお、商品が店内側に移動し易くするために、傾斜部（底部）の材質を滑り易い材質（摩擦係数が小さい材質）にしてもよい（滑り易くなるように、表面をメッキ、コーティング等してもよい）。また、材質（コーティング等含む）に代えて又は加えて、回転体を使用してもよい。例えば、傾斜部の一部に円柱状のもの（ローラー）や球状のものを埋め込んでもよいし、傾斜部の全体に埋め込んでもよい（ローラーや球が傾斜部の表面を形成するようにしてもよい）。
【０１９９】
なお、回収部扉は、鍵ではなく、投入口１０１に設けられている投入口扉と同様、所定条件が成立した場合に解錠されるものであってもよい。
【０２００】
回収部扉を解錠する所定条件としては種々の条件が考えられる。例えば、カード挿入排出口２０３に挿入されたカード（例えば、店舗の店員等が管理する管理者カード等）の情報、入力操作部１０５に入力された情報（例えば、暗証番号等）のうちのいずれか一方又は両方に基づいて認証を行い、認証ＯＫの場合に回収部扉を解錠してもよい。なお、更に安全を期すため、店舗の店員等が管理する鍵と上述の認証とを併用し、回収部扉を解錠してもよい。
【０２０１】
なお、受付専用ロッカー１００は、他の装置（例えば、ＰＯＳ端末２０、管理装置１０等）と通信可能であってもよい。つまり、受付専用ロッカー１００は、通信部（非図示）を備えていてもよい。
【０２０２】
受付専用ロッカー１００が他の装置と通信できる場合（通信部を備える場合）には、例えば、管理装置１０は、定期的に（例えば毎日）、入力操作部１０５に入力するための情報（暗証番号）を生成し、生成した情報を利用者端末５０及び受付専用ロッカー１００に送信してもよい。つまり、投入口扉を解錠する所定条件として、利用者は、利用者端末５０にて確認した情報（管理装置１０において生成された暗証番号）を入力操作部１０５に入力し、受付専用ロッカー１００は、管理装置１０から送信された情報と、入力操作部１０５に入力された情報とを比較し、認証を行ってもよい。例えば、管理装置１０は、定期的に（例えば毎日）、入力操作部１０５に入力するための情報（暗証番号）を生成し、生成した情報をＰＯＳ端末２０及び受付専用ロッカー１００に送信してもよい。つまり、回収部扉を解錠する所定条件として、店舗の店員等は、ＰＯＳ端末２０（又は店舗用携帯端末３０）にて確認した情報（管理装置１０において生成された暗証番号等）を入力操作部１０５に入力し、受付専用ロッカー１００は、管理装置１０から送信された情報と、入力操作部１０５に入力された情報とを比較し、認証を行ってもよい。
【０２０３】
また、受付専用ロッカー１００が他の装置と通信できる場合には、例えば、回収部扉を解錠する所定条件として、ＰＯＳ端末２０が、ＯＴＰを生成し、当該ＯＴＰをバーコード化したバーコードを生成し、当該バーコードを印字した媒体（回収部扉開放用媒体）を発行するとともに、当該ＯＴＰを受付専用ロッカー１００に送信（管理装置１０を経由して受付専用ロッカー１００に送信、又は、直接、受付専用ロッカー１００に送信）してもよい。受付専用ロッカー１００は、コード認識部１０６によって認識された情報（具体的には回収部扉開放用媒体に印刷されたバーコードから得られるＯＴＰ）と、外部から受信した情報（ＰＯＳ端末２０又は管理装置１０から受信したＯＴＰ）とに基づいて認証を行ってもよい。
【０２０４】
また、受付専用ロッカー１００が他の装置と通信できる場合には、受付専用ロッカー１００は、他の装置に認証を依頼し、当該他の装置から認証結果を取得してもよい。なお、他の装置に認証を依頼する場合、受付専用ロッカー１００は、当該他の装置が認証を行うために必要な情報（例えば、カード挿入排出口１０３に挿入されたカードの情報、入力操作部１０５に入力された情報、コード認識部１０６によって認識された情報等）を、当該他の装置に送信する。
【０２０５】
（共通ロッカー）
共通ロッカー２００は、例えば、図１８（Ｂ）に示すように、投入口２０１、回収部２０２、カード挿入排出口２０３、表示部２０４、入力操作部２０５、コード認識部２０６、発行口２０７、記憶部（非図示）、表示部２０４における表示や返却口扉（後述）等の施錠等を制御する制御部（非図示）、複数の返却口（返却部）２１０を備える。なお、共通ロッカー２００の投入口２０１、回収部２０２、カード挿入排出口２０３、表示部２０４、入力操作部２０５、コード認識部２０６、発行口２０７は、受付専用ロッカー１００の投入口１０１、回収部１０２、カード挿入排出口１０３、表示部１０４、入力操作部１０５、コード認識部１０６、発行口１０７と同様であるため、説明を省略する。なお、共通ロッカー２００は、必ず上述した全部の構成を備えていなくてもよい。例えば、入力操作部２０５とコード認識部２０６のうちの何れか一方を備え、他方を備えていなくてもよい。
【０２０６】
なお、共通ロッカー２００は、他の装置（例えば、ＰＯＳ端末２０、管理装置１０等）と通信可能であってもよい。つまり、共通ロッカー２００は、通信部（非図示）を備えていてもよい。
【０２０７】
図１８（Ｂ）に示した共通ロッカー２００は、上下２段６列の合計１２個の返却口２１０を備える。図１８（Ｂ）では、１２個の返却口を代表し、左端上の返却口に符号２１０を付している。なお、各返却口には、管理番号として返却口番号（「扉番号」と称する場合もある）が設定されている。例えば、具体的には、図１８（Ｂ）に示すように、返却口番号は、左端上が「Ｈ１１」、左端下が「Ｈ１２」、左から２列目上が「Ｈ２１」、左から２列目下が「Ｈ２２」、…、右端上が「Ｈ６１」、右端上が「Ｈ６２」である。なお、夫々の返却口に返却口番号を示したシール等を貼り付けるなどして、共通ロッカー２００において夫々の返却口の返却口番号がわかるようにしてもよい。
【０２０８】
返却口２１の夫々には扉（以下、返却口扉という）が設けられている。個々の返却口扉は、個別に施錠可能である。返却口扉が解錠状態であるときには、店舗の店員等は商品（利用者に返却する商品）を返却口２１に収容することができる。また、返却口扉が解錠状態であるときには、利用者は返却口２１から商品を取り出すことができる。一方、返却口扉が施錠状態であるときには、利用者は返却口２１から商品を取り出すことができない。また、返却口扉が施錠状態であるときには、店舗の店員等は商品を返却口２１に収容することができない。返却口扉は、通常時は施錠状態であり、所定条件が成立した場合に解錠される。なお、商品の収容後や取り出し後には施錠される。
【０２０９】
返却口扉を解錠する所定条件としては種々の条件が考えられる。
（商品を収納する際（店員等が解錠する際）の所定条件）
例えば、コード認識部２０６によって認識された情報（ロッカー返却を希望する利用者毎に発行された媒体に印刷されているバーコードから得られる情報）に基づいて認証を行い、認証ＯＫの場合に該当する返却口扉（当該利用者に返却する商品を収納するための返却口の返却口扉）を解錠してもよい。なお、当該解錠方法の詳細は後述する。また、上記解錠方法に代えて又は加えて、例えば、回収部扉を解錠する場合と同様、カード挿入排出口２０３に挿入されたカード（例えば、店舗の店員等が管理する管理者カード等）の情報、入力操作部２０５に入力された情報（例えば、暗証番号等）のうちのいずれか一方又は両方に基づいて認証を行い、認証ＯＫの場合に返却口扉を解錠してもよい。
【０２１０】
（商品を取り出す際（利用者が解錠する際）の所定条件）
例えば、投入口扉を解錠する場合と同様、カード挿入排出口２０３に挿入されたカード（会員カード等）の情報、入力操作部２０５に入力された情報（暗証番号等）のうちのいずれか一方又は両方に基づいて認証を行い、認証ＯＫの場合に該当する返却口扉（当該利用者の返却する商品を収納している返却口の返却口扉）を解錠してもよい。また、コード認識部２０６によって認識された情報（会員証画面に表示されたバーコードＧ１１、会員カードに印刷されたバーコードの情報等）に基づいて認証を行い、認証ＯＫの場合に投入口扉を解錠してもよい。また、コード認識部２０６によって認識された情報と、入力操作部２０５に入力された情報とに基づいて認証を行い、認証ＯＫの場合に投入口扉を解錠してもよい。なお、更に安全を期すため、カード挿入排出口２０３に挿入されたカードの情報と、入力操作部２０５に入力された情報と、コード認識部２０６によって認識された情報とに基づいて認証を行い、認証ＯＫの場合に投入口扉を解錠してもよい。
【０２１１】
商品の取り出しを認識する方法としては種々の方法が考えられる。例えば、返却口扉が、通常の状態（閉鎖された状態）であるか否かを検出可能なセンサ（換言すれば、返却口扉が開放された状態か否かを検出可能なセンサ）を設けることにより、当該センサの検出結果に基づいて商品の取り出しを認識してもよい。なお、商品取り出し後には、返却口扉は付勢力等により元の状態（通常の状態）に戻るようにしてもよい。また、元の状態に戻った後に元の状態が所定時間（同一利用者による複数回の取り出し動作がある場合でも全部の取り出し動作が終了したとみなせる時間。例えば１分）維持された場合に、返却口扉を施錠（自動ロック）してもよい。
【０２１２】
なお、夫々の返却口２１０の対応する発光部を設けるようにしてもよい。例えば、図１８（Ｂ）に示す例では、夫々の返却口２１０の上側に発光部２１１を設けている。また、返却口２１０内には、商品を綺麗に収納するために、棒やフックなどを設けるようにしてもよい。
【０２１３】
なお、図１８（Ｂ）に示した共通ロッカー２００の返却口数は１２であるが、共通ロッカー２００の返却口数は１２以外であってもよい。
【０２１４】
（返却専用ロッカー）
返却専用ロッカー３００は、例えば、カード挿入排出口（非図示）、表示部（非図示）、入力操作部（非図示）、コード認識部（非図示）、発行口（非図示）、記憶部（非図示）、表示部における表示や返却口扉（後述）等の施錠等を制御する制御部（非図示）、複数の返却口（返却部）３１０を備える。なお、図１８（Ｃ）に示した返却専用ロッカー３００の場合、カード挿入排出口、表示部、入力操作部、コード認識部、発行口等は、左上部３０１の領域３０１ａに配置されているが、図面の都合上、夫々について図示を省略している。
【０２１５】
なお、夫々の返却口３１０の対応する発光部を設けるようにしてもよい。例えば、図１８（Ｃ）に示す例では、夫々の返却口３１０の上側に発光部３１１を設けている。また、返却口３１０内には、商品を綺麗に収納するために、棒やフックなどを設けるようにしてもよい。
【０２１６】
なお、図１８（Ｃ）に示した返却専用ロッカー３００の返却口数は５であるが、返却専用ロッカー３００の返却口数は５以外であってもよい。
【０２１７】
続いて、図１９〜図４３を用いて、ロッカー返却について詳しく説明する。以下の説明では、ロッカー返却において使用可能な、共通ロッカー２００と返却専用ロッカー３００とを特に区別しない場合には、単に返却ロッカーと称する。
【０２１８】
図１９（図２０、図２６も同様）は、クリーニングシステム１（クリーニングシステム２も同様）が記憶する各種情報の一例である。
【０２１９】
（ロッカー管理マスタファイル）
図１９（Ａ）は、管理装置１０が記憶するロッカー管理マスタファイルの一例である。ロッカー管理マスタファイルは、返却ロッカー（返却専用ロッカー３００、共通ロッカー２００）に関する情報を記憶するファイルである。図１９（Ａ）に示したロッカー管理マスタファイルは、ロッカー番号に対応付けて、設置場所、返却口数などを記憶している。なお、クリーニングシステム１内の全返却ロッカーの返却口数が同一（例えば１２）である場合には、ロッカー管理マスタファイルにおいて返却口数を管理（記憶）しなくてもよい。
【０２２０】
ロッカー番号は、クリーニングシステム１において返却ロッカーの夫々を識別するための情報である。設置場所は、当該返却ロッカーが設置されている場所である。なお、１店舗に２以上の返却ロッカーを設置することも、店舗以外の場所に返却ロッカーを設置することも可能である。店舗以外の場所としては、例えば、スーパーマーケット、コンビニエンスストア、専門店（衣服店、薬局店等）、駅構内（又は駅近傍）の商店、マンション等の屋内外等に返却ロッカー（受付専用ロッカー１００についても同様）を設置してもよい。返却口数は、当該返却ロッカーが備える返却口数である。
【０２２１】
なお、ロッカー管理マスタファイルでは、返却ロッカー（返却専用ロッカー３００、共通ロッカー２００）に加えて、受付専用ロッカー１００（番号受付専用ロッカー１００のロッカー番号等）を管理してもよい。
【０２２２】
なお、管理装置１０に代えて又は加えてＰＯＳ端末２０がロッカー管理マスタファイルを記憶してもよい。なお、ＰＯＳ端末２０が記憶するロッカー管理マスタファイルは、管理装置１０が記憶するファイルと同様、全部の返却ロッカーに関するファイルであってもよいし、図１９（Ｂ）に示すように、当該店舗（当該ＰＯＳ端末２０が設置された店舗）に関連する返却ロッカーに関するファイルであってもよい。
【０２２３】
（必要口数定義ファイル）
図１９（Ｃ）は、管理装置１０が記憶する必要口数定義ファイルの一例である。必要口数定義ファイルは、ロッカー返却において必要となる返却口数に関する情報を記憶するファイルである。図１９（Ｃ）に示した必要口数定義ファイルは、返却商品点数に対応付けて必要口数を記憶している。返却商品点数は、引渡し希望商品の点数（数量）である。必要口数はロッカー返却において必要となる返却口の口数である。図１９（Ｃ）によれば、例えば返却商品点数が１点〜４点であれば必要口数は１であり、５点〜８点であれば必要口数は２である。なお、ロッカーの種類毎に返却口内に容量が異なるような場合には、ロッカーの種類毎に必要口数定義ファイルを記憶してもよい。
【０２２４】
図１９（Ｃ）に示した必要口数定義ファイルは、単に返却商品の数に基づいて必要口数を決定するものであり返却商品の種類を考慮していないが、返却商品の種類を考慮して必要口数を決定してもよい。例えば、図１９（Ｃ）に示した必要口数定義ファイルに代えて、図１９（Ｄ）に示すような必要口数定義ファイル及び図１９（Ｅ）に示すようなボリューム数定義ファイルを記憶する様にしてもよい。
【０２２５】
図１９（Ｄ）に示した必要口数定義ファイルは、返却ボリューム数に対応付けて必要口数を記憶している。返却ボリューム数は、引渡し希望商品のボリューム（大きさ）である。図１９（Ｄ）によれば、例えば返却ボリューム数が１〜４であれば必要口数は１であり、５〜８であれば必要口数は２である。
【０２２６】
図１９（Ｅ）に示したボリューム数定義ファイルは、商品種別（図７（Ａ）参照）に対応付けてボリューム数を記憶している。図１９（Ｅ）によれば、例えば商品種別がＳＹ０１の商品（シャツ類）のボリューム数は１であり、ＳＹ０４の商品（コート類）であればボリューム数は４である。
【０２２７】
例えば、引渡し希望商品が２着あり、１着がシャツ（商品種別「ＳＹ０１」）、もう１着がコート（商品種別「ＳＹ０４」）であった場合、図１９（Ｃ）の必要口数定義ファイルによれば、返却商品点数が２点であるため必要口数は１となる。一方、図１９（Ｄ）の必要口数定義ファイル及び図１９（Ｅ）のボリューム数定義ファイルによれば、シャツ１着とコート１着の合計のボリューム数は５であるため必要口数は２となる。
【０２２８】
なお、管理装置１０に代えて又は加えてＰＯＳ端末２０が、図１９（Ｃ）に示すような必要口数定義ファイルを記憶してもよい。また、管理装置１０に代えて又は加えてＰＯＳ端末２０が、図１９（Ｄ）に示すような必要口数定義ファイルや図１９（Ｅ）に示すようなボリューム数定義ファイルを記憶してもよい。
【０２２９】
（必要口数定義ファイル）
図２０（Ａ）は、管理装置１０が記憶するロッカー別予約状況ファイルの一例である。ロッカー別予約状況ファイルは、返却ロッカー別にロッカー返却の予約状況（予約状態）に関する情報を記憶するファイルである。図２０（Ａ）に示したロッカー別予約状況ファイルは、ロッカー番号「Ｌ０１」の返却ロッカーに関する予約状況ファイルを示しており、返却日及び返却口番号に対応付けて、予約区分、顧客コード、タグ番号、使用ボリューム数、予約日、予約番号などを記憶している。なお、図２０（Ａ）では、説明の便宜上、返却日毎のシート（表）を分けて示しているが、返却日毎にシートを分けても分けなくてもよい。使用ボリューム数は、当該返却口において商品を引渡すために使用されるボリューム数、つまり、当該返却口で引渡す引渡し希望商品のボリュームである。なお、図２０（Ｂ）のロッカー別予約状況ファイルについては後述する。
【０２３０】
なお、管理装置１０に代えて又は加えてＰＯＳ端末２０がロッカー別予約状況ファイルを記憶してもよい。なお、ＰＯＳ端末２０が記憶するロッカー別予約状況ファイルは、管理装置１０が記憶するファイルと同様、全部の返却ロッカーに関するファイルであってもよいし、当該店舗（当該ＰＯＳ端末２０が設置された店舗）に関連する返却ロッカーに関するファイルであってもよい。
【０２３１】
ロッカー別予約状況ファイルには、未来の情報（将来の返却日の情報）に加え、過去の情報（過去の返却日の情報）も保持されている。換言すれば、管理装置１０（ＰＯＳ端末２０がロッカー別予約状況ファイルを記憶する場合も同様）は、ロッカー別予約状況ファイルにおいて、過去の情報を消去せずに保持し続ける。例えば、管理装置１０は、所定の期間（少なくとも返却口の決定（後述）に際し参照される期間）、過去の情報を消去せずに保持し続けてもよい。
【０２３２】
ロッカー別予約状況ファイルのうちの未来の情報は、ロッカー（各返却口）の将来の予約状況を示したファイルであるが、ロッカーは、予約に基づいて使用されるため、ロッカー別予約状況ファイルのうちの過去の情報は、ロッカーの過去の使用状況を示したファイルでもある。換言すれば、管理装置１０（ＰＯＳ端末２０がロッカー別予約状況ファイルを記憶する場合も同様）、若しくは、管理装置１０の記憶部（ＰＯＳ端末２０のハードディスク２４等の記憶部）は、過去〜将来のロッカー（各返却口）の使用状況を管理している。
【０２３３】
図２１は、ロッカーの使用状況の管理について説明する説明図である。図２１は、ロッカー別予約状況ファイルに記憶されている情報の一例を、説明の便宜上（複数の返却日の空数がわかるように）、表現形式を変えて示したものである。換言すれば、管理装置１０（ＰＯＳ端末２０がロッカー別予約状況ファイルを記憶する場合も同様）は、図２１に示すように、ロッカーの使用状況を管理する。なお、図２１の返却日「２０１Ｘ／４／２０」の情報（矢印の行の情報）は、図２０（Ａ）の「２０１Ｘ／４／２０」の情報に基づく情報であるが、図２１の返却日「２０１Ｘ／４／２０」以外に返却日の情報は、図２０（Ａ）には示されていない。
【０２３４】
（ロッカーの予約可能日）
図２２は、予約可能日（返却可能日）の特定方法に関する動作の一例を示すフローチャートである。図２２に示したフローチャートの処理は、ロッカー返却の予約可能日を特定するとき（ロッカー返却の予約に関する処理を実行するとき。例えばロッカー返却予定日カレンダー画面（後述）を表示するときに）に開始する。なお、図２２に示したフローチャートは、予約可能日を特定する装置（例えば、管理装置１０、ＰＯＳ端末２０等）の動作を示している。
【０２３５】
図２２のステップＳ４００：必要口数を算出する。
ステップＳ４０１：ロッカー返却を希望する全商品が仕上り済であるか否かを判断する。仕上り済でない場合には（ステップＳ４０１；ＮＯ）、ステップＳ４０２に進む。仕上り済である場合には（ステップＳ４０１；ＹＥＳ）、ステップＳ４０５に進む。なお、本フローチャートを商品預り時に実行する場合には、何れの商品も仕上り済ではないため、ステップＳ４０２に進む。
【０２３６】
ステップＳ４０２：最遅仕上り予定日（ロッカー返却を希望する各商品の仕上り予定日のうち最も遅い仕上り予定日）を特定する。
ステップＳ４０３：最遅仕上り予定日を基準日とする。続いてステップＳ４０６に進む。なお、なお、ステップＳ４０３、Ｓ４０５、Ｓ４０６の基準日とは、ロッカーの使用状況を考慮しない場合（無視した場合）における、最も早く到来する予約可能日である。
ステップＳ４０５：明日を基準日とする。続いてステップＳ４０６に進む。
【０２３７】
ステップＳ４０６：基準日以降の夫々の日の空数が必要口数以上あるか否かを判定する。空数が必要口数以上であれば予約可能であるため、ステップＳ４０６の処理は、予約可能日であるか否かを判定する処理である。換言すれば、ステップＳ４０６の処理では、基準日以降の夫々の日の空数と、必要口数とから、予約可能日を算出している。
ステップＳ４０７：判定結果を出力する。例えば、管理装置１０（ＰＯＳ端末２０）が判定結果を表示してもよい。また、例えば管理装置１０（ＰＯＳ端末２０）が判定結果を印刷してもよい。また、例えば、管理装置１０がＰＯＳ端末２０（又は利用者端末５０）に判定結果を示す情報を送信してもよい（ＰＯＳ２０（又は利用者端末５０）が判定結果を表示してもよい）。また、例えば、管理装置１０（ＰＯＳ端末２０）が判定結果を印刷してもよい。また、例えば、ＰＯＳ端末２０が利用者端末５０に判定結果を示す情報を送信してもよい（利用者端末５０が判定結果を表示してもよい）。そして、図２２のフローチャートは終了する。
【０２３８】
図２３は、予約可能日の特定方法について説明する説明図である。具体的には、図２３（Ａ）〜図２３（Ｃ）は、図１２に示した「お預り中」の３商品（欄Ｇ３３、欄Ｇ３４、欄Ｇ３５の商品）をロッカー返却する場合における予約可能日を、図１９（Ｃ）の必要口数定義ファイルを用いて求めた例（返却商品点数に基づいて求めた例）である。図２３（Ｄ）〜図２３（Ｆ）は、図１２に示した「お預り中」の３商品（欄Ｇ３３、欄Ｇ３４、欄Ｇ３５の商品）をロッカー返却する場合における予約可能日を、図１９（Ｄ）の必要口数定義ファイルと図１９（Ｅ）のボリュームファイルとを用いて求めた例（返却ボリューム数に基づいて求めた例）である。なお、本日は「２０１Ｘ／４／１９」であるものとする。
【０２３９】
（返却商品点数に基づいて求めた例）
図２３（Ａ）の上段（矢印の基側）は、ロッカー返却による引渡し希望商品（図１２に示した「お預り中」の３商品）に関する情報（仕上り予定日）を示している（図７（Ｄ））。図２３（Ａ）の上段に示すように返却商品数は３点であるため、図２２のステップＳ４００の処理では、図２３（Ａ）の下段（矢印の先側）に示すように、必要口数として１を算出する（図１９（Ｃ）参照）。
【０２４０】
続いて、３商品の夫々の仕上り予定日が「２０１Ｘ／４／１１」、「２０１Ｘ／４／１３」、「２０１Ｘ／４／１６」であり、本日が「２０１Ｘ／４／１９」であるため、全商品について仕上り済であると判断し（ステップＳ４０１；ＹＥＳ）、明日の日にちである「２０１Ｘ／４／１９」を基準日とする（ステップＳ４０５）。
【０２４１】
続いて、「２０１Ｘ／４／１９」以降の夫々の日の空数が必要口数である１以上あるか否かを判定し（ステップＳ４０６）、例えば、図２３（Ｂ）に示すように、空数が必要口数である１以上ある日を予約可能日として出力（表示等）する（ステップＳ４０７）。図２３（Ｂ）では、夫々の予約可能日の空数も出力（表示等）している。なお、ステップＳ４０７の処理では、図２３（Ｃ）に示すように、基準日以降の各日について予約可否等を出力（表示等）してもよい。
【０２４２】
（返却ボリューム数に基づいて求めた例）
図２３（Ｄ）の上段（矢印の基側）は、ロッカー返却による引渡し希望商品（図１２に示した「お預り中」の３商品）に関する情報（ボリューム数、仕上り予定日）を示している（図１９（Ｅ）、図７（Ｄ））。図２３の上段に示すように合計のボリューム数は６であるため、図２２のステップＳ４００の処理では、図２３（Ｄ）の下段（矢印の先側）に示すように、必要口数として２を算出する（図１９（Ｄ）参照）。
【０２４３】
続いて、３商品の夫々の仕上り予定日が「２０１Ｘ／４／１１」、「２０１Ｘ／４／１３」、「２０１Ｘ／４／１６」であり、本日が「２０１Ｘ／４／１９」であるため、全商品について仕上り済であると判断し（ステップＳ４０１；ＹＥＳ）、明日の日にちである「２０１Ｘ／４／１９」を基準日とする（ステップＳ４０５）。
【０２４４】
続いて、「２０１Ｘ／４／１９」以降の夫々の日の空数が必要口数である２以上あるか否かを判定し（ステップＳ４０６）、例えば、図２３（Ｅ）に示すように、空数が必要口数である２以上ある日を予約可能日として出力（表示等）する（ステップＳ４０７）。図２３（Ｅ）では、夫々の予約可能日の空数も出力（表示等）している。なお、ステップＳ４０７の処理では、図２３（Ｆ）に示すように、基準日以降の各日について予約可否等を出力（表示等）してもよい。
【０２４５】
図２３（Ｃ）及び図２３（Ｆ）は、上述したように、各日について予約可否を示しているため、図２２は、予約可能日（返却可能日）を特定する動作を示したフローチャートであるとともに、各日（又は特定の日）について予約可否を判定する動作を示したフローチャートでもある。即ち、管理装置１０やＰＯＳ端末２０等は、予約可能日を特定する装置であるとともに、予約可否を判定する装置でもある。
【０２４６】
なお、図２３（図２３（Ｂ）、図２３（Ｃ）、図２３（Ｅ）、図２３（Ｆ））に示した出力態様は一例であって、例えば、以下に説明するロッカー返却予定日カレンダー画面にて予約可能日を示すようにしてもよい。
【０２４７】
（ロッカー返却予定日カレンダー画面）
図２４（図２５も同様）は、ロッカー返却予定日カレンダー画面（ロッカー返却予約画面）の一例である。図２４に示したロッカー返却予定日カレンダー画面は、例えば、ＰＯＳ端末２０や利用者端末５０や管理装置１０に表示される。なお、管理装置１０が操作部や表示部を有しない場合（例えば、データセンタに設置されるサーバ等の場合）には、管理装置１０と通信（接続）可能な他の装置（パーソナルコンピュータ等）の表示部にロッカー返却予定日カレンダー画面（後述するロッカー返却予約確認画面も同様）を表示してもよい。
【０２４８】
利用者端末５０は、伝票詳細画面（図１２、図１４）において選択完了アイコンＧ３２が操作されると、上記では説明を省略していたが、例えば、ロッカー返却を希望するか否かを利用者に選択させる画面を表示し、ロッカー返却を希望する旨が選択された場合に、図２４に示すようなロッカー返却予定日カレンダー画面を表示部に表示してもよい。なお、店舗から一のロッカーが特定できない場合（例えば、１店舗に２以上の返却ロッカーが対応付けられている場合等）には返却ロッカーを利用者に指定させてもよい。
【０２４９】
また、ＰＯＳ端末２０は、例えば、メニュー画面（非図示）において「ロッカー返却予約」が選択された場合に、図２４に示すようなロッカー返却予定日カレンダー画面を表示部２５に表示してもよい。管理装置１０においても同様である。
【０２５０】
なお、利用者端末５０が表示するロッカー返却予定日カレンダー画面の場合、ロッカー情報欄及び顧客情報欄に夫々に情報が自動入力された状態で表示されるが、ＰＯＳ端末２０や管理装置１０が表示するロッカー返却予定日カレンダー画面の場合、ロッカー情報欄及び顧客情報欄の夫々には店舗の店員等が情報を入力してもよい。
【０２５１】
図２４に示したロッカー返却予定日カレンダー画面には、現在日時欄（符号Ａ参照）、ロッカー情報欄（符号Ｂ参照）、顧客情報欄（符号Ｃ参照）、ロッカー返却商品点数欄（符号Ｄ参照）、メッセージ欄（符号Ｅ参照）、必要返却口数欄（符号Ｆ参照）、調整欄（符号Ｇ参照）、カレンダー欄（符号Ｈ参照）などが設けられている。
【０２５２】
現在日時欄（符号Ａ）には、現在日時が表示される。ロッカー情報欄（符号Ｂ）には、当該ロッカー返却予定日カレンダー画面において情報を表示している返却ロッカーのロッカー番号等が表示される。顧客情報欄（符号Ｃ）には、当該利用者（ロッカー返却の予約を行う利用者）の顧客コード等が表示される。ロッカー返却商品点数欄（符号Ｄ）には、当該利用者のロッカー返却による引渡し希望商品の点数が表示される。必要返却口数欄（符号Ｆ）には、当該利用者のロッカー返却に際し必要となる返却口数が表示される。調整欄（符号Ｇ）には、必要返却口数の増減（調整）ボタンと調整可能範囲とが表示される。カレンダー欄（符号Ｈ）には、夫々の日における使用可能（予約可能）な返却口数（返却口の空数）表示される。カレンダー欄の夫々の日にちの領域はボタンとなっている。
【０２５３】
図２４に表示された幾つかの情報について説明する。なお、図２４の説明において、利用者（顧客コード「ＫＢ９８７６」）が、伝票詳細画面（図１４）において、お預り中であるシャツ（タグ番号「ＴＧ０１−１３７２」）とセーター（タグ番号「ＴＧ０１−１３７４）とダウンジャケット（タグ番号「ＴＧ０１−１３７５」）の３点を、ロッカー返却による引渡し希望商品として選択したものとする。また、ボリューム数を考慮して必要口数を算出するものとする。
【０２５４】
図２４のロッカー情報欄（符号Ｂ）の「Ｌ０１（ＡＡＡ）」は、例えば、預り商品情報ファイル（図６）、ロッカー管理マスタファイル（図１９（Ａ））、店舗ファイル（図７（Ｂ））などに基づいて表示したものである。ロッカー返却商品点数欄（符号Ｄ）の「３」は上述の３点である。
【０２５５】
必要返却口数欄（符号Ｆ）の「２」は、返却ボリューム数に基づく返却口数を表示している。つまり、商品種別ファイル（図７（Ａ））、必要口数定義ファイル（図１９（Ｄ））、ボリューム数定義ファイル（図１９（Ｅ））などに基づいて表示したものである。即ち、シャツ（商品種別「ＳＹ０１」）のボリューム数は「１」であり、セーター（商品種別「ＳＹ０２」）のボリューム数は「２」であり、ダウンジャケット（商品種別「ＳＹ０３」のボリューム数は「３」であり、合計のボリューム数（返却ボリューム数）は「６」である。返却ボリューム数「６」に対応する、必要口数は「２」であるため、必要返却口数欄には「２」が表示される。
【０２５６】
調整欄（符号Ｇ）の調整可能範囲「１〜３」は、必要返却口数欄「２」の場合の固定値として予め設定されたものである。なお、返却ボリューム数「６」の場合の固定値として予め設定されたものであってもよい。
【０２５７】
カレンダー欄（符号Ｈ）の４／２０の「４」は、ロッカー別予約状況ファイル（図２０（Ａ））の空数「４」に基づいて表示したものである。図２４に示したロッカー返却予定日カレンダー画面では夫々の日にちのボタンの色（背景色）を、当該日にちが予約可能日（明日以降の日（店休日を除く）であって空数が必要返却口数以上である日）であるか予約不可能日（予約可能日でない日）であるかに応じて異ならせている。図２４では、予約可能日（４／２０、４／２３、４／２４、４／２７、４／２８、…）は無地（白色）とし、予約不可能日（４／１６〜４／１９、４／２１、４／２２、４／２５、４／２６、４／３０、…）はドッドにて示している。
【０２５８】
図２０（Ｂ）は、図２４のロッカー返却予定日カレンダー画面においてボタン「４／２０」を操作（タッチ等）した後に更新される更新後のロッカー別予約状況ファイルの記憶内容を示している。また、図２５は、図２４のロッカー返却予定日カレンダー画面においてボタン「４／２０」が操作された後に表示されるロッカー返却予定日カレンダー画面の一例である。
【０２５９】
また、図２６は、図２４のロッカー返却予定日カレンダー画面においてボタン「４／２０」を操作（タッチ等）した後に更新される更新後の預り商品情報ファイルの記憶内容を示している。また、図２７は、図２４のロッカー返却予定日カレンダー画面においてボタン「４／２０」が操作された後に表示される伝票詳細画面の一例である。
【０２６０】
（返却口の決定）
返却口の空数が必要返却口数（必要数）よりも多い場合には、使用可能（予約可能）な返却口のなかから必要数分の返却口を決定（選択）する。つまり、空数に余裕（返却口を選択する余地）がある場合には、何れの返却口を使用するかを決定する。例えば、図２０（Ａ）（Ｂ）に示す例では、使用可能な４個の返却口（返却口番号「Ｈ１１」「Ｈ１２」「Ｈ２１」「Ｈ２２」）のなかから２個の返却口（返却口番号「Ｈ１１」「Ｈ１２」）を決定している。
【０２６１】
（返却口の決定方法）
使用可能な返却口のなかから予約する返却口を決定する方法として、例えば、夫々の返却口の過去の使用状況（過去の使用状態。具体的には過去の決定結果）に基づいて返却口を決定してもよい。具体的には、特定の返却口の使用頻度が高くならないように（夫々の返却口が万遍なく使用されるように）、返却口を決定してもよい。夫々の返却口が万遍なく使用されることにより、特定の返却口において劣化や破損が進行するという状況が生じ難くなる。なお、夫々の返却口の過去の使用状況は、例えば、ロッカー別予約状況ファイル（図２０）を返却日が経過しても直ちに消去せずに一定期間記憶し続けることにより把握することができる。即ち、返却日が経過したロッカー別予約状況ファイル（過去のロッカー別予約状況ファイル）を参照することにより、夫々の返却口の過去の使用状況を把握してもよい。
【０２６２】
また、上記方法に代えて又は加えて、例えば、夫々の返却口の位置関係（隣接関係）に基づいて返却口を決定してもよい。具体的には、同一の利用者が２以上の返却口を予約する場合（当該利用者の必要返却口数が２個以上である場合）には、隣接する返却口から預り商品を取り出せるように、なるべく、隣接する返却口を決定してもよい。隣接する返却口が決定されることにより、利用者は離れた位置の返却ロッカーに移動しなくても済むようになる。
【０２６３】
図２８は、返却口の隣接に関する判定に用いるファイルの一例である。夫々の返却口が隣接するか否かは、例えば、ある返却口に隣接する他の返却口を示したファイル（例えば、図２８（Ａ））や、隣接する返却口のパターン（組み合せ）を示したファイル（例えば、図２８（Ｂ））などを記憶することにより判定してもよい。なお、上記ファイル（図２８（Ａ）、図２８（Ｂ）のファイル）は、例えば、返却口を決定する装置（例えば、管理装置１０、ＰＯＳ端末２０等）が記憶する。
【０２６４】
図２８（Ａ）は、ある返却口（注目する返却口）に隣接する他の返却口を示したファイルである。具体的には、図２８（Ａ）は、共通ロッカー２００（図１８（Ｂ））の夫々の返却口について、隣接する他の返却口を示したファイルである。図２８（Ａ）に示したファイルによれば、例えば、返却口番号「Ｈ１１」の返却口に隣接する返却口は、返却口番号「Ｈ１２」の返却口と「Ｈ２１」の返却口の２個である。また例えば、返却口番号「Ｈ２１」の返却口に隣接する返却口は、返却口番号「Ｈ１１」の返却口と返却口番号「Ｈ２２」の返却口と返却口番号「Ｈ３１」の３個である。
【０２６５】
図２８（Ｂ）は、隣接する返却口のパターンを示したファイルである。具体的には、図２８（Ｂ）の左側のファイルは、共通ロッカー２００における、２個の返却口が隣接するパターンを示したファイルである。図２８（Ｂ）の右側のファイルは、共通ロッカー２００における、３個の返却口が隣接するパターンを示したファイルである。なお、共通ロッカー２００における、４個以上の返却口が隣接するパターンのファイルについては図示を省略した。
【０２６６】
図２８（Ｂ）に示したファイルによれば、例えば、返却口番号「Ｈ１１」、「Ｈ２１」、「Ｈ２２」の３個の返却口の組み合せは、図２８（Ｂ）の右側のファイルに存在（上から２番目）するため、当該３個の返却口は、３個の隣接した返却口群を構成することがわかる。また、返却口番号「Ｈ１１」、「Ｈ２１」、「Ｈ３２」の３個の返却口の組み合せは、図２８（Ｂ）の右側のファイルに存在しないため、当該３個の返却口は、３個の隣接した返却口群を構成しないことがわかる。但し、返却口番号「Ｈ１１」、「Ｈ２１」の２個の返却口の組み合せは、図２８（Ｂ）の左側のファイルには存在するため（上から２番目）、当該２個の返却口は、２個の隣接した返却口群を構成することがわかる。
【０２６７】
なお、図２８（Ａ）（Ｂ）に示した例は、上下や左右に並んだ関係を以って隣接した関係であると定義としているが、上下や上下に加え斜めに並んだ関係についても隣接した関係であると定義してもよい。具体的には、図２８（Ａ）のファイルにおいて、例えば返却口番号「Ｈ１１」の返却口に隣接する返却口として返却口番号「Ｈ１２」、「Ｈ２１」、「Ｈ２２」の３個の返却口を定義し、図２８（Ｂ）の左側のファイルにおいて、例えば２個が隣接するパターンとして返却口番号「Ｈ１１」、「Ｈ２２」の２個の返却口の組み合せを追加してもよい。
【０２６８】
図２９は、返却口の決定方法の一例を示すフローチャートである。図２９に示したフローチャートの処理は、ロッカー返却予定日カレンダー画面において予約の操作（カレンダー欄（符号Ｈ）の日にちのボタンの操作）が行われることにより開始する。なお、図２９に示したフローチャート（図３０に示したフローチャートも同様）は、返却口を決定する装置（例えば、管理装置１０、ＰＯＳ端末２０等）の動作を示している。
【０２６９】
図２９のステップＳ５００：返却口の空数（使用可能な返却口数）が必要数（必要返却口数）よりも多いか否かを判断する。つまり、空数に余裕があるか否かを判断する。返却口の空数が必要数よりも多くない場合には（ステップＳ５００；ＮＯ）、ステップＳ５０１に進む。返却口の空数が必要数よりも多い場合には（ステップＳ５００；ＹＥＳ）、ステップＳ５０２に進む。
【０２７０】
ステップＳ５０１：空数分（必要数分）の全部の返却口を決定する。つまり、空数に余裕がなく返却口を選択する余地がないため、空いている全部の返却口を予約する。そして、図２９のフローチャートは終了する。
【０２７１】
ステップＳ５０２：必要数が２個以上であるか否かを判断する。必要数が１個の場合には（ステップＳ５０２；ＮＯ）、ステップＳ５０３に進む。必要数が２個以上の場合には（ステップＳ５０２；ＹＥＳ）、ステップＳ５０４に進む。
【０２７２】
ステップＳ５０３：最も使用されてないものを決定する。つまり、高々１個の返却口を決定することになるため、隣接空（隣接する空状態の返却口群）の有無を確認する必要はなく、空いている全部の返却口のなかから、夫々の返却口が万遍なく使用されるように、最も使用されてない１個の返却口を予約する。そして、図２９のフローチャートは終了する。
【０２７３】
ステップＳ５０３の決定に際し、使用状況による判断では候補が複数存在し、決定（予約）すべき１個の返却口を特定できない場合もある。例えば、全１２個の返却口のうち８個の返却口が前々日には使用されずに前日に使用され、残り４個の返却口が前日には使用されずに前々日に使用されていたような場合には、必要数である１個の返却口を決定する候補となる返却口が４個存在することになるため（前々日に使用された返却口が４個であるため）、使用状況による判断のみでは、候補４個のなかから必要数１個を特定できない。
【０２７４】
上述のような場合には、乱数などを用いて複数の候補のなかからランダムに１個の返却口を決定してもよい。また、所定のルールに基づいて複数の候補のなかから１個の返却口を決定してもよい。例えば、所定のルールとして、所定の優先順位（例えば、左側の列を優先し、同一の列では上段を優先した優先順位として、返却口番号「Ｈ１１」→「Ｈ１２」→「Ｈ２１」→「Ｈ２２」→「Ｈ３１」→「Ｈ３２」、…、「Ｈ６１」→「Ｈ６２」の順）に従って複数の候補のうち最も優先順位が高い１個の返却口を決定してもよい。また、所定のルールとして、決定後に隣接空数（後述）がなるべく大きくなるように複数の候補のなかから１個の返却口を決定してもよい。また、これらを組み合せて決定してもよい。
【０２７５】
なお、ステップＳ５０３では、高々１個の返却口を決定することになるため、隣接空の有無を確認する必要はなく、空いている全部の返却口のなかから最も使用されてない１個の返却口を決定（予約）すると説明したが、隣接空の有無を確認し、１個の返却口を決定してもよい。具体的には、ステップＳ５０３の決定に際し、隣接空を構成する空状態の返却口と、隣接空を構成しない空状態の返却口とが存在しているような場合には、隣接空を構成しない空状態の返却口のなかから１個の返却口を決定するようにしてもよい。つまり、他の予約（以降の予約）のために隣接空を構成する空状態の返却口を温存しておくようにしてもよい。
【０２７６】
ステップＳ５０４：隣接空があるか否かを判断する。つまり、複数の返却口を決定することになるため、隣接空の有無を確認する。隣接空がない場合には（ステップＳ５０４；ＮＯ）、ステップＳ５０５に進む。隣接空がある場合には（ステップＳ５０４；ＹＥＳ）、ステップＳ５０６に進む。
【０２７７】
ステップＳ５０５：使用されていない順に必要数分を決定する。つまり、隣接空がないため、空いている全部の返却口のなかから、夫々の返却口が万遍なく使用されるように、使用されてない順に必要数分の返却口を予約する。そして、図２９のフローチャートは終了する。
【０２７８】
なお、ステップＳ５０５の決定に際し、使用状況による判断では候補が複数存在し、決定（予約）すべき返却口を特定できない場合もある。例えば、必要数が３個であり、全１２個の返却口のうち８個の返却口が前々日には使用されずに前日に使用され、残り４個の返却口が前日には使用されずに前々日に使用されていたような場合には、必要数である３個の返却口を決定する候補となる返却口が４個存在することになるため（前々日に使用された返却口が４個であるため）、使用状況による判断のみでは、候補４個のなかから必要数３個を特定できない。また、例えば、使用状況が上記と同様で、必要数が５個である場合には、必要数である５個の返却口のうち４個の返却口（前々日に使用された４個の返却口）を決定した後に、必要数である５個の返却口のうち残る１個の返却口を決定する候補となる返却口が８個存在することになるため（前日に使用された返却口が８個であるため）、使用状況による判断のみでは、候補８個のなかから必要数１個を特定できない。
【０２７９】
上述のような場合には、乱数などを用いて複数の候補のなかからランダムに返却口を決定してもよい。また、所定のルールに基づいて複数の候補のなかから返却口を決定してもよい。例えば、所定のルールとして、所定の優先順位（例えば、左側の列を優先し、同一の列では上段を優先した優先順位として、返却口番号「Ｈ１１」→「Ｈ１２」→「Ｈ２１」→「Ｈ２２」→「Ｈ３１」→「Ｈ３２」、…、「Ｈ６１」→「Ｈ６２」の順）に従って返却口を決定してもよい。
【０２８０】
ステップＳ５０６：隣接空数が必要数以上であるか否かを判断する。なお、隣接空数とは、隣接空（隣接する空状態の返却口群）を構成する空状態の返却口数である。隣接空数が必要数未満の場合には（ステップＳ５０６；ＮＯ）、ステップＳ５０７に進む。隣接空数が必要数以上の場合には（ステップＳ５０６；ＹＥＳ）、ステップＳ５０８に進む。なお、複数の隣接空が存在する場合には、夫々の隣接空の隣接空数のうち最大の隣接空数が必要数以上であるか否かを判断する。
【０２８１】
ステップＳ５０７：隣接空を優先して必要数分を決定する。そして、図２９のフローチャートは終了する。
【０２８２】
以下、ステップＳ５０７の処理について、隣接空（隣接空数が必要数未満の隣接空）が１つしか存在しない場合と、隣接空（隣接空数が必要数未満の隣接空）が複数存在する場合とに分けて説明する。
【０２８３】
隣接空（隣接空数が必要数未満の隣接空）が１つしか存在しない場合には、例えば、必要数のうち隣接空数分については、使用状況に関係なく当該隣接空を構成する空状態の全返却口を決定し、残りについては、空いている全部の返却口（隣接空を構成しない空状態の全部の返却口）のなかから、使用されていない順に返却口を決定してもよい。なお、上記残りの決定において、使用状況による判断では候補が複数存在する場合には、ステップＳ５０５における決定と同様、乱数などを用いて複数の候補のなかからランダムに返却口を決定してもよい。また、所定のルールに基づいて複数の候補のなかから返却口を決定してもよい。
【０２８４】
隣接空（隣接空数が必要数未満の隣接空）が複数存在する場合には、例えば、使用状況に関係なく隣接空数が大きい隣接空を優先して返却口を決定してもよい。例えば、必要数が４個であり、隣接空数が２の隣接空が１つ、隣接空数が３の隣接空が１つ存在する場合には、隣接空数が３の隣接空を構成する空状態の全返却口（３個）を決定し、隣接空数が２の隣接空を構成する空状態の返却口（２個）のなかから、最も使用されていない１個の返却口を決定してもよい。なお、隣接空数が２の隣接空を構成する空状態の返却口（２個）の使用状況が同一である場合には、乱数などを用いて２個のなかからランダムに１個の返却口を決定してもよいし、所定のルールに基づいて２個のなかから１個の返却口を決定してもよい。以下に説明する、隣接空数が小さい隣接空を優先して返却口を決定する場合も同様である。
【０２８５】
隣接空（隣接空数が必要数未満の隣接空）が複数存在する場合に、上記に代えて、使用状況に関係なく隣接空数が小さい隣接空を優先して返却口を決定してもよい。例えば、必要数が４個であり、隣接空数が２の隣接空が１つ、隣接空数が３の隣接空が１つ存在する場合には、隣接空数が２の隣接空を構成する空状態の全返却口（２個）を決定し、隣接空数が３の隣接空を構成する空状態の返却口（３個）のなかから、使用されていない順に２個の返却口を決定してもよい。
【０２８６】
なお、上述の隣接空数が大きい隣接空を優先して返却口を決定する場合や、隣接空数が小さい隣接空を優先して返却口を決定する場合において、隣接空数が同一の隣接空が複数存在する場合には、使用状況や乱数や所定のルールに基づいて、何れか１つの隣接空を決定し、決定した隣接空を構成する空状態の返却口のなかから返却口を決定してもよい。
【０２８７】
また、全部の隣接空の隣接空数の合計より必要数が多い場合には、必要数のうち隣接空数分（全部の隣接空の隣接空数）については、当該隣接空（全部の隣接空）を構成する空状態の全返却口を決定し、残りについては、空いている全部の返却口（隣接空を構成しない空状態の全部の返却口）のなかから、使用されていない順に返却口を決定してもよい。なお、上記残りの決定において、使用状況による判断では候補が複数存在する場合には、ステップＳ５０５における決定と同様、乱数などを用いて複数の候補のなかからランダムに返却口を決定してもよい。また、所定のルールに基づいて複数の候補のなかから返却口を決定してもよい。
【０２８８】
ステップＳ５０８：隣接空のなかから必要数分を決定する。そして、図２９のフローチャートは終了する。
【０２８９】
以下、ステップＳ５０８の処理について、必要数と等しい隣接空数の隣接空が存在する場合と、必要数と等しい隣接空数の隣接空が存在しない場合とに分けて説明する。
【０２９０】
必要数と等しい隣接空数の隣接空が存在する場合には、必要数と等しい隣接空数の隣接空を構成する空状態の全返却口を決定してもよい。例えば、必要数が３個であり、隣接空数が２の隣接空が１つ、隣接空数が３の隣接空が１つ、隣接空数が４の隣接空が１つ存在する場合には、隣接空数が３の隣接空を構成する空状態の全返却口（３個）を決定してもよい。なお、必要数と等しい隣接空数の隣接空が複数存在している場合には、使用状況や乱数や所定のルールに基づいて、何れか１つの隣接空（必要数と等しい隣接空数の隣接空）を決定し、決定した隣接空を構成する空状態の全返却口を決定してもよい。例えば、必要数が３個であり、隣接空数が２の隣接空が１つ、隣接空数が３の隣接空が２つ、隣接空数が４の隣接空が１つ存在する場合には、使用状況や乱数や所定のルールに基づいて、隣接空数が３の何れか１つの隣接空を決定し、決定した隣接空を構成する空状態の全返却口（３個）を決定してもよい。
【０２９１】
必要数と等しい隣接空数の隣接空が存在しない場合には、必要数を超える最小の隣接空数の隣接空を構成する空状態の返却口のなかから、使用されていない順に必要数分の返却口を決定してもよい。例えば、必要数が３個であり、隣接空数が２の隣接空が１つ、隣接空数が４の隣接空が１つ、隣接空数が５の隣接空が１つ存在する場合には、隣接空数が４の隣接空を構成する空状態の返却口（４個）のなかから、使用されていない順に３個の返却口を決定してもよい。なお、必要数を超える最小の隣接空数の隣接空が複数存在している場合には、使用状況や乱数や所定のルールに基づいて、何れか１つの隣接空（必要数を超える最小の隣接空数の隣接空）を決定し、決定した隣接空を構成する空状態の返却口のなかから、使用されていない順に必要数分の返却口を決定してもよい。例えば、必要数が３個であり、隣接空数が２の隣接空が１つ、隣接空数が４の隣接空が２つ、隣接空数が５の隣接空が１つ存在する場合には、使用状況や乱数や所定のルールに基づいて、隣接空数が４の何れか１つの隣接空を決定し、決定した隣接空を構成する空状態の返却口（４個）のなかから、使用されていない順に３個の返却口を決定してもよい。
【０２９２】
なお、使用されていない順に返却口を決定する際に（上記の例では、隣接空数が４の隣接空を構成する空状態の返却口（４個）のなかから使用されていない順に３個の返却口を決定する際に）、使用状況による判断では候補が複数存在する場合には、乱数などを用いて複数の候補のなかからランダムに返却口を決定してもよい。また、所定のルールに基づいて複数の候補のなかから返却口を決定してもよい。
【０２９３】
以上、図２９のフローチャートによれば、予約（必要数）に対して空数に余裕がある場合には（ステップＳ５００（ＹＥＳ））、複数の返却口を使用する利用者に対し（ステップＳ５０２（ＹＥＳ））、隣接空が存在すれば（ステップＳ５０４（ＹＥＳ））、隣接する返却口が優先して予約されるようになる。
【０２９４】
図２９に示したフローチャートの処理は、上述したように、１つ１つの予約について個別に返却口を決定（個々の予約時に都度返却口を決定）する態様であるが、返却口の決定態様はこれに限定されない。例えば、ある期間内に行われた１以上の予約について返却口を纏めて決定（上記期間の終了後に一括して返却口を決定）してもよい。
【０２９５】
図３０は、返却口の決定方法の他の例を示すフローチャートである。返却口を決定する装置（例えば、管理装置１０、ＰＯＳ端末２０等）は、図２９に示したフローチャートの処理に代えて、図３０に示したフローチャートの処理を実行してもよい。図３０に示したフローチャートの処理は、例えば、所定時刻（例えば、予約日前日の２３時等）に開始する。
【０２９６】
図３０のステップＳ５１６：全予約を抽出したか否かを判断する。つまり、以下の処理（ステップＳ５１８〜Ｓ５２８）において個々の予約について返却口を決定することになるが、全部の予約について返却口を決定したか否かを判断する。全予約を抽出した場合には（ステップＳ５１６；ＹＥＳ）、図３０のフローチャートは終了する。全予約を抽出していない場合には（ステップＳ５１６；ＮＯ）、ステップＳ５１８に進む。
【０２９７】
ステップＳ５１８：未決定の予約のうち必要数が最大の予約を１つ抽出する。つまり、使用する返却口が多い予約（利用者）から順番に返却口を決定するように制御する。なお、必要数が同一の複数の予約があった場合には、例えば、予約順（予約時刻の早い順）に抽出してもよい。
【０２９８】
ステップＳ５１８の処理の実行後にはステップＳ５２０に進む。なお、図３０のステップＳ５２０〜Ｓ５２８の処理は、図２９のステップＳ５００〜Ｓ５０８の処理と同様であるため、説明を省略する。図３０のステップＳ５２１、Ｓ５２３、Ｓ５２５、Ｓ５２７、Ｓ５２８の処理のいずれかの処理の実行後にはステップＳ５１６に戻る。そして、上述したように、全部の予約について返却口を決定することにより、図３０のフローチャートは終了する。
【０２９９】
以上、図３０のフローチャートによれば、必要数が多い予約から返却口を決定するため（ステップＳ５１８）、複数の返却口を使用する利用者に対し、隣接する返却口が、より予約され易くなる。
【０３００】
図３１は、返却口の決定方法について説明する説明図である。図３１（Ａ）は、図１８（Ｂ）の共通ロッカー２００の全１２個の返却口（返却口番号「Ｈ１１」〜「Ｈ６２」）を模式的に示している。図３１（Ａ）において、各返却口の使用状況は次の通りであるものとする。返却口番号「Ｈ１１」、「Ｈ１２」、「Ｈ２１」、「Ｈ２２」、「Ｈ５１」、「Ｈ５２」の６個の返却口は、昨日使用された返却口である。返却口番号「Ｈ３１」、「Ｈ３２」、「Ｈ４２」、「Ｈ６１」、「Ｈ６２」の５個の返却口は、２日前に使用された返却口（最後に使用されたのが２日前）である。返却口番号「Ｈ４１」の返却口は、３日前に使用された返却口（最後に使用されたのが３日前）である。
【０３０１】
図３１（Ｂ）は、使用状況に基づいて個々の予約毎に返却口を決定する方法（図２９に示したフローチャートの決定方法）によって、図３１（Ａ）に示した各返却口が決定される様子を示している。図３１（Ｃ）は、使用状況に基づいて複数の予約について一括して返却口を決定する方法（図３０に示したフローチャートの決定方法）によって、図３１（Ａ）に示した各返却口が決定される様子を示している。図３１（Ｂ）（図３１（Ｃ）、図３２（Ｂ）、図３２（Ｃ）も同様）では、各返却口の返却口番号の記載は省略している。
【０３０２】
（使用状況に基づいて個々の予約毎に返却口を決定する方法／図３１（Ｂ））
図３１（Ｂ）の説明では、同一の日に、下記の順番で合計４件の返却口の予約の依頼があったものとする。
１件目：必要返却口数（必要数）が１個である利用者ａの予約
２件目：必要返却口数（必要数）が１個である利用者ｂの予約
３件目：必要返却口数（必要数）が３個である利用者ｃの予約
４件目：必要返却口数（必要数）が５個である利用者ｄの予約
即ち、当該決定方法では、予約順に（利用者ａの予約→利用者ｂの予約→利用者ｃの予約→利用者ｄの予約の順に）、返却口が決定される。
【０３０３】
１件目（利用者ａ）の予約があった場合には、図３１（Ｂ）の最上段に示すように、利用者ａの予約に対し、返却口番号「Ｈ４１」の返却口が決定される。つまり、利用者ａの必要数は１個、利用者ａの予約時の予約済数は０、即ち空数は１２であるため、空数は必要数よりも多く（図２９のステップＳ５００（ＹＥＳ））、必要数は１個であるため（ステップＳ５０２（ＮＯ））、空いている全部の返却口のなかから最も使用されてない１個の返却口を予約することになる（ステップＳ５０３）。空いている全１２個の返却口（返却口番号「Ｈ１１」〜「Ｈ６２」）のなかで最も使用されていない返却口は、３日前に使用された返却口番号「Ｈ４１」の返却口に特定できる。従って、返却口番号「Ｈ４１」の返却口を決定している。
【０３０４】
その後、２件目（利用者ｂ）の予約があった場合には、図３１（Ｂ）の２段目に示すように、利用者ｂの予約に対し、返却口番号「Ｈ６１」の返却口が決定される。つまり、利用者ｂの必要数は１個、利用者ｂの予約時の予約済数は１、即ち空数は１１であるため、空数は必要数よりも多く（ステップＳ５００（ＹＥＳ））、必要数は１個であるため（ステップＳ５０２（ＮＯ））、空いている全部の返却口のなかから最も使用されてない１個の返却口を予約することになる（ステップＳ５０３）。空いている全１１個の返却口（返却口番号「Ｈ４１」以外の１１個の返却口）のなかで最も使用されていない返却口は、２日前に使用された５個の返却口（返却口番号「Ｈ３１」、「Ｈ３２」、「Ｈ４２」、「Ｈ６１」、「Ｈ６２」の返却口）であり、使用状況だけでは１個を特定できない。従って、ここでは、決定後に隣接空数がなるべく大きくなるように（ここでは、２日前に使用された返却口における決定後の隣接空数がなるべく大きくなるように）、返却口番号「Ｈ６１」の返却口を決定している。なお、返却口番号「Ｈ６２」の返却口を決定してもよいが、ここでは、上段を優先して決定している。
【０３０５】
その後、３件目（利用者ｃ）の予約があった場合には、図３１（Ｂ）の３段目に示すように、利用者ｃの予約に対し、返却口番号「Ｈ３１」、「Ｈ３２」、「Ｈ４２」の３個の返却口が決定される。つまり、利用者ｃの必要数は３個、利用者ｃの予約時の予約済数は２、即ち空数は１０であるため、空数は必要数よりも多く（ステップＳ５００（ＹＥＳ））、必要数は３個であり（ステップＳ５０２（ＹＥＳ））、隣接空は存在し（ステップＳ５０４（ＹＥＳ））、隣接空数は１０、即ち必要数以上であるため（ステップＳ５０６（ＹＥＳ））、隣接空のなかから必要数分を決定することになる（ステップＳ５０８）。ここでは、隣接空のなかから使用されていない順に必要数分の返却口を決定している。隣接空を構成する１０個の返却口（返却口番号「Ｈ１１」、「Ｈ１２」、「Ｈ２１」、「Ｈ２２」、「Ｈ３１」、「Ｈ３２」、「Ｈ４２」、「Ｈ５１」、「Ｈ５２」、「Ｈ６２」の返却口）のうち、返却口番号「Ｈ３１」、「Ｈ３２」、「Ｈ４２」、「Ｈ６２」の４個は２日前に使用された返却口であり、返却口番号「Ｈ１１」、「Ｈ１２」、「Ｈ２１」、「Ｈ２２」、「Ｈ５１」、「Ｈ５２」の６個は昨日使用された返却口であるため、２日前に使用された上記４個の返却口のなかから３個を決定することになり、使用状況だけでは３個を特定できない。従って、ここでは、利用者ｃが利用する複数の返却口が隣接するように、返却口番号「Ｈ３１」、「Ｈ３２」、「Ｈ４２」の３個の返却口を決定している。
【０３０６】
その後、４件目（利用者ｄ）の予約があった場合には、図３１（Ｂ）の４段目に示すように、利用者ｄの予約に対し、返却口番号「Ｈ１１」、「Ｈ１２」、「Ｈ２１」、「Ｈ２２」、「Ｈ６２」の５個の返却口が決定される。つまり、利用者ｄの必要数は５個、利用者ｄの予約時の予約済数は５、即ち空数は７であるため、空数は必要数よりも多く（ステップＳ５００（ＹＥＳ））、必要数は５個であり（ステップＳ５０２（ＹＥＳ））、隣接空（隣接空数が４の隣接空、及び、隣接空数が３の隣接空）は存在し（ステップＳ５０４（ＹＥＳ））、隣接空数（最大）は４、即ち必要数以上であるため（ステップＳ５０６（ＹＥＳ））、隣接空のなかから必要数分を決定することになる（ステップＳ５０８）。ここでは、隣接空のなかから使用されていない順に必要数分の返却口を決定している。つまり、隣接空数が４の隣接空を構成する４個の返却口（返却口番号「Ｈ１１」、「Ｈ１２」、「Ｈ２１」、「Ｈ２２」の返却口）、及び、隣接空数が３の隣接空を構成する３個の返却口（返却口番号「Ｈ５１」、「Ｈ５２」、「Ｈ６２」）のうち、まずは、２日前に使用された１個の返却口（返却口番号「Ｈ６２」の返却口）を決定する。続いて、３日前に使用された６個の返却口（返却口番号「Ｈ１１」、「Ｈ１２」、「Ｈ２１」、「Ｈ２２」、「Ｈ５１」、「Ｈ５２」の返却口）のなかから４個を決定することになるが、使用状況だけでは４個を特定できない。従って、ここでは、利用者ｄが利用する複数の返却口が隣接するように、返却口番号「Ｈ１１」、「Ｈ１２」、「Ｈ２１」、「Ｈ２２」の４個の返却口を決定している。
【０３０７】
（使用状況に基づいて一括して返却口を決定する方法／図３１（Ｃ））
図３１（Ｃ）の説明では、所定時刻以前に、下記の順番で合計４件の返却口の予約の依頼があったものとする。
１件目：必要返却口数（必要数）が１個である利用者ａの予約
２件目：必要返却口数（必要数）が１個である利用者ｂの予約
３件目：必要返却口数（必要数）が３個である利用者ｃの予約
４件目：必要返却口数（必要数）が５個である利用者ｄの予約
即ち、当該決定方法では、必要数が大きい順（利用者ｄの予約→利用者ｃの予約→利用者ａの予約→利用者ｂの予約）に返却口が決定される（図３０のステップＳ５１８）。
【０３０８】
所定時刻（例えば予約日前日の２３時等）において、まず、図３１（Ｃ）の最上段に示すように、利用者ｄの予約に対し、返却口番号「Ｈ３１」、「Ｈ３２」、「Ｈ４１」、「Ｈ４２」、「Ｈ５１」の５個の返却口が決定される。つまり、利用者ｄの必要数は５個、利用者ｄの予約時の予約済数は０、即ち空数は１２であるため、空数は必要数よりも多く（図３０のステップＳ５２０（ＹＥＳ））、必要数は５個であり（ステップＳ５２２（ＹＥＳ））、隣接空は存在し（ステップＳ５２４（ＹＥＳ））、隣接空数は１２、即ち必要数以上であるため（ステップＳ５２６（ＹＥＳ））、隣接空のなかから必要数分を決定することになる（ステップＳ５２８）。ここでは、隣接空のなかから使用されていない順を考慮しつつ、隣接する返却口を優先して返却口を決定している。具体的には、最も使用されていない返却口（３日前に使用された返却口番号「Ｈ４１」の返却口）を決定し、続いて、最も使用されていない返却口（返却口番号「Ｈ４１」の返却口）に隣接する３個の返却口（返却口番号「Ｈ３１」、「Ｈ４２」、「Ｈ５１」の返却口）を決定し、続いて、最も使用されていない返却口（返却口番号「Ｈ４１」の返却口）の斜めに位置する２個の返却口（返却口番号「Ｈ３２」、「Ｈ５２」の返却口）のうち、より使用されていない返却口（返却口番号「Ｈ３２」の返却口）を決定している。
【０３０９】
次に、図３１（Ｃ）の２段目に示すように、利用者ｃの予約に対し、返却口番号「Ｈ５２」、「Ｈ６１」、「Ｈ６２」の３個の返却口が決定される。つまり、利用者ｃの必要数は３個、利用者ｃの予約時の予約済数は５、即ち空数は７であるため、空数は必要数よりも多く（ステップＳ５２０（ＹＥＳ））、必要数は３個であり（ステップＳ５２２（ＹＥＳ））、隣接空（隣接空数が４の隣接空、及び、隣接空数が３の隣接空）は存在し（ステップＳ５２４（ＹＥＳ））、隣接空数（最大）は４、即ち必要数以上であるため（ステップＳ５２６（ＹＥＳ））、隣接空のなかから必要数分を決定することになる（ステップＳ５２８）。隣接空数が必要数と同数（具体的には３）の隣接空（返却口番号「Ｈ５１」、「Ｈ６１」、「Ｈ６２」による隣接空）が存在するため、ここでは、当該隣接空を構成する空状態の３個の返却口（返却口番号「Ｈ５２」、「Ｈ６１」、「Ｈ６２」の返却口）を決定している。
【０３１０】
次に、図３１（Ｃ）の３段目に示すように、利用者ａの予約に対し、返却口番号「Ｈ１１」の返却口が決定される。つまり、利用者ａの必要数は１個、利用者ａの予約時の予約済数は８、即ち空数は４であるため、空数は必要数よりも多く（ステップＳ５２０（ＹＥＳ））、必要数は１個であるため（ステップＳ５２２（ＮＯ））、空いている４個の返却口のなかから最も使用されてない１個の返却口を予約することになる（ステップＳ５２３）。空いている４個の返却口は、何れも昨日使用された返却口（返却口番号「Ｈ１１」、「Ｈ１２」、「Ｈ２１」、「Ｈ２２」の返却口）であるため、使用状況だけでは１個を特定できない。使用状況だけでは１個を特定できないため、ここでは、所定の優先順位（例えば、左側の列を優先し、同一の列では上段を優先した優先順位）に従って、返却口番号「Ｈ１１」の返却口を決定している。
【０３１１】
次に、図３１（Ｃ）の４段目に示すように、利用者ｂの予約に対し、返却口番号「Ｈ１２」の返却口が決定される。つまり、利用者ｂの必要数は１個、利用者ｂの予約時の予約済数は９、即ち空数は３であるため、空数は必要数よりも多く（ステップＳ５２０（ＹＥＳ））、必要数は１個であるため（ステップＳ５２２（ＮＯ））、空いている３個の返却口のなかから最も使用されてない１個の返却口を予約することになる（ステップＳ５２３）。空いている３個の返却口は、何れも昨日使用された返却口（返却口番号「Ｈ１２」、「Ｈ２１」、「Ｈ２２」の返却口）であるため、使用状況だけでは１個を特定できない。使用状況だけでは１個を特定できないため、ここでは、所定の優先順位（例えば、左側の列を優先し、同一の列では上段を優先した優先順位）に従って、返却口番号「Ｈ１２」の返却口を決定している。
【０３１２】
以上、図３１を用いて、使用状況に基づいて個々の予約毎に返却口を決定する方法（図２９に示したフローチャートの決定方法）や、図３１（Ｃ）は、使用状況に基づいて複数の予約について一括して返却口を決定する方法（図３０に示したフローチャートの決定方法）について、具体例を用いて説明したが、返却口の決定方法は、これらに限定されない。
【０３１３】
図３２は、返却口の他の決定方法について説明する説明図である。図３１にて説明した返却口の決定方法（図２９や図３０に示したフローチャートの決定方法）は、夫々の返却口が万遍なく使用されるようにするために、夫々の返却口の使用状況を具体的に管理・参照し、返却口を決定する方法であるが、図３２にて説明する返却口の決定方法は、夫々の返却口が万遍なく使用されるようにするために、どの位置にある返却口を決定するかの基準（基準決定位置）を移動させて、返却口を決定する方法である。
【０３１４】
図３２（Ａ）は、図１８（Ｂ）の共通ロッカー２００の全１２個の返却口（返却口番号「Ｈ１１」〜「Ｈ６２」）を模式的に示している。図３２（Ａ）において、返却口番号「Ｈ５１」が現在の基準決定位置である。
【０３１５】
図３２（Ｂ）は、基準決定位置に基づいて個々の予約毎に返却口を決定する方法によって、図３２（Ａ）に示した各返却口が決定される様子を示している。図３２（Ｃ）は、基準決定位置に基づいて複数の予約について一括して返却口を決定する方法によって、図３２（Ａ）に示した各返却口が決定される様子を示している。
【０３１６】
（基準決定位置に基づいて予約毎に返却口を決定する方法／図３２（Ｂ））
図３２（Ｂ）の説明では、下記の順番で合計４件の返却口の予約の依頼があったものとする。
１件目：必要返却口数（必要数）が１個である利用者ａの予約
２件目：必要返却口数（必要数）が１個である利用者ｂの予約
３件目：必要返却口数（必要数）が３個である利用者ｃの予約
４件目：必要返却口数（必要数）が５個である利用者ｄの予約
即ち、当該決定方法では、予約順に（利用者ａの予約→利用者ｂの予約→利用者ｃの予約→利用者ｄの予約の順に）、返却口が決定される。
【０３１７】
１件目（利用者ａ）の予約があった場合には、図３２（Ｂ）の最上段に示すように、利用者ａの予約に対し、返却口番号「Ｈ５１」の返却口が決定される。つまり、現在の基準決定位置は返却口番号「Ｈ５１」の返却口、利用者ａの必要数は１個であるため、基準決定位置（返却口番号「Ｈ５１」の返却口）から１個、即ち、返却口番号「Ｈ５１」の返却口を決定している。また、図３２（Ｂ）の最上段に示すように、基準決定位置が、返却口番号「Ｈ５１」の返却口から返却口番号「Ｈ５２」の返却口に変更される。つまり、所定順序（図３２（Ｂ）の例では、返却口番号「Ｈ５１」→「Ｈ５２」→「Ｈ６１」→「Ｈ６２」→「Ｈ１１」→「Ｈ１２」→、…）に従って、基準決定位置を、決定数分（１個分）移動している。
【０３１８】
なお、１件目の予約を決定する際の基準決定位置は、前日や２日前や３日前にどの返却口が使用されたかなどの使用状況に関係なく、予約日毎に定められている。具体的には、予約日毎に所定順序（例えば、返却口番号「Ｈ１１」→「Ｈ１２」→「Ｈ２１」→「Ｈ２２」→、…、「Ｈ６１」→「Ｈ６２」→「Ｈ１１」→「Ｈ１２」→「Ｈ２１」→「Ｈ２２」→、…）に従って基準決定位置を１個ずつ移動させている。例えば、２０１Ｘ年４月２０日分の１件目の予約では返却口番号「Ｈ５１」の返却口を基準決定位置とし、２０１Ｘ年４月２１日分の１件目の予約では返却口番号「Ｈ５２」の返却口を基準決定位置とし、２０１Ｘ年４月２２日分の１件目の予約では返却口番号「Ｈ６１」の返却口を基準決定位置としている。
【０３１９】
その後、２件目（利用者ｂ）の予約があった場合には、図３２（Ｂ）の２段目に示すように、利用者ｂの予約に対し、返却口番号「Ｈ５２」の返却口が決定される。つまり、現在の基準決定位置は返却口番号「Ｈ５２」の返却口、利用者ｂの必要数は１個であるため、基準決定位置（返却口番号「Ｈ５２」の返却口）から１個、即ち、返却口番号「Ｈ５２」の返却口を決定している。また、図３２（Ｂ）の２段目に示すように、基準決定位置が、決定数分（１個分）移動し、返却口番号「Ｈ５２」の返却口から返却口番号「Ｈ６１」の返却口に変更される。
【０３２０】
その後、３件目（利用者ｃ）の予約があった場合には、図３２（Ｂ）の３段目に示すように、利用者ｃの予約に対し、返却口番号「Ｈ６１」、「Ｈ１１」、「Ｈ１２」の３個の返却口が決定される。つまり、現在の基準決定位置は返却口番号「Ｈ６１」の返却口、利用者ｃの必要数は３個であるため、基準決定位置（返却口番号「Ｈ６１」の返却口）から３個（所定順序で３個）、即ち、返却口番号「Ｈ６２」、「Ｈ６１」、「Ｈ１１」の３個の返却口を決定している。また、図３２（Ｂ）の３段目に示すように、基準決定位置が、決定数分（３個分）移動し、返却口番号「Ｈ６１」の返却口から返却口番号「Ｈ１２」の返却口に変更される。
【０３２１】
その後、４件目（利用者ｄ）の予約があった場合には、図３２（Ｂ）の４段目に示すように、利用者ｄの予約に対し、返却口番号「Ｈ１２」、「Ｈ２１」、「Ｈ２２」、「Ｈ３１」、「Ｈ３２」の５個の返却口が決定される。つまり、現在の基準決定位置は返却口番号「Ｈ１２」の返却口、利用者ｄの必要数は５個であるため、基準決定位置（返却口番号「Ｈ１２」の返却口）から５個（所定順序で５個）、即ち、返却口番号「Ｈ１２」、「Ｈ２１」、「Ｈ２２」、「Ｈ３１」、「Ｈ３２」の５個の返却口を決定している。また、図３２（Ｂ）の４段目に示すように、基準決定位置が、決定数分（５個分）移動し、返却口番号「Ｈ１２」の返却口から返却口番号「Ｈ４１」の返却口に変更される。
【０３２２】
（基準決定位置に基づいて一括して返却口を決定する方法／図３２（Ｃ））
図３２（Ｂ）の説明では、所定時刻以前に、下記の順番で合計４件の返却口の予約の依頼があったものとする。
１件目：必要返却口数（必要数）が１個である利用者ａの予約
２件目：必要返却口数（必要数）が１個である利用者ｂの予約
３件目：必要返却口数（必要数）が３個である利用者ｃの予約
４件目：必要返却口数（必要数）が５個である利用者ｄの予約
即ち、当該決定方法では、必要数が大きい順（利用者ｄの予約→利用者ｃの予約→利用者ａの予約→利用者ｂの予約）に返却口が決定される。
【０３２３】
所定時刻（例えば予約日前日の２３時等）において、まず、基準決定位置と、全体の必要数とに基づいて、図３２（Ｃ）の最上段に示すように、全１２個の返却口のなかから今回決定する返却口の範囲である返却口決定範囲（太枠内にて示した範囲）が決定される。つまり、基準決定位置である返却口番号「Ｈ５１」の返却口を起点とし、所定順序（図３２（Ｃ）の例では、返却口番号「Ｈ５１」→「Ｈ５２」→「Ｈ６１」→「Ｈ６２」→「Ｈ１１」→「Ｈ１２」→、…）に従って、全体の必要数（利用者ｄの必要数である５個、利用者ｃの必要数である３個、利用者ａの必要数である１個、利用者ｂの必要数である１個を合算した１０個）分の返却口（返却口番号「Ｈ５１」、「Ｈ５２」、「Ｈ６１」、「Ｈ６２」、「Ｈ１１」、「Ｈ１２」、「Ｈ２１」、「Ｈ２２」、「Ｈ３１」、「Ｈ３２」の１０個の返却口）を返却口決定範囲として決定する。
【０３２４】
続いて、図３２（Ｃ）の最上段に示すように、利用者ｄの予約に対し、返却口番号「Ｈ１１」、「Ｈ１２」、「Ｈ２１」、「Ｈ２２」、「Ｈ３１」の５個の返却口が決定される。つまり、利用者ｄの必要数は５個であるため、返却口決定範囲のなかから、隣接した５個（返却口番号「Ｈ１１」、「Ｈ１２」、「Ｈ２１」、「Ｈ２２」、「Ｈ３１」）の返却口を決定している。なお、隣接した５個の組み合せは、上記の組み合せ（返却口番号「Ｈ１１」、「Ｈ１２」、「Ｈ２１」、「Ｈ２２」、「Ｈ３１」）以外にも存在するが（例えば、返却口番号「Ｈ１１」、「Ｈ１２」、「Ｈ２１」、「Ｈ２２」、「Ｈ３２」等）、図３２（Ｃ）では、所定順序（返却口番号「Ｈ１１」→「Ｈ１２」、「Ｈ２１」、「Ｈ２２」、「Ｈ３１」、「Ｈ３２」、…）に従っている。
【０３２５】
次に、図３２（Ｃ）の２段目に示すように、利用者ｃの予約に対し、返却口番号「Ｈ５１」、「Ｈ６２」、「Ｈ６１」の３個の返却口が決定される。つまり、利用者ｃの必要数は３個であるため、返却口決定範囲のうち未決定の返却口（返却口番号「Ｈ３２」、「Ｈ５１」、「Ｈ５２」、「Ｈ６１」、「Ｈ６２」の５個の返却口）のなかから、隣接した３個（返却口番号「Ｈ５１」、「Ｈ５２」、「Ｈ６１」）の返却口を決定している。
【０３２６】
次に、図３２（Ｃ）の３段目に示すように、利用者ａの予約に対し、返却口番号「Ｈ３２の１個の返却口が決定される。つまり、利用者ａの必要数は１個であるため、返却口決定範囲のうち未決定の返却口（返却口番号「Ｈ３２」、「Ｈ６２」の２個の返却口）のなかから、返却口番号「Ｈ３２」の返却口を決定している。
【０３２７】
次に、図３２（Ｃ）の４段目に示すように、利用者ｂの予約に対し、返却口番号「Ｈ６２の１個の返却口が決定される。つまり、利用者ｂの必要数は１であるため、返却口決定範囲のうち未決定の返却口（返却口番号「Ｈ６２」の１個の返却口）を決定している。
【０３２８】
以上、図３１及び図３２を用いて返却口の決定方法について説明したが、夫々の決定方法には、例えば、以下のような特長がある。
【０３２９】
使用状況に基づいて個々の予約毎に返却口を決定する方法（図３１（Ｂ））では、予約がある度に予約時における実際の過去の使用状況に基づいて返却口を決定するため、隣接する返却口をなるべく予約することができるとともに、予約時における使用状況を反映して万遍なく返却口を予約することができる。更に、利用者に対して直ぐに返却口を通知することができる。
【０３３０】
使用状況に基づいて一括して返却口を決定する方法（図３１（Ｃ））では、所定時刻に必要数が大きい順に纏めて返却口を決定するため、隣接する返却口がより決定され易くなるとともに、所定時刻における使用状況を反映して万遍なく返却口を予約することができる。また、使用状況に基づいて個々の予約毎に返却口を決定する方法に比べ、処理が比較的簡素になる。つまり、使用状況に基づいて個々の予約毎に返却口を決定する方法では、予約日に返却口を決定し、また予約日に応じて過去の使用状況も変化するため、処理が比較的複雑になるが、使用状況に基づいて一括して返却口を決定する方法では、予約日に関係なく決定日は一定であるため、処理が比較的簡素になる。
【０３３１】
基準決定位置に基づいて予約毎に返却口を決定する方法（図３２（Ｂ））では、過去の使用状況ではなく基準決定位置を利用して返却口を決定するため、使用状況に基づいて個々の予約毎に返却口を決定する方法に比べ、処理が比較的簡素になる。
【０３３２】
基準決定位置に基づいて一括して返却口を決定する方法（図３２（Ｃ））では、過去の使用状況ではなく基準決定位置を利用して返却口を決定するため、使用状況に基づいて一括して返却口を決定する方法に比べ、処理が比較的簡素になる。
【０３３３】
なお、使用状況に基づいて返却口を決定する際の態様は上述した例に限定されない。即ち、図３１等に示した例は１日毎の具体的な使用有無を管理しているが、所定期間（例えば、１週間単位、１０日単位、１か月単位等）における使用頻度を管理してもよい。例えば、１週間単位の使用頻度を管理する態様では、各返却口の前週の使用頻度を算出し、前週の使用頻度が低い返却口を優先して決定するようにしてもよい。
【０３３４】
また、基準決定位置に基づいて返却口を決定する際の態様は上述した例に限定されない。即ち、図３２に示した例では予約日毎に基準決定位置を１個ずつ移動させているが、所定期間（例えば、１週間単位、１０日単位、１か月単位等）毎に基準決定位置を１個ずつ移動させるようにしてもよい。
【０３３５】
また、使用状況に基づく決定方法（図３１の例）と、基準決定位置に基づく決定方法（図３２の例）とを組み合わせた決定方法としてもよい。一例として、使用状況に基づいて基準決定位置を決定するようにしてもよい。前回の所定期間（例えば、過去１週間、過去１０日、過去１か月等）における最も使用頻度が低い返却口を今回の所定期間における基準決定位置として決定してもよい。
【０３３６】
図３３は、ロッカー予約時の動作の一例を示すフローチャートである。具体的には、図３３に示したフローチャートは、利用者が利用者端末５０において、ロッカー返却を予約する場合（返却ロッカーを予約する場合）における動作の一例を示している。なお、図３３に示したフローチャート（図３４に示したフローチャートも同様）は、返却口の決定方法に関しては、図３１（Ｂ）や図３２（Ｂ）にて説明した予約毎に返却口を決定する方法による動作例を示している。
【０３３７】
図３３のステップＳ６００：利用者端末５０は、予約用画面（例えば、図２５のロッカー返却予定日カレンダー画面）を管理装置１０に要求する。例えば、利用者が利用者端末５０において予約用画面を表示させる操作（例えば、ロッカー返却を希望する旨の選択等）を行った場合に、利用者端末５０は、予約用画面を管理装置１０に要求する。
【０３３８】
ステップＳ６０１：管理装置１０は、予約用画面（ロッカー返却予定日カレンダー画面）の要求を利用者端末５０から受信する。
ステップＳ６０２：管理装置１０は、予約用画面（現在の予約状況に基づく最新のロッカー返却予定日カレンダー画面）を生成する。具体的には、管理装置１０は、最新の、当該利用者の電子伝票ファイルや、預り商品情報ファイルや、ロッカー管理マスタファイルや、ロッカー別予約状況ファイル等を参照し、予約用画面を生成する。なお、管理装置１０は、当該商品（ロッカー返却を希望する商品）を預かった店舗に設置された返却ロッカーの予約用画面を生成すればよい。
ステップＳ６０３：管理装置１０は、予約用画面の画面情報を利用者端末５０に送信する。
【０３３９】
ステップＳ６０４：利用者端末５０は、画面情報を管理装置１０から受信する。
ステップＳ６０５：利用者端末５０は、予約用画面を表示する。
ステップＳ６０６：利用者端末５０は、予約用画面において予約操作（例えば、カレンダー欄（符号Ｈ）における予約可能な日のボタンのタッチ）を受け付ける。
ステップＳ６０７：利用者端末５０は、予約情報（予約日、必要数等）を管理装置１０に送信する。
【０３４０】
ステップＳ６０８：管理装置１０は、予約情報を利用者端末５０から受信する。
ステップＳ６１１：管理装置１０は、予約情報に基づいて返却口を決定する。例えば、図３１（Ｂ）や図３２（Ｂ）にて説明した方法により返却口を決定する。
ステップＳ６１２：管理装置１０は、返却口の決定結果に基づいて各種ファイルを更新する。つまり、管理装置１０は、Ｓ６１１における返却口の決定結果を、当該利用者の電子伝票ファイルや、預り商品情報ファイルや、ロッカー管理マスタファイルや、ロッカー別予約状況ファイル等に反映させる。
ステップＳ６１３：管理装置１０は、各種画面を更新、生成する。例えば、管理装置１０は、ステップＳ６１１における返却口の決定結果に基づいて（つまり、ステップＳ６１２において更新した各種ファイル等を参照して）、予約確認画面を更新、生成する。より詳細には、管理装置１０は、図２７に示したような予約内容を反映した伝票詳細画面を生成し、図２５に示したように予約内容を反映させるべくロッカー返却予定日カレンダー画面を更新する。また、管理装置１０は、図３６に示すように予約内容を反映したロッカー返却予定一覧画面を生成してもよい。つまり、ステップＳ６１３では、後段の処理（ステップＳ６１５、ステップＳ６２５にて送信する画面情報を生成する。
【０３４１】
ステップＳ６１５：管理装置１０は、画面情報を利用者端末５０に送信する。例えば、予約確認用画面（図２７に示したような予約内容を反映した伝票詳細画面）の画面情報を利用者端末５０に送信する。
ステップＳ６１６：利用者端末５０は、予約確認用画面（予約内容を反映した伝票詳細画面）の画面情報を管理装置１０から受信する。
ステップＳ６１７：利用者端末５０は、予約確認用画面（予約内容を反映した伝票詳細画面）を表示する。
【０３４２】
ステップＳ６２５：管理装置１０は、画面情報をＰＯＳ端末２０に送信する。例えば、予約確認用画面（図２５に示したような予約内容を反映したロッカー返却予定日カレンダー画面、図３６にて示すような予約内容を反映したロッカー返却予定一覧画面等）の画面情報をＰＯＳ端末２０に送信する。
ステップＳ６２６：ＰＯＳ端末２０は、予約確認用画面（予約内容を反映したロッカー返却予定日カレンダー画面やロッカー返却予定一覧画面等）の画面情報を管理装置１０から受信し、受信した画面情報を記憶部に記憶する。そして、図３３のフローチャートは終了する。
【０３４３】
なお、図３３のステップＳ６２５、Ｓ６２６の処理に代えて、管理装置１０は、ロッカーが予約された旨を報せるメッセージ情報をＰＯＳ端末２０に送信し、該メッセージ情報を受信したＰＯＳ端末２０は、現在表示中の画面に当該メッセージを表示してもよい。つまり、利用者端末５０においてロッカー返却を予約する場合の返却口の決定時には、最小限の情報をＰＯＳ端末２０に送信するようにしてもよい。
【０３４４】
また、ステップＳ６２５、Ｓ６２６の処理については、図３３に示したように返却口の決定時に行うのではなく、上記メッセージ情報の送受信の有無に関わらず、店員の操作があった場合に行うようにしてもよい。上記メッセージ情報を送信する場合の一例として、管理装置１０は、上記メッセージとともにＯＫ（表示する）ボタン及びキャンセル（表示しない）ボタンを含む小画面の画面情報をＰＯＳ端末２０に送信し、画面情報を受信したＰＯＳ端末２０は、該小画面を現在表示中の画面に重畳させて表示するとともに、ＯＫ（表示する）ボタンがタッチ（店員の操作に相当）に、予約確認用画面（ロッカー返却予定日カレンダー画面、ロッカー返却予定一覧画面等）が要求され、管理装置１０からＰＯＳ端末２０に送信されるようにしてもよい。図３５のフローチャートにおいても同様である。
【０３４５】
なお、図３３のフローチャートは、管理装置１０が返却口を決定する態様の動作例であるが、ＰＯＳ端末２０が返却口を決定する態様の場合には、ＰＯＳ端末２０による返却口の決定結果が、管理装置１０が記憶する各種ファイルに反映されるようになっていればよい。一例として以下のような流れであってもよい。利用者端末５０は、ＰＯＳ端末２０にアクセスし、予約用画面（ロッカー返却予定日カレンダー画面）を表示する。なお、利用者端末５０から予約用画面を要求されたＰＯＳ端末２０は、管理装置１０にアクセスして最新の予約用画面の画面情報を受信し、利用者端末５０に送信（転送）してもよい。続いて、予約用画面において予約操作を受け付けた利用者端末５０は、ＰＯＳ端末２０に予約情報を送信する。利用者端末５０から予約情報を受信したＰＯＳ端末２０は、返却口を決定し、返却口の決定結果を示す情報を管理装置１０に送信する。管理装置１０は、ＰＯＳ端末２０から受信した返却口の決定結果を示す情報に基づいて各種ファイルを更新する。続いて、ＰＯＳ端末２０は、管理装置１０から予約確認用画面（図２７に示したような予約内容を反映した伝票詳細画面）の画面情報を受信し、利用者端末５０に送信（転送）する。なお、Ｓ６２５、Ｓ６２６の処理については同様である。以上により、ＰＯＳ端末２０による返却口の決定結果が、管理装置１０が記憶する各種ファイルに反映される。図３５においても同様である。
【０３４６】
図３４は、ロッカー予約時の他の動作の一例を示すフローチャートである。具体的には、図３４に示したフローチャートは、店員がＰＯＳ端末２０において、当該店舗にて預かった商品についてロッカー返却を予約する場合（返却ロッカーを予約する場合）における動作の一例を示している。
【０３４７】
図３４のステップＳ６３０：ＰＯＳ端末２０は、予約用画面（例えば、図２５のロッカー返却予定日カレンダー画面）を管理装置１０に要求する。例えば、対面又は電話により利用者からロッカー返却の希望を受け付けた場合などにおいて、店員がＰＯＳ端末２０において予約用画面を表示させる操作を行った場合に、ＰＯＳ端末２０は、予約用画面を管理装置１０に要求する。
【０３４８】
ステップＳ６３１：管理装置１０は、予約用画面（ロッカー返却予定日カレンダー画面）の要求をＰＯＳ端末２０から受信する。
ステップＳ６３２：管理装置１０は、図３３のステップＳ６０２と同様、予約用画面（現在の予約状況に基づく最新のロッカー返却予定日カレンダー画面）の画面情報を生成する。
ステップＳ６３３：管理装置１０は、予約用画面の画面情報をＰＯＳ端末２０に送信する。
【０３４９】
ステップＳ６３４：ＰＯＳ端末２０は、画面情報（最新のロッカー返却予定日カレンダー画面の画面情報）を管理装置１０から受信する。
ステップＳ６３５：ＰＯＳ端末２０は、予約用画面（最新のロッカー返却予定日カレンダー画面）を表示する。
ステップＳ６３６：ＰＯＳ端末２０は、予約用画面において予約操作（例えば、カレンダー欄（符号Ｈ）における予約可能な日のボタンのタッチ）を受け付ける。
ステップＳ６３７：ＰＯＳ端末２０は、予約情報（予約日、必要数等）を管理装置１０に送信する。
【０３５０】
ステップＳ６３８：管理装置１０は、予約情報をＰＯＳ端末２０から受信する。
ステップＳ６４１：管理装置１０は、予約情報に基づいて返却口を決定する。例えば、図３１（Ｂ）や図３２（Ｂ）にて説明した方法により返却口を決定する。
ステップＳ６４２：管理装置１０は、図３３のステップＳ６１２と同様、返却口の決定結果に基づいて各種ファイルを更新する。
ステップＳ６４３：管理装置１０は、図３３のステップＳ６１３と同様、各種画面を更新、生成する。
【０３５１】
ステップＳ６４５：管理装置１０は、画面情報をＰＯＳ端末２０に送信する。例えば、予約用画面（図２５に示したような予約内容を反映したロッカー返却予定日カレンダー画面、図３６にて示すような予約内容を反映したロッカー返却予定一覧画面等）の画面情報をＰＯＳ端末２０に送信する。
ステップＳ６４６：ＰＯＳ端末２０は、予約用画面（予約内容を反映したロッカー返却予定日カレンダー画面、図３６にて示すような予約内容を反映したロッカー返却予定一覧画面）の画面情報を管理装置１０から受信する。
ステップＳ６４７：ＰＯＳ端末２０は、予約用画面（予約内容を反映したロッカー返却予定日カレンダー画面）を表示する。
【０３５２】
ステップＳ６５５：管理装置１０は、画面情報を利用者端末５０に送信する。例えば、予約確認用画面（図２７に示したような予約内容を反映した伝票詳細画面）の画面情報を利用者端末５０に送信する。
ステップＳ６５６：利用者端末５０は、予約確認用画面（予約内容を反映した伝票詳細画面）の画面情報を管理装置１０から受信し、受信した画面情報を記憶部に記憶する。そして、図３４のフローチャートは終了する。
【０３５３】
なお、図３４のステップＳ６５５、Ｓ６５６の処理に代えて、管理装置１０は、ロッカーが予約された旨を報せるメッセージ情報を利用者端末５０に電子メール等などを用いて送信してもよい。つまり、ＰＯＳ端末２０においてロッカー返却を予約する場合の返却口の決定時には、最小限の情報を利用者端末５０に送信するようにしてもよい。
【０３５４】
また、ステップＳ６５５、Ｓ６５６の処理については、図３４に示したように返却口の決定時に行うのではなく、上記メッセージ情報の送受信の有無に関わらず、利用者の操作があった場合に行うようにしてもよい。つまり、例えば、伝票詳細画面が要求されたときに管理装置１０から利用者端末５０に送信されるようにしてもよい。図３５のフローチャートにおいても同様である。
【０３５５】
なお、図３４のフローチャートは、管理装置１０が返却口を決定する態様の動作例であるが、ＰＯＳ端末２０が返却口を決定する態様の場合には、ＰＯＳ端末２０による返却口の決定結果が、管理装置１０が記憶する各種ファイルに反映されるようになっていればよい。一例として以下のような流れであってもよい。予約用画面（図３４の場合と同様、管理装置１０にアクセスして受信した最新の予約用画面）において予約操作を受け付けたＰＯＳ端末２０は、返却口を決定し、返却口の決定結果を示す情報を管理装置１０に送信する。管理装置１０は、ＰＯＳ端末２０から受信した返却口の決定結果を示す情報に基づいて各種ファイルを更新する。続いて、ＰＯＳ端末２０は、管理装置１０から予約確認用画面（図２５に示したような予約内容を反映したロッカー返却予定日カレンダー画面、図３６にて示すような予約内容を反映したロッカー返却予定一覧画面等）の画面情報を受信する。なお、Ｓ６５５、Ｓ６５６の処理については同様である。以上により、ＰＯＳ端末２０による返却口の決定結果が、管理装置１０が記憶する各種ファイルに反映される。図３５においても同様である。
【０３５６】
図３５は、ロッカー予約時の他の動作の一例を示すフローチャートである。具体的には、図３５に示したフローチャートは、利用者が利用者端末５０においてロッカー返却を予約する場合、及び、店員がＰＯＳ端末２０においてロッカー返却を予約する場合において、図３１（Ｃ）や図３２（Ｃ）にて説明した一括して返却口を決定する方法による動作例を示している。つまり、予約毎に返却口を決定する態様における動作として、図３３のフローチャートを用いて利用者端末５０にてロッカー返却を予約する場合の動作例を説明し、図３４のフローチャートを用いてＰＯＳ端末２０にてロッカー返却を予約する場合の動作例を説明したが、以下では、図３５のフローチャートを用いて、一括して返却口を決定する態様における動作として、利用者端末５０にてロッカー返却を予約する場合の動作例とＰＯＳ端末２０にてロッカー返却を予約する場合の動作例とを纏めて説明する。なお、図３５に示したフローチャートは、図３３及び図３４に示したフローチャートの一部（破線Ｃ）を置き替えたものである。
【０３５７】
図３５のステップＳ７０７：利用者による予約操作を受け付けた場合には、利用者端末５０は、予約情報（予約日、必要数等）を管理装置１０に送信する。
ステップＳ７０８：管理装置１０は、予約情報を利用者端末５０から受信し、受信した予約情報を記憶部に記憶する。また、管理装置１０は、現時点では返却口を決定しないが、予約情報に基づいて返却口の空数を更新（減算）する。
ステップＳ７０９：管理装置１０は、予約が受け付けられた旨を確認するための予約受付確認情報を利用者端末５０に送信する。
ステップＳ７１０：利用者端末５０は、予約受付確認情報を管理装置１０から受信し、受信した予約受付確認情報を記憶部に記憶する。なお、利用者端末５０は、予約受付確認情報を表示してもよい。
【０３５８】
ステップＳ７３７：店員による予約操作を受け付けた場合には、ＰＯＳ端末２０は、予約情報（予約日、必要数等）を管理装置１０に送信する。
ステップＳ７３８：管理装置１０は、予約情報をＰＯＳ端末２０から受信し、受信した予約情報を記憶部に記憶する。また、管理装置１０は、現時点では返却口を決定しないが、予約情報に基づいて返却口の空数を更新（減算）する。
ステップＳ７３９：管理装置１０は、予約が受け付けられた旨を確認するための予約受付確認情報をＰＯＳ端末２０に送信する。
ステップＳ７４０：ＰＯＳ端末２０は、予約受付確認情報を管理装置１０から受信し、受信した予約受付確認情報を記憶部に記憶する。なお、ＰＯＳ端末２０は、予約受付確認情報を表示してもよい。
【０３５９】
ステップＳ７５１：利用者端末５０は、所定時刻になっていなければ処理を終了し、所定時刻になっていればステップＳ７６５の実行にともなってステップＳ７６６に進む。
ステップＳ７５２：ＰＯＳ端末２０は、所定時刻になっていなければ処理を終了し、所定時刻になっていればステップＳ７７５の実行にともなってステップＳ７７６に進む。
ステップＳ７５３：管理装置１０は、所定時刻になっていなければ処理を終了し、所定時刻になっていればステップＳ７６１に進む。
【０３６０】
ステップＳ７６１：管理装置１０は、ステップＳ７０８やステップＳ７３８にて記憶した予約情報に基づいて返却口を決定する。例えば、図３１（Ｃ）や図３２（Ｃ）にて説明した方法により返却口を決定する。
ステップＳ７６２：管理装置１０は、図３３のステップＳ６１２と同様、返却口の決定結果に基づいて各種ファイルを更新する。
ステップＳ７６３：管理装置１０は、図３３のステップＳ６１３と同様、各種画面を更新、生成する。
【０３６１】
ステップＳ７６５：管理装置１０は、画面情報を利用者端末５０に送信する。例えば、予約確認用画面（図２７に示したような予約内容を反映した伝票詳細画面）の画面情報を利用者端末５０に送信する。
ステップＳ７６６：利用者端末５０は、予約確認用画面（予約内容を反映した伝票詳細画面）の画面情報を管理装置１０から受信し、受信した画面情報を記憶部に記憶する。
【０３６２】
ステップＳ７７５：管理装置１０は、画面情報をＰＯＳ端末２０に送信する。例えば、予約確認用画面（図２５に示したような予約内容を反映したロッカー返却予定日カレンダー画面、図３６にて示すような予約内容を反映したロッカー返却予定一覧画面等）の画面情報をＰＯＳ端末２０に送信する。
ステップＳ７７６：ＰＯＳ端末２０は、予約確認用画面（予約内容を反映したロッカー返却予定日カレンダー画面やロッカー返却予定一覧画面等）の画面情報を管理装置１０から受信し、受信した画面情報を記憶部に記憶する。そして、図３５のフローチャートは終了する。
【０３６３】
なお、図３５のステップＳ７６５、Ｓ７６６の処理に代えて、管理装置１０は、ロッカーが予約された旨を報せるメッセージ情報を利用者端末５０に電子メール等などを用いて送信してもよい。つまり、一括して返却口を決定したときには、最小限の情報を利用者端末５０に送信するようにしてもよい。同様に、図３５のステップＳ７７５、Ｓ７７６の処理に代えて、管理装置１０は、ロッカーが予約された旨を報せるメッセージ情報をＰＯＳ端末２０に送信してもよい。つまり、一括して返却口を決定したときには、最小限の情報を利用者端末５０に送信するようにしてもよい。
【０３６４】
（利用者に対する返却口の報知）
返却口を決定する装置（例えば、管理装置１０、ＰＯＳ端末２０等）によって決定された返却口は、遅くとも、利用者が実際に返却口から商品を取り出すときまでに、利用者に報知される。つまり、預けた商品を取り出す返却口がどの返却口であるかは、返却口決定後〜商品受取の期間のうちの何れかのタイミングにおいて、利用者に報知されればよい。
【０３６５】
例えば、図２７に示した伝票詳細画面は、ロッカー返却における予約内容として、予約された日にち（ロッカー予約日）を表示しているが、予約された日にちに加えて、予約された返却口を表示するようにしてもよい。つまり、個々の利用者に、返却口の決定結果（図３３のＳ６１１や図３４のＳ６４１や図３５のＳ７６１の処理の処理結果）を報知してもよい。なお、伝票詳細画面に代えて又は加えて、他の画面において、返却口の決定結果を報知してもよい。例えば、利用者端末５０が表示するロッカー返却予約確認画面（図３６）において、返却口数に代えて又は加えて、予約された返却口（使用する返却口）を表示してもよい。
【０３６６】
ある利用者の返却口（当該利用者の預り商品を入れておく返却口）を決定した装置（管理装置１０、ＰＯＳ端末２０）は、決定後直ちに（返却口の決定タイミングにおいて）、当該利用者のＰＯＳ端末２０に決定結果（当該利用者の預り商品を入れておく返却口）を送信してもよい。従って、個々の予約毎に返却口を決定する態様（図２９、図３１（Ｂ）の態様）であれば、個々の予約後に、直ちに、決定結果である返却口（返却口を示す情報）がＰＯＳ端末２０に送信される。また、一括して返却口を決定する態様（図３０、図３１（Ｃ）の態様）であれば、一括して返却口を決定した後に、直ちに、決定結果である返却口（返却口を示す情報）がＰＯＳ端末２０に送信される。
【０３６７】
また、ある利用者の返却口を決定した装置は、返却口の決定タイミングとは異なるタイミングにおいて、当該利用者のＰＯＳ端末２０に決定結果を送信してもよい。例えば、返却口を決定した装置（管理装置１０、ＰＯＳ端末２０）は、所定時刻（例えば、返却日当日の午前８時等）に当該利用者のＰＯＳ端末２０に決定結果を送信してもよい。
【０３６８】
また、返却口を決定した装置は、利用者端末５０からの要求（決定結果を求める要求）に応じて当該利用者のＰＯＳ端末２０に決定結果を送信してもよい。なお、利用者端末５０は、例えば、返却口を確認するための操作に基づいて、決定結果を求める要求を、返却口を決定した装置に送信してもよい。
【０３６９】
また、返却口を決定した装置は、返却口の決定タイミングとは異なるタイミングとして、返却ロッカーからの要求（決定結果を求める要求）に応じて当該利用者のＰＯＳ端末２０に決定結果を送信してもよい。返却ロッカーは、利用者による操作等（カード挿入排出口への会員カードの挿入、入力操作部における暗証番号等の入力、コード認識部によるバーコードの認識等）に基づいて、決定結果を求める要求を、返却口を決定した装置に送信してもよい。換言すれば、返却ロッカーが実際に操作等される迄の間は、予約された返却口を利用者に報知せずに、返却ロッカーが実際に操作等された場合に、予約された返却口を利用者に認識させるようにしてもよい。
【０３７０】
また、ＰＯＳ端末２０に代えて又は加えて返却ロッカーが、利用者に返却口の決定結果（当該利用者の預り商品が入っている返却口）を報知してもよい。一例として、共通ロッカー２００は、利用者による操作等（カード挿入排出口２０３への会員カードの挿入、入力操作部２０５における暗証番号等の入力、コード認識部２０６によるバーコードの認識等）に基づいて、該当する返却口２１０（当該利用者の預り商品が入っている返却口２１０）を示す情報を表示部２０４に表示してもよい。また、個々の返却口２１０の夫々に発光部（非図示）を設けておき、共通ロッカー２００は、利用者による操作等に基づいて、該当する返却口に対応する発光部を発光（点灯、点滅等）させてもよい。また、最も単純な構成ではあるが、共通ロッカー２００は、利用者による操作等に基づいて、該当する返却口２１０の返却口扉を開放（該当する返却口であることが分かるように大きく開放）してもよい。なお、返却ロッカーが、返却口の決定結果を取得するタイミングは、利用者による操作等が行われる前であってもよいし後であってもよい。換言すれば、返却口を決定した装置は、返却ロッカーからの要求（決定結果を求める要求）によらずに（例えば、返却口の決定直後に、又は、所定時刻に）、返却ロッカーに決定結果を送信してもよいし、返却ロッカーからの要求に基づいて返却ロッカーに決定結果を送信してもよい。なお、後者の場合、返却ロッカーは、利用者による操作等に基づいて、決定結果を求める要求を、返却口を決定した装置に送信する。
【０３７１】
（ロッカー返却予定一覧画面）
図３６は、ロッカー返却予約確認画面の一例である。クリーニングシステム１では、ロッカー返却の管理に関する種々の情報を表示可能である。例えば、ＰＯＳ端末２０や利用者端末５０や管理装置１０や工場用端末４０は、図３６に示すようなロッカー返却予約確認画面（ロッカー返却予定一覧画面と称する場合もある）を表示してもよい。
【０３７２】
ＰＯＳ端末２０は、例えば、メニュー画面（非図示）において「ロッカー返却確認」が選択された場合に、図３６に示すようなロッカー返却予約確認画面を表示部２５に表示してもよい。他の装置においても同様である。
【０３７３】
図３６に示したロッカー返却予約確認画面には、現在日時欄（符号Ａ参照）、条件設定領域（符号Ｂ参照）、結果表示領域（符号Ｃ参照）などが設けられている。
【０３７４】
条件設定領域（符号Ｂ）は、ロッカー返却予約状況等の確認対象を設定（抽出）する領域である。条件設定領域には、返却予定日設定欄（符号Ｂ１参照）と顧客設定欄（符号Ｂ２参照）を有する。返却予定日設定欄（符号Ｂ１）は、返却予定日の入力に関する選択ボタン（範囲指定ボタン、前日ボタン、本日ボタン、翌日ボタン）と、範囲指定ボタンが選択された場合に返却予定日の範囲を入力する返却予定日範囲入力欄とを有する。なお、前日ボタンや本日ボタンや翌日ボタンが選択された場合には、選択されたボタンの種類に応じて返却予定日範囲入力欄には自動的に範囲が入力される。なお、前日ボタンを設けていることからも分かるように、過去の日付けも設定可能である。顧客設定欄（符号Ｂ２）は、利用者の顧客コードの範囲を入力する返却予定日範囲入力欄と、利用者の電話番号を入力する電話番号入力欄と、利用者の指名を入力する電話番号入力欄とを有する。
【０３７５】
結果表示領域（符号Ｃ）は、条件設定領域において設定された条件による抽出結果を表示する領域である。具体的には、図３６に例示した結果表示領域には、各種情報に基づいて、返却予定日、受付日、伝票番号、氏名、電話番号、商品点数、使用返却口数、再発行が表示される。
【０３７６】
例えば、１番上の情報（矢印にて示した行）における、返却予定日「２０１Ｘ／４／２０」は、図２０（Ｂ）のロッカー別予約状況ファイルの返却日「２０１Ｘ／４／２０」に基づき表示される。図２６の預り商品情報ファイルの引渡し予定日「４／２０」に基づき表示してもよい。受付日「２０１Ｘ／４／１９」は、図２０（Ｂ）のロッカー別予約状況ファイルの予約日「４／１９」に基づき表示される。図２６の預り商品情報ファイルの更新日時「４／１９  １８：２７」に基づき表示してもよい。伝票番号「ＤＮ０１-５４２２」は、図２０（Ｂ）のロッカー別予約状況ファイルのタグ番号「ＴＧ０１−１３７２」等と、図２６の預り商品情報ファイルの預り商品番号「ＤＮ０１‐５４２２−０１」等に基づき表示される。なお、預り商品番号「ＤＮ０１‐５４２２−０１」の上位９桁「ＤＮ０１‐５４２２」は伝票番号を示している。顧客コード「ＫＢ９８７６」は、図２０（Ｂ）のロッカー別予約状況ファイルの顧客コード「ＫＢ９８７６」に基づき表示される。氏名「…（省略）」や電話番号「…（省略）」は、図３（Ａ）の顧客マスタファイルなどに基づき表示される。
【０３７７】
商品点数「３」は、図２６の預り商品情報ファイルにおける該当商品（タグ番号「ＴＧ０１−１３７２」「ＴＧ０１−１３７３」「ＴＧ０１−１３７５」）の数に基づき表示する。より詳細には、図２６の預り商品情報ファイルにおける、上述した伝票番号「ＤＮ０１−５４２２」に対応する商品（タグ番号「ＴＧ０１−１３７２」〜「ＴＧ０１−１３７５」）のうち、例えば引渡し予定日が「４／２０」である商品（タグ番号「ＴＧ０１−１３７２」「ＴＧ０１−１３７３」「ＴＧ０１−１３７５」）の数（具体的には３）に基づき表示する。なお、予定日が「４／２０」、且つ、同一の予約番号（具体的には１２３４５）の商品の数（具体的には３）に基づき表示してもよい。使用返却口数「２」は、図２６の預り商品情報ファイルにおける該当商品（タグ番号「ＴＧ０１−１３７２」「ＴＧ０１−１３７３」「ＴＧ０１−１３７５」）の返却に使用する返却口（返却口番号「Ｈ１１」、「Ｈ１２」）の数（具体的には２）に基づき表示する。再発行「＊」は、再発行（複数回の印刷）が行われたことに基づき表示する。
【０３７８】
なお、ＰＯＳ端末２０は、ロッカー返却予約確認画面において、当該店舗に関係する情報を表示（抽出）する。つまり、ある店舗のＰＯＳ端末２０がロッカー返却予約確認画面にて表示する情報は、当該店舗の管理下にある返却ロッカー（例えば、当該店舗前に設置した返却ロッカー）における予約情報に限定される。
【０３７９】
上記に代えて、ＰＯＳ端末２０は、他の店舗に関連する情報を表示してもよい。例えば、ロッカー返却予約確認画面に店舗設定欄を設け、ＰＯＳ端末２０は、店舗設定欄において入力された店舗コードの店舗に関連する情報を表示してもよい。また、例えば、ロッカー返却予約確認画面に全店舗ボタンを設け、全店舗ボタンが操作された場合には、ＰＯＳ端末２０は、店舗に関して限定せずに全部の店舗に関連する情報を表示してもよい。
【０３８０】
また、利用者端末５０は、ロッカー返却予約確認画面において、当該利用者に関係する情報を表示（抽出）する。つまり、ある利用者の利用者端末５０がロッカー返却予約確認画面にて表示する情報は、当該利用者に関する予約情報に限定される。
【０３８１】
工場用端末４０（管理装置１０も同様）は、ロッカー返却予約確認画面において、指定した店舗に関係する情報を表示する。例えば、ロッカー返却予約確認画面に店舗設定欄を設け、工場用端末４０は、店舗設定欄において入力された店舗コードの店舗に関連する情報を表示してもよい。また、例えば、ロッカー返却予約確認画面に全店舗ボタンを設け、全店舗ボタンが操作された場合には、工場用端末４０は、店舗に関して限定せずに全部の店舗に関連する情報を表示してもよい。
【０３８２】
図３７及び図３８は、印字、発行される媒体の一例である。ＰＯＳ端末２０は、商品預り時に、各種の伝票を印字、発行する。図３７（Ａ）及び図３７（Ｂ）は、商品預り時に店舗のＰＯＳ端末２０において発行されるお預り票（客控え）である。ＰＯＳ端末２０は、仕上り後の預り商品の引渡し方法に関する利用者の指示が、来店による引渡しである場合（引渡し区分「１」に相当）や、未定である場合（引渡し区分「０」に相当）には、例えば、図３７（Ａ）に示すようなお預り票を印字、発行してもよい。また、ＰＯＳ端末２０は、仕上り後の預り商品の引渡し方法に関する利用者の指示が、ロッカーによる引渡しである場合（引渡し区分「３」に相当）には、例えば、図３７（Ｂ）に示すようなお預り票を印字、発行してもよい。
【０３８３】
なお、図３７（Ａ）及び図３７（Ｂ）に示したお預り票は、図６等に示した伝票番号「ＤＮ０１−５４２２」に関するお預り票である。図６によれば伝票番号「ＤＮ０１−５４２２」の預り商品の点数は４点（「ＴＧ０１-１３７２」〜「ＴＧ０１-１３７５」）であるが、説明の便宜上、上記点数は３点（「ＴＧ０１-１３７２」「ＴＧ０１-１３７４」「ＴＧ０１-１３７５」）であるものとしている。図３８においても同様である。
【０３８４】
来店による引渡しである場合、図３７（Ａ）に示すように、仕上日として、全部（３点）の預り商品について引渡しが可能となる日にち等を印字するのに対し、返却ロッカーによる引渡しである場合、図３７（Ｂ）に示すように、ロッカー返却予定日として、ロッカー返却を予約した日にち等を印字する。なお、ロッカー返却の予約は、お預り票を発行する前に実行すればよい。例えば、図９に示した例では、ＰＯＳ端末２０は、ステップＳ１７〜ステップＳ２１の間であってかつお預り票を発行する前の何れかのタイミングにおいて、ロッカー返却の予約を受け付けるようにしてもよい。
【０３８５】
印字、発行されたお預り票は、利用者に渡される。例えば、利用者と対面する場合（例えば、通常店舗預り（預り区分「１」）の場合）には発行後に直ぐに利用者に渡される。また、利用者と対面しない場合（例えば、ロッカー預り（預り区分「４」）の場合）には返却時に利用者に渡される（ロッカー返却の場合には預り商品とともに返却口に収納する）。なお、ＰＯＳ端末２０は、利用者端末５０を使用しない一部の利用者には図３７（Ａ）や図３７（Ｂ）に示したお預り票を印字、発行し、通常は（利用者端末５０を使用する利用者に対しては）、図３７（Ａ）や図３７（Ｂ）に示したお預り票よりも簡素なお預り票を印字、発行してもよい。
【０３８６】
図３８は、商品預り時に店舗のＰＯＳ端末２０において発行される工場控えである。ＰＯＳ端末２０は、仕上り後の預り商品の引渡し方法に関する利用者の指示が、ロッカーによる引渡しである場合（引渡し区分「３」に相当）には、例えば、図３８に示すような工場控えを印字、発行してもよい。
【０３８７】
なお、印字、発行された工場控えは、預り商品とともに工場に送られ、仕上り後に、工場から預り商品とともに店舗に戻る。なお、ＰＯＳ端末２０は、工場控えを印字するために必要な情報を、管理装置１０を経由して（又は経由せずに直接）、工場用端末４０に送信し、ＰＯＳ端末２０が送信した情報に基づいて、工場用端末４０が工場控えを印字、発行してもよい。
【０３８８】
工場控えには、読み取り可能なコード（ＱＲコード、バーコード等）が印字されている。工場控えに印字されているＱＲコード等は、検品、ロッカー返却において利用可能である。なお、どのような情報をコード化して印字するかは、ロッカー返却の有無、予約のタイミング、返却口決定のタイミング等に応じて異なる。
【０３８９】
例えば、商品預り時に、利用者がロッカー返却を希望し、工場控えを発行する迄の間に、返却日を予約し、且つ、返却口も決定した場合には、ＰＯＳ端末２０は、顧客コード、、決定した返却口の返却口番号等をコード化したＱＲコード等を印字してもよい。なお、ＰＯＳ端末２０は、顧客コードに代えて又は加えて、伝票番号、タグ番号等をコード化したＱＲコード（例えば、顧客コード、予約日、タグ番号、返却口番号をコード化したＱＲコード）等を印字してもよい。
【０３９０】
また、商品預り時に、利用者がロッカー返却を希望し、工場控えを発行する迄の間に、返却日を予約したが、返却口を決定しなかった場合には、ＰＯＳ端末２０は、顧客コード、必要な返却口数等をコード化したＱＲコード等を印字してもよい。なお、ＰＯＳ端末２０は、顧客コードに代えて又は加えて、伝票番号、タグ番号等をコード化したＱＲコード（例えば、顧客コード、予約日、タグ番号、必要な返却口数をコード化したＱＲコード）等を印字してもよい。
【０３９１】
また、工場控えを発行する迄の間に、利用者がロッカー返却を希望しなかった場合には、ＰＯＳ端末２０は、顧客コードをコード化したＱＲコード等を印字してもよい。なお、ＰＯＳ端末２０は、顧客コードに代えて又は加えて、伝票番号、タグ番号等をコード化したＱＲコード（例えば、顧客コード、タグ番号をコード化したＱＲコード）等を印字してもよい。
【０３９２】
なお、ＰＯＳ端末２０は、商品預り時に、利用者に渡す客控えや工場に送る工場控えに加えて、店舗に保管する店舗控え（非図示）を印字、発行してもよい。
【０３９３】
なお、上記説明では、管理装置１０やＰＯＳ端末２０が返却口を決定する態様について説明したが、返却ロッカーが返却口を決定してもよい。また、予約可能日を特定する装置（予約可否を判定する装置）と、返却口を決定する装置とは必ずしも一致していなくてもよい。従って、一例として、以下の（ａ）〜（ｆ）ような種々の態様が考えらえる。
（ａ）管理装置１０が、予約可能日を特定し、かつ、返却口を決定する。
（ｂ）ＰＯＳ端末２０が、予約可能日を特定し、かつ、返却口を決定する。
（ｃ）管理装置１０が予約可能日を特定し、ＰＯＳ端末２０が返却口を決定する。
（ｄ）管理装置１０が予約可能日を特定し、返却ロッカーが返却口を決定する。
（ｅ）ＰＯＳ端末２０が予約可能日を特定し、返却ロッカーが返却口を決定する。
（ｆ）返却ロッカーが、予約可能日を特定し、かつ、返却口を決定する。
【０３９４】
上記（ａ）〜（ｆ）において、予約可能日を特定したタイミングで返却口を決定してもよいし、予約可能日を特定したタイミングとは異なるタイミングで返却口を決定してもよい。換言すれば、ロッカー返却の日にちを予約したときに併せて具体的な返却口も決定してもよいし、ロッカー返却の日にちだけを予約しておき具体的な返却口については別途決定してもよい。
【０３９５】
図３９〜図４１は、返却ロッカーの表示部に表示される画面の一例である。なお、図３９〜図４１の画面は、図１８（Ｃ）の返却専用ロッカー３００の表示部に表示される画面の一例である。また、返却専用ロッカー３００の５個の返却口の夫々の返却口番号（扉番号）は「０１」〜「０５」であるものとする。
【０３９６】
図３９（Ａ）は、待機画面（初期画面）である。図３９（Ａ）の待機画面では、操作者（利用者、店員等）に対するメッセージとして、画面へのタッチを促すメッセージを表示している。図３９（Ａ）の待機画面の表示中に、操作者による画面のタッチがあった場合、図３９（Ｂ）の画面に遷移する。
【０３９７】
図３９（Ｂ）は、図３９（Ａ）の待機画面から遷移するカード読取画面である。図３９（Ｂ）のカード読取画面では、利用者に対するメッセージとして、会員カードの読み取りやパスワードの入力を促すメッセージを表示している。図３９（Ｂ）のカード読取画面の表示中に、会員カードがカード挿入排出口に挿入されるなどして読み取られた場合や、パスワードボタンがタッチされタッチ後にパスワード入力画面（非図示）が表示されるなどしてパスワードが入力された場合には、図３９（Ｃ）の画面に遷移する。なお、他の方法（例えば、会員証画面に表示されたバーコードＧ１１の読み取り等）により、図３９（Ｃ）の画面に遷移してもよい。
【０３９８】
また、図３９（Ｂ）のカード読取画面の表示中に、上記とは別に、店員による所定操作等があった場合には、店員用初期画面（非図示）に遷移する。一例として、媒体に印字された店員用バーコード（例えば、店員用初期画面を表示させるために予め登録した店員用のバーコード）がコード認識部によって認識されるなどして読み取られた場合、店員用初期画面に遷移する。なお、他の方法（例えば、店員用パスワードの入力、店員用カードのカード挿入排出口への挿入等）により、店員用初期画面に遷移してもよい。なお、図４０（Ａ）や図４１（Ｂ）は、店員用初期画面から遷移する画面である。
【０３９９】
図３９（Ｃ）は、図３９（Ｂ）のカード読取画面から遷移（具体的には、会員カードが読み取られた場合又はパスワードが入力された場合に遷移）する報知画面である。図３９（Ｃ）の報知画面では、当該利用者（当該会員カードやパスワードに基づいて特定された利用者）に対する報知情報として、当該利用者の預り商品が収納されている返却口の返却口番号（図３９（Ｃ）の例では、扉番号「０１」「０２」「０３」）を報知している。
【０４００】
例えば、返却ロッカーは、記憶部内に返却口の決定結果（夫々の利用者について決定した返却口の返却口番号）を記憶しておき、記憶部を参照することにより、上述の如く返却口番号を報知してもよい。なお、他の装置（管理装置１０、ＰＯＳ端末２０等）が返却口を決定した場合には、返却ロッカーは、当該決定結果を取得して記憶部に記憶してもよい。なお、返却ロッカーは、他の装置（管理装置１０、ＰＯＳ端末２０等）に返却口の決定結果（当該利用者について決定した返却口の返却口番号）を問い合わせることにより、上述の如く、返却口番号を報知してもよい。
【０４０１】
また、返却ロッカーは、図３９（Ｃ）の報知画面に、返却口番号に加えて、顧客ＩＤや返却口数を表示してもよい。
【０４０２】
返却ロッカーは、報知画面を表示部に表示するとともに、該当する返却口（当該利用者の預り商品が収納されている返却口）の返却口扉を解錠し、解錠した返却口に対応する発光部（ランプ）を点滅させる。当該利用者が、報知された全部の返却口（解錠された全部の返却口）について、返却口扉を開け、預り商品を取り出し、返却口扉を閉じることにより、ロッカー返却作業が完了し、図３９（Ｄ）の画面に遷移する。返却ロッカーは、閉じられた返却口扉を施錠し、施錠した返却口に対応する発光部を消灯させる。
【０４０３】
なお、返却ロッカーは、返却口扉の開閉を以って預り商品が取り出されたと判断してもよいし、返却口内に光学的なセンサ（カメラ、フォトセンサ等）を設けることにより預り商品が取り出されたと判断してもよい。また、光学的なセンサに代えて又は加えて、秤を利用して預り商品が取り出されたと判断してもよい。なお、同様に、回収時において預り商品が回収されたと判断してもよいし、収納時において預り商品が収納されたと判断してもよい。
【０４０４】
図３９（Ｄ）は、図３９（Ｃ）の報知画面から遷移する完了画面である。図３９（Ｄ）の完了画面の表示開始から所定時間（例えば１０秒）が経過した場合、図３９（Ａ）の待機画面に遷移する（戻る）。
【０４０５】
なお、ロッカー返却を行った利用者に特別ポイントを付与するようにしてもよく、返却ロッカーは、今回のロッカー返却において付与される特別ポイントを図３９（Ｄ）の完了画面において表示してもよい。なお、所定回数連続して、ロッカー返却が行われか否か（回収されることがなかったか否か）に応じてポイントを付与するか否かを判断したり、付与するポイント数を異ならせるようにしてもよい。つまり、返却日には必ず預り商品を受け取りに来るような利用者に対しては、大きな特典を与えるようにしてもよい。
【０４０６】
図４０（Ａ）は、店員用初期画面（非図示）から遷移する収納初期画面である。例えば、店員用初期画面には、返却物収納ボタンや返却物回収ボタンや戻るボタン等の各種ボタンが配置されており、返却物収納ボタンがタッチされた場合に、収納初期画面に遷移する。図４０（Ａ）の収納初期画面には、空き扉の確認ボタンや戻るボタンが配置されている。また、図４０（Ａ）の収納初期画面では、店員に対するメッセージとして、工場控えに印刷されているＱＲコードの読み取りを促すメッセージを表示している。なお、空き扉の確認ボタンをタッチすることにより、返却口の現在の空状況を確認することができる。例えば、図３１（Ａ）に示したような返却ロッカーを模式化した画像（具体的には、５個の返却口数の夫々について空／収納済に応じて色分け等した画像等）を表示してもよい。また、図４０（Ａ）の収納初期画面において、効率的に返却口を決定する為（図３０のステップＳ５１８参照）、返却口数の多い工場控えから順に読み込ませることを推奨するメッセージ（例えば、「返却口数の多い工場控えから順に読み込ませて下さい。」等を）表示してもよい。図４０（Ａ）の収納初期画面の表示中に、工場控えに印刷されているＱＲコードがコード認識部によって認識されるなどして読み取られた場合、図４０（Ｂ）の画面に遷移する。
【０４０７】
なお、返却ロッカーは、日付チェックを行ってもよい。例えば、読み取ったＱＲコードに含まれる日時情報の日付と現在の日付とを比較して一致しているか否かを判断してもよい。返却ロッカーは、日付チェックがエラーとなった場合（一致していない場合）には、一致していない旨（本来の返却日でない旨）を表示してもよい。また、返却ロッカーは、一致していない旨とともに本来の返却日を表示してもよい。上述した図３９（Ｂ）のカード読取画面においても日付チェックを行ってもよい。例えば、会員カードを読み取ることなどにより特定された利用者の返却日と現在の日付とを比較して一致しているか否かを判断してもよい。
【０４０８】
図４０（Ｂ）は、図４０（Ａ）の収納初期画面から遷移する収納指示画面である。図４０（Ｂ）の収納指示画面では、店員に対する報知情報として、当該利用者（ＱＲコードに基づいて特定された利用者）の預り商品を収納する返却口の返却口番号（図４０（Ｂ）の例では、扉番号「０１」「０２」）を報知している。なお、図４０（Ｂ）の収納指示画面には、戻るボタンが配置されている。
【０４０９】
以下、ＱＲコードから取得可能な情報と返却口番号の報知との関係について説明する。（ＱＲコードから返却口番号を取得可能な場合）
返却ロッカーは、ＱＲコードから取得した返却口番号（当該利用者の預り商品を収納する返却口として決定された返却口の返却口番号）を報知してもよい。つまり、返却口が決定され、且つ、決定結果がＱＲコード化されているため、返却ロッカーは、単に、ＱＲコードから取得した返却口番号を報知すればよい。
【０４１０】
（ＱＲコードから返却口数を取得可能な場合）
返却ロッカーは、ＱＲコードから取得した返却口数（当該利用者の預り商品を収納するために必要な返却口数）を利用して、返却口を決定し、決定した返却口の返却口番号を報知してもよい。つまり、必要な返却口数に基づいて予約はされているが、具体的な返却口については決定していないため、管理装置１０等と同様の方法により返却口を決定し、決定した返却口の返却口番号を報知してもよい。
【０４１１】
（ＱＲコードから顧客ＩＤを取得可能な場合）
返却ロッカーは、ＱＲコードから取得した顧客ＩＤを、返却口を決定した装置（管理装置１０、ＰＯＳ端末２０等）に送信することにより、当該顧客ＩＤに対応する返却口番号（当該利用者の預り商品を収納する返却口として決定された返却口の返却口番号）を取得し、取得した返却口番号を報知してもよい。なお、管理装置１０等は、返却ロッカーから顧客ＩＤを取得した後に、当該顧客ＩＤの利用者の預り商品を収納する返却口を決定し、決定結果を返却ロッカーに送信（通知）してもよい。
【０４１２】
返却ロッカーは、収納指示画面を表示部に表示するとともに、該当する返却口（当該利用者の預り商品を収納する返却口）の返却口扉を解錠し、解錠した返却口に対応する発光部を点滅させる。店員は、報知された全部の返却口（解錠された全部の返却口）について、返却口扉を開け、預り商品を収納し、返却口扉を閉じることにより、該当する返却口における収納作業が完了する。返却ロッカーは、閉じられた返却口扉を施錠し、施錠した返却口に対応する発光部を消灯させる。
【０４１３】
図４１（Ａ）は、店員用初期画面（非図示）から遷移する回収初期画面である。例えば、店員用初期画面には、返却物収納ボタンや返却物回収ボタンや戻るボタン等の各種ボタンが配置されており、返却物回収ボタンがタッチされた場合に、回収初期画面に遷移する。図４１（Ａ）の回収初期画面には、回収を開始させるためのＯＫボタンや、戻るボタンが配置されている。また、図４１（Ａ）の回収初期画面では、店員に対するメッセージとして、ＯＫボタンのタッチを促すメッセージを表示している。ＯＫボタンがタッチされた場合、図４１（Ｂ）の画面に遷移する。
【０４１４】
図４１（Ｂ）は、図４１（Ａ）の回収初期画面から遷移する回収指示画面である。図４１（Ｂ）の回収指示画面では、店員に対する報知情報として、全部の返却口番号（図４１（Ｂ）の例では、扉番号「０１」〜「０５」）を報知している。なお、図４１（Ｂ）の回収指示画面には、戻るボタン等が配置されている。
【０４１５】
返却ロッカーは、回収指示画面を表示部に表示するとともに、全部の返却口の返却口扉を解錠する。店員は、報知された全部の返却口（解錠された全部の返却口）について、返却口扉を開け、ロッカー返却が完了していない預り商品を回収し、返却口扉を閉じることにより、回収作業が完了する。返却ロッカーは、閉じられた返却口扉を施錠する。なお、返却ロッカーは、解錠した返却口に対応する発光部を点滅させ、施錠した返却口に対応する発光部を消灯させてもよい。
【０４１６】
なお、返却ロッカーは、工場控え（又は工場控えを纏めたリスト等）を用いて、受け取らなかった商品（利用者）を特定してもよい。
【０４１７】
以上、図３９〜図４１を用いて返却ロッカーの表示部に表示される画面例を説明したが、店員の所定操作等に基づいて表示される画面（店員用初期画面（非図示）、図４０、図４１に示した各画面）を表示しているときの動作モードを店員用モード（又は店員モード）と称する場合がある。また、店員用モードに対し、店員の所定操作等に基づいて表示される画面以外の画面（図３９に示した画面）を表示しているときの動作モードを利用者用モード（又は利用者モード）と称する場合がある。なお、図３９（Ａ）や図３９（Ｂ）の画面を経て店員用初期画面（非図示）に遷移するため（即ち、利用者だけでなく店員も図３９（Ａ）や図３９（Ｂ）に示した画面を操作するため）、図３９（Ａ）や図３９（Ｂ）に示した画面を除外して図３９（Ｃ）や図３９（Ｄ）に示した画面を表示しているときに限定して利用者モードと称する場合もある。
【０４１８】
図４２及び図４３は、返却ロッカーの動作の一例を示すフローチャートである。図４３に示したフローチャートは、図４２のＳ８２０に続く動作を示している。なお、図４２に示したフローチャートの開始時において、返却ロッカーの表示部には、図３９（Ｂ）に示した待機画面（初期画面）が表示されているものとする。
【０４１９】
また、図４２及び図４３のフローチャートでは、工場控えには、返却口数を含む情報をコード化したＱＲコードを印字されており、返却ロッカーは、収納時の動作として、当該返却口数等に基づいて返却口を決定し、決定結果を記憶部内に記憶するものとする。また、図４２及び図４３のフローチャートでは、返却ロッカーは、利用者への返却時の動作として、記憶部を参照し、夫々の利用者について決定した返却口の返却口番号を認識するものとする。
【０４２０】
図４２のステップＳ８００：待機画面がタッチされたか否かを判断する。待機画面がタッチされた場合には（ステップＳ８００；ＹＥＳ）、ステップＳ８０１に進む。待機画面がタッチされていない場合には（ステップＳ８００；ＮＯ）、ステップＳ８００に戻る。つまり、待機画面がタッチされる迄、ステップＳ８００の処理を繰り返し実行する。
ステップＳ８０１：利用者に、会員カードの読み取り等を要求する。具体的には、図３９（Ｂ）に示したカード読取画面を表示し、会員カードの読み取りやパスワードの入力を要求する。
【０４２１】
ステップＳ８０２：会員カードの読み取り等があったか否かを判断する。会員カードの読み取り等があった場合には（ステップＳ８０２；ＹＥＳ）、ステップＳ８０４に進む。会員カードの読み取り等がなかった場合には（ステップＳ８０２；ＮＯ）、ステップＳ８１０に進む。
【０４２２】
ステップＳ８０４：該当する返却口を報知する。具体的には、図３９（Ｃ）に示した報知画面を表示し、当該利用者の預り商品が収納されている返却口の返却口番号を報知する。
ステップＳ８０５：該当する返却口の返却口扉を解錠し、発光部を点滅させる。なお、発光部は、例えば、返却口扉の開閉後（施錠後）に消灯させるようにしてもよい。
【０４２３】
ステップＳ８０６：ロッカー返却（預り商品の引渡し）が完了したか否かを判断する。ロッカー返却が完了した場合には（ステップＳ８０６；ＹＥＳ）、ステップＳ８０７に進む。ロッカー返却が完了していない場合には（ステップＳ８０６；ＮＯ）、ステップＳ８０６に戻る。つまり、ロッカー返却が完了する迄、ステップＳ８０６の処理を繰り返し実行する。
【０４２４】
ステップＳ８０７：ロッカー返却が完了した旨の返却完了情報を記憶部に記憶する。ステップＳ８０７において記憶する返却完了情報は、例えば、顧客ＩＤ、返却口番号、タグ番号、日時情報等の一部又は全部を含むものであってもよい。なお、返却ロッカーは、返却完了情報を記憶部に記憶することに代えて加えて返却完了情報を管理装置１０に送信し、管理装置１０は、返却完了情報に基づいて各種ファイルの更新等を実行してもよい。更に、管理装置１０は、伝票詳細画面（図２７等）等の各種画面を更新（進行区分を「９（引渡し完了）」に更新等）し、利用者端末５０等に更新後の画面を表示させるようにしてもよい。
ステップＳ８０８：ロッカー返却の完了を報知する。具体的には、図３９（Ｄ）に示した完了画面を表示する。そして、図４２及び図４３のフローチャートは終了する。
【０４２５】
ステップＳ８１０：店員による所定操作があったか否か（例えば、店員用バーコードの読み取りがあったか否か等）を判断する。所定操作があった場合には（ステップＳ８１０；ＹＥＳ）、ステップＳ８２０に進む。所定操作がなかった場合には（ステップＳ８１０；ＮＯ）、ステップＳ８０２に戻る。
【０４２６】
ステップＳ８２０：各種ボタン（返却物収納ボタン、返却物回収ボタン、戻るボタン等）を配置した店員用初期画面（非図示）を表示する。即ち、店員用モードに移行する。ステップＳ８２０に続いて図４３のステップＳ８２１に進む。
【０４２７】
図４３のステップＳ８２１：店員用初期画面（非図示）の戻るボタンがタッチされたか否かを判断する。戻るボタンがタッチされた場合には（ステップＳ８２１；ＹＥＳ）、ステップＳ８００に戻る。なお、戻るボタンがタッチされた場合に（ステップＳ８２１；ＹＥＳ）、ステップＳ８００に戻るのではなくステップＳ８０１に戻るようにしてもよい。戻るボタンがタッチされていない場合には（ステップＳ８２１；ＮＯ）、ステップＳ８２２に進む。
ステップＳ８２２：店員用初期画面（非図示）の返却物収納ボタンがタッチされたか否かを判断する。返却物収納ボタンがタッチされた場合には（ステップＳ８２２；ＹＥＳ）、ステップＳ８３０に進む。返却物収納ボタンがタッチされていない場合には（ステップＳ８２２；ＮＯ）、ステップＳ８２３に進む。
ステップＳ８２３：店員用初期画面（非図示）の返却物回収ボタンがタッチされたか否かを判断する。返却物回収ボタンがタッチされた場合には（ステップＳ８２３；ＹＥＳ）、ステップＳ８４０に進む。返却物回収ボタンがタッチされていない場合には（ステップＳ８２３；ＮＯ）、ステップＳ８２１に戻る。
【０４２８】
ステップＳ８３０：店員に、工場控えに印刷されているＱＲコードの読み取りを要求する。具体的には、図４０（Ａ）に示した収納初期画面を表示し、ＱＲコードの読み取りを指示する。
ステップＳ８３１：収納初期画面（図４０（Ａ））の戻るボタンがタッチされたか否かを判断する。戻るボタンがタッチされた場合には（ステップＳ８３１；ＹＥＳ）、ステップＳ８２１に戻る。なお、戻るボタンがタッチされた場合に（ステップＳ８３１；ＹＥＳ）、ステップＳ８２１に戻るのではなくステップＳ８００（又はステップＳ８０１）に戻るようにしてもよい。戻るボタンがタッチされていない場合には（ステップＳ８３１；ＮＯ）、ステップＳ８３２に進む。
【０４２９】
ステップＳ８３２：工場控えに印刷されているＱＲコードの読み取りがあったか否かを判断する。ＱＲコードの読み取りがあった場合には（ステップＳ８３２；ＹＥＳ）、ステップＳ８３３に進む。ＱＲコードの読み取りがなかった場合には（ステップＳ８３２；ＮＯ）、ステップＳ８３１に戻る。
【０４３０】
ステップＳ８３３：読み取ったＱＲコード（返却口数）等に基づいて、図２９〜図３２に示したような方法により、返却口を決定する。
ステップＳ８３４：決定した返却口を報知する。具体的には、図４０（Ｂ）に示した収納指示画面を表示し、決定した返却口の返却口番号を報知する。
ステップＳ８３５：決定した返却口の返却口扉を解錠し、発光部を点滅させる。なお、発光部は、例えば、返却口扉の開閉後（施錠後）に消灯させるようにしてもよい。
【０４３１】
ステップＳ８３６：返却物（預り商品）の収納が完了したか否かを判断する。収納が完了した場合には（ステップＳ８３６；ＹＥＳ）、ステップＳ８３７に進む。収納が完了していない場合には（ステップＳ８３６；ＮＯ）、ステップＳ８３６に戻る。つまり、収納が完了する迄、ステップＳ８３６の処理を繰り返し実行する。
【０４３２】
ステップＳ８３７：返却物の収納が完了した旨の収納完了情報を記憶部に記憶する。そして、ステップＳ８３０に戻る。ステップＳ８３７において記憶する収納完了情報は、例えば、顧客ＩＤ、返却口番号、タグ番号、日時情報等の一部又は全部を含むものであってもよい。なお、返却ロッカーは、収納完了情報を記憶部に記憶することに代えて加えて収納完了情報を管理装置１０に送信し、管理装置１０は、収納完了情報に基づいて各種ファイルの更新等を実行してもよい。更に、管理装置１０は、伝票詳細画面（図２７等）等の各種画面を更新（進行区分を「４（引渡し可能）」に更新等）し、利用者端末５０等に更新後の画面を表示させるようにしてもよい。なお、進行区分として、通常の「４（引渡し可能）」とは別に、ロッカー返却の収納が完了した旨の「４Ａ（収納完了）」を設け、進行区分を「４Ａ（収納完了）」に更新してもよい。
【０４３３】
なお、店員は、個々の工場控えに印刷されているＱＲコードを順次読み取らせることにより、工場控え毎に順次、返却ロッカーに収納に係る処理（ステップＳ８３２〜Ｓ８３７）を実行させる。店員は、全部の工場控えについて上記処理を実行させた後に、戻るボタンをタッチし（ステップＳ８３１；ＹＥＳ）、収納に係る処理を終了させる。
【０４３４】
ステップＳ８４０：店員に、回収を開始させる操作を要求する。具体的には、図４１（Ａ）に示した回収初期画面を表示し、回収を開始させるためのＯＫボタンのタッチを要求する。
ステップＳ８４１：回収初期画面（図４１（Ａ））の戻るボタンがタッチされたか否かを判断する。戻るボタンがタッチされた場合には（ステップＳ８４１；ＹＥＳ）、ステップＳ８２１に戻る。なお、戻るボタンがタッチされた場合に（ステップＳ８４１；ＹＥＳ）、ステップＳ８２１に戻るのではなくステップＳ８００（又はステップＳ８０１）に戻るようにしてもよい。戻るボタンがタッチされていない場合には（ステップＳ８４１；ＮＯ）、ステップＳ８４２に進む。
【０４３５】
ステップＳ８４２：回収初期画面（図４１（Ａ））のＯＫボタンがタッチされたか否かを判断する。ＯＫボタンがタッチされた場合には（ステップＳ８４２；ＹＥＳ）、ステップＳ８４４に進む。戻るボタンがタッチされていない場合には（ステップＳ８４２；ＮＯ）、ステップＳ８４１に戻る。
【０４３６】
ステップＳ８４４：全部の返却口を報知する。具体的には、図４１（Ｂ）に示した回収指示画面を表示し、全部の返却口の返却口番号を報知する。
ステップＳ８４５：全部の返却口の返却口扉を解錠し、発光部を点滅させる。なお、発光部は、例えば、返却口扉の開閉後（施錠後）に消灯させるようにしてもよい。
ステップＳ８４７：返却物の回収が完了した旨の回収完了情報を記憶部に記憶する。ステップＳ８４７において記憶する回収完了情報は、例えば、顧客ＩＤ、返却口番号、タグ番号、日時情報等の一部又は全部を含むものであってもよい。そして、ステップＳ８２１に戻る。なお、ステップＳ８４７の終了後に、ステップＳ８２１に戻るのではなくステップＳ８００（又はステップＳ８０１）に戻るようにしてもよい。
【０４３７】
なお、返却ロッカーは、回収完了情報を記憶部に記憶することに代えて加えて回収完了情報を管理装置１０に送信し、管理装置１０は、回収完了情報に基づいて各種ファイルの更新等を実行してもよい。なお、例えば、進行区分として、通常の「４（引渡し可能）」とは別に、ロッカー返却による商品の返却が完了せずに収納した商品を回収した旨の「４Ｂ（回収により通常の引渡し可能）」を設け、進行区分を「４Ｂ（回収により通常の引渡し可能）」に更新してもよい。
【０４３８】
なお、図４２及び４３のフローチャートでは、利用者が行う当該利用者への返却（ステップＳ８０２（ＹＥＳ）以降の処理）→店員が行う収納（ステップＳ８２２（ＹＥＳ）以降の処理）→店員が行う回収（ステップＳ８２３（ＹＥＳ）以降の処理）の順に説明したが、ある利用者Ａのある預り商品Ｂに着目した場合、処理の順番は、店員が行う商品Ｂの収納→利用者Ａが行う利用者Ａへの商品Ｂの返却→店員が行う商品Ｂの回収（但し、商品Ｂが利用者Ａに返却されている場合には商品Ｂは回収されない）となる。また、店員Ｃ等の一日の動きに着目した場合、処理の順番は、店員Ｃが行う前回収納分の商品の回収→店員Ｃが行う今回収納分の商品の収納→利用者が行う利用者への今回収納分の商品の返却となる。
【０４３９】
以上、本発明の実施形態等について説明したが、機器の構成、データの構成、処理の流れ、表示及び出力の態様などは、適宜、変更及び修正が可能である。
【０４４０】
例えば、ＰＯＳ端末２０に表示部２５に加えて、利用者側に向けられた利用者用の表示部（表示部２５と同様タッチディスプレイ）を設け、利用者用の表示部にロッカー返却予定日カレンダー画面（図２４等）を表示するなどして、来店した利用者が、ＰＯＳ端末２０においてロッカー返却に係る操作（返却日の予約操作等）を実行できるようにしてもよい。
【０４４１】
例えば、図３３〜図３５に示したフローチャートは、商品を預けた店舗に設置された返却ロッカーを使用したロッカー返却における、ロッカー予約時の動作を示すフローチャートであったが、ロッカー返却における返却ロッカーは、商品を預けた店舗に設置された返却ロッカーに限定されない。つまり、商品を預けた店舗に設置された返却ロッカー以外の返却ロッカー（例えば、商品を預けた店舗とは異なる店舗に設置された返却ロッカー、何れの店舗にも設置されていない返却ロッカー（店舗から離れた位置に設置された返却ロッカー。店舗共通のロッカー等））を使用したロッカー返却が可能である。利用者端末５０からロッカー返却を予約する場合には、例えば、利用者端末５０は、ロッカーを指定（選択）可能な画面を表示し、当該画面上において利用者が指定（選択）したロッカーのロッカー番号を、予約用画面を要求するときに（つまり図３３のフローチャートのステップＳ６００の処理において）、管理装置１０に送信してもよい。また、ＰＯＳ端末２０からロッカー返却を予約する場合についても同様である。即ち、ＰＯＳ端末２０は、ロッカーを指定（選択）可能な画面を表示し、当該画面上において店員が指定（選択）したロッカーのロッカー番号を、予約用画面を要求するときに（つまり図３４のフローチャートのステップＳ６３０の処理において）、管理装置１０に送信してもよい。
【０４４２】
また、上記実施形態では、ロッカー返却において返却口の空数に余裕がある場合には、返却口を決定する装置（例えば、管理装置１０、ＰＯＳ端末２０、返却ロッカー等）が返却口を決定（選択）する態様について説明したが、上記場合に利用者が返却口を決定してもよい。例えば、利用者が空状態の返却口を認識できる情報（例えば、図３１（Ａ）に示したような返却ロッカーを模式化した画像であって利用者が夫々の返却口の空状況等を視認できる画像）とともに空状態の返却口を指定可能な画面を利用者端末５０が表示し、空状態の返却口のなかから使用する返却口を利用者に決定させるようにしてもよい。なお、返却口の決定後には、利用者端末５０は、決定結果を管理装置１０に送信し、管理装置１０は、各種ファイルの更新等を実行してもよい。
【０４４３】
なお、上記態様は、返却口の決定を個々の利用者に完全に任せる態様であるが、個々の利用者の希望を考慮し（返却口を決定する際の条件とし）、返却口を決定する装置（例えば、管理装置１０、ＰＯＳ端末２０、返却ロッカー等）が返却口を決定してもよい。一例として、返却口を決定する装置は、隣接した返却口を希望している利用者に対しては当該利用者の希望（即ち隣接空）を考慮して返却口を決定（図２８〜図３３に示したような方法により決定）し、隣接した返却口を希望していない利用者に対しては隣接空を考慮せずに返却口を決定（単に、夫々の返却口の過去の使用状況に基づいて返却口を決定）してもよい。なお、隣接した返却口を希望するか否かは、会員登録時に利用者に確認（確認した結果を、例えば、顧客マスタファイルに記憶）してもよいし、ロッカー予約時に利用者に入力（例えば、図３３のＳ６０５において表示する予約用画面に、隣接した返却口を希望する旨のチェックボックスを設ける等）させてもよい。
【０４４４】
なお、上記実施形態では、返却口の決定に際し、隣接空や過去の使用状況を考慮する例を説明したが、隣接空や過去の使用状況に代えて又は加えて、設置面からの高さを考慮して返却口を決定してもよい。例えば、返却口を決定する装置（例えば、管理装置１０、ＰＯＳ端末２０、返却ロッカー等）は、隣接空及び過去の使用状況による判断では未だ候補が複数存在するような場合（図２９のＳ５０３においてランダムに１個を決定するような場合）に、上段（例えば、図１８（Ｂ）における返却口番号「Ｈ１１」、「Ｈ２１」、…、「Ｈ６１」の返却口）の返却口を優先的に決定してもよい。また例えば、上段の返却口を希望するかや下段の返却口（例えば図１８（Ｂ）における返却口番号「Ｈ１２」、「Ｈ２２」、…、「Ｈ６２」の返却口）を希望するかを、上述の如く、会員登録時に確認したり、ロッカー予約時に利用者に入力させたりすることにより、希望に応じて、返却口を決定してもよい。
【０４４５】
なお、上記実施形態では、夫々の預り商品にタグを付けているが、預り商品に付けるタグは利用者によって購入されるものであってもよい。つまり、利用者は、預ける商品に付けるタグを購入してもよい。より詳細には、利用者は、預ける商品のクリーニング料金の一部又は全部としてタグを購入してもよい。種類毎に販売価格が異なる複数種類のタグ（販売価格が異なる複数種類のタグ）を販売してもよい。具体的には、販売価格が容易に視認できるように、種類毎（販売価格毎）に、タグ全体又はタグの一部を異なる色や異なる模様にしてもよい。一例として、水色無地のタグを３００円（シャツ類（ドライ）用タグ）、水色に赤線のタグを５００円（シャツ類（ドライ＋汗抜き等）用タグ）で販売してもよい。なお、タグの販売場所は、クリーニング店舗に限定されず、スーパーマーケット、コンビニエンスストア、専門店（衣服店、薬局店等）、駅構内（又は駅近傍）の商店、マンション等の屋内外等であってもよい。
【０４４６】
また、上述した何れかの場所に自動販売機を設置し、自動販売機によりタグを販売してもよい。なお、上述した場所以外であってもロッカーの設置場所や、集荷預りにおける集積場所に自動販売機を設置してもよい。また、タグを販売する自動販売機に通信機能を持たせるようにして、買上情報（買上日時、買上場所（設置場所）、買上数量等）が管理装置１０に送信されるようにしてもよい。また、タグを販売する自動販売機において会員カードを認識可能とし、タグを購入した会員の顧客コードが管理装置１０に送信されるようにしてもよい。また、タグの購入に対してポイントを付与するようにしてもよい。
【０４４７】
なお、上記実施形態では、一取引内の夫々の預り商品（ある伝票に属する夫々の預り商品）のタグ番号が連番となっているが（図６参照）、個々の預り商品が、どの取引（伝票）のものであればよいか特定できればよく、一取引内の夫々の預り商品のタグ番号が連番となっていなくてもよい。従って、タグの販売時に、販売するタグのタグ番号を意識しなくてもよい（例えば、ある利用者に複数のタグを販売する際にタグ番号が連番であるか等の確認は不要である）。もっとも、種類の異なるタグを販売する際には連番にて販売するのも困難である。また、タグの消費時（使用時）にも、預ける商品に付けるタグのタグ番号を意識しなくてもよい（例えば、複数の商品を預ける際に夫々の商品に付けるタグのタグ番号が連番であるか等の確認は不要である）。なお、上記実施形態では、各種画面（図１１、図１２等）や各種ファイル（図２０等）等においてタグ番号に代えて預り商品番号を使用することが可能である。タグを販売しない場合、即ち、店舗の店員がタグを付ける場合も同様である。
【０４４８】
タグを販売する場合の運用として、商品預り時には精算を行わないため料金の回収が遅れる態様（具体的には袋詰預りの場合）において、回収を早めるために、タグを販売してもよい。例えば、スピード預り（預り区分「２」）、ロッカー預り（預り区分「４」）において、袋に入れて預ける商品にタグを付けるように依頼してもよい。なお、利用者端末５０は、クリーニング料金の一覧画面を表示（例えば、管理装置１０又はＰＯＳ端末２０から一覧画面を受信して表示等）してもよい。また、利用者端末５０は、タグの販売場所（最寄りの販売場所等）を表示（例えば、管理装置１０又はＰＯＳ端末２０に販売場所の検索機能を備え、利用者端末５０は当該検索機能を利用して販売場所を表示等）してもよい。
【０４４９】
なお、利用者によって商品に付されたタグの価格が、必要な金額（検品後の料金）に達していない場合には、管理装置１０（又はＰＯＳ端末２０）は、当該利用者の利用者端末５０に対し、金額が足りない旨を通知するとともに、決済方法（クレジットカード決済、プリペイド決済、クーポン決済、ポイント決済）を選択させる画面を表示させるなどして、利用者端末５０において不足分を精算できるようにしてもよい。一方、利用者によって商品に付されたタグの価格が、必要な金額（検品後の料金）を超えている場合には、管理装置（又はＰＯＳ端末２０）は、当該利用者の利用者端末５０に対し、超過分を額面とするクーポン券や、超過分を店舗来店時に換金できる電子引換券（例えば、受取金額、受取金額を示したバーコードを表示した引換画面等）など送信してもよい。また、管理装置（又はＰＯＳ端末２０）は、超過分をプリペイド決済における入金として計上（反映）するとともに、当該利用者の利用者端末５０に対し、超過分をプリペイド決済における入金として計上した旨を通知してもよい。
【０４５０】
また、タグの販売促進のため、タグの購入に対するポイントの付与を優遇してもよい。例えば、店舗における現金精算の場合には２００円毎に１ポイントを付与するような場合に、タグの購入の場合には３００円毎に２ポイントを付与してもよい。また、タグの購入時にポイントを付与することに代えて又は加えてタグの使用時にポイントを付与してもよい。また、購入したタグに有効期限を設定する一方、有効期限内の使用した場合には、より多くのポイントを付与するようにしてもよい。
【０４５１】
また、上記実施形態では、受付専用ロッカー１００は制御部を備え、当該制御部が表示部１０４における表示や投入口扉の施錠等を制御すると説明したが、他の装置（例えば、管理装置１０、ＰＯＳ端末２０）が、表示部１０４における表示や投入口扉の施錠等の一部（又は全部）の制御を行うようにしてもよい。共通ロッカー２００についても同様である。例えば、共通ロッカー２００は、認証に必要な情報（例えば、コード認識部２０６によって認識された情報）を管理装置１０（又はＰＯＳ端末２０）に送信し、管理装置１０（又はＰＯＳ端末２０）は、共通ロッカー２００から受信した情報に基づいて認証を行い、認証結果を共通ロッカー２００に送信し、共通ロッカー２００は、管理装置１０（又はＰＯＳ端末２０）から受信した認証結果に基づいて返却口扉を解錠してもよい。
【０４５２】
また、上記実施形態では、収納庫の一例として、図１８に示すようなロッカーを説明したが、収納庫は、ロッカータイプに限定されず、棚タイプ（例えば、衣類の陳列棚の如く扉を有しない形状のもの）であってもよい。棚タイプの収納庫を、例えば、店舗内に設置した場合、利用者は営業時間内に入店し、棚に返却されている自身の商品をセルフで引き取ることができる。これにより、店内が混雑している場合などにおいて、利用者にとっては、商品を受け取るために順番を待つ必要がなくなるため、また、店員にとっては、予め棚に商品を置いておけば、来店時に商品を引渡すために対応する必要がなくなるため、ロッカータイプの場合と同じように、利用者にとっても店員にとっても便利である。なお、商品が勝手に持ち去られないようにしてもよい。例えば、利用者１人分の商品を箱等に入れ棚に載せるようにした場合、棚自体に、又は、棚と箱等との間に、又は、箱等自体に、ロック機構を設けるようにして、ロックを解除しなければ、商品を箱等から取り出して持ち去ることができないようにしてもよい。
【０４５３】
また、収納庫として、ロッカーや棚以外の形状としては、カラーボックスのようなタイプのものであってもよいし、ハンガーをぶら下げるハンガーラックのようなタイプのものであってもよい。なお、上記のタイプの収納庫においても商品が勝手に持ち去られないようにしてもよい。例えば、ハンガーラックのようなタイプの場合、ハンガーをぶら下げる部分にロック機能を設けるようにして、ロックを解除しなければ、ラックからハンガーを外すことができないようにしてもよい。
【０４５４】
なお、上記のロック機能は、例えば、店員の操作、又は、会員の操作に応じて、解除されるようにしてもよい。例えば、棚タイプの収納庫（他のタイプの収納庫も同様）において会員カードを認識可能とし、会員カードが読み取られることにより、該当部分（当該利用者の商品を収納した部分）のロックが解除されるようにしてもよい。また、棚タイプの収納庫（他のタイプの収納庫も同様）に通信機能を持たせ、ＰＯＳ端末２０（又は店舗携帯端末３０）の画面上において、店員がロック解除の操作（解除の対象を指定する操作を含むものであってもよい）を行うことにより、該当部分（店員が指定した部分。当該利用者の商品を収納した部分）のロックが解除されるようにしてもよい。
【０４５５】
また、利用者が使用するロッカー返却用の媒体（レシート）を印字、発行してもよい。例えば、ＰＯＳ端末２０は、図３７、図３８に示した伝票の他に、例えばクリーニングアプリや会員証を持っていない利用者がロッカー返却を依頼した場合に、返却ロッカーにおいて認識可能なバーコード（図３８に示した工場控えに印字するようなバーコード等）を印刷した媒体を印字、発行してもよい。上記媒体には、バーコードのほか、預けた商品の情報、精算金額情報、予約日（受取日）等が印刷されている。上記媒体は、ロッカー返却用の返却券、受取券、証明券（証明情報）であり、利用者は、ロッカーの予約時に上記媒体を店員から受け取り予約日迄保管し、予約日当日に、媒体上のバーコードを返却ロッカーに認識させることにより、商品を引き取ることができる。つまり、返却ロッカーは、バーコードを認識し、当該バーコードにコード化された情報に基づいて、当該利用者の商品を収納した返却口を解錠する。なお、上記媒体にバーコードに代えて例えば１０桁の数値等を印字し、予約日当日に、媒体上の数値等を返却ロッカーに入力することで、返却ロッカーから商品を受け取るようにしてもよい。なお、媒体の紛失した場合などを考慮し、解錠に際し、バーコードの認識（数値等の入力）に加えて、利用者毎に予め決めておいたパスワードの入力を求めるようにしてもよい。つまり、返却ロッカーは、媒体上に印字バーコードを認識（媒体上に印字された数値の入力）＋正しいパスワードの入力により、返却口を解錠するようにしてもよい。
【０４５６】
また、クリーニングシステムにおいて、商品を預ける前に見積り等を得ることができるようにしてもよい。例えば、利用者端末５０に、預ける商品の種類、処理（ドライ、しみ抜き等）、数量等を入力（選択）する入力（選択）欄を有する画面（例えば、見積り画面と称する）を表示し、利用者が見積り画面上にて入力した情報が管理装置１０に送信され、管理装置１０が、利用者端末５０から受信した情報、商品種別ファイル（図７（Ａ））、処理種別ファイル（図７（Ｃ））、サービス基本ファイル等を参照し、見積りとして、料金を算出し、利用者端末５０に送信（応答）してもよい。また、管理装置１０は、料金に加えて又は代えて、見積りとして、所要日数を算出し、利用者端末５０に送信（応答）してもよい。また、見積り画面において預け日（商品を預ける予定の日）を入力（選択）可能とし、管理装置１０は、預け日と所要日数とに基づいて、見積りとして、仕上り予定日を算出し、利用者端末５０に送信（応答）してもよい。
【０４５７】
また、利用者端末５０においてロッカー返却を選択した場合（例えば、見積り画面にロッカー返却を指定するボタンを設け、当該ボタンを押下した場合等）、管理装置１０（又はＰＯＳ端末５０）は、見積りとして、ロッカー返却可能日（例えば、図２３（Ｂ）、図２３（Ｃ）、図２３（Ｅ）、図２３（Ｆ）に示すような情報等）を算出し、利用者端末５０に送信（応答）してもよい。
【０４５８】
利用者が、管理装置１０からの応答（見積り内容）を確認し、納得した場合には、見積り時に入力した情報を、後の工程（実際の予約の処理等）に利用できるようにしてもよい。例えば、見積り内容を表示する画面（例えば、見積り画面、見積り画面とは異なる画面）に予約ボタン（又は進むボタン）などを設け、当該ボタンが押下され場合、利用者端末５０から管理装置１０に、見積り内容に納得した旨の情報が送信され、管理装置１０は、商品預りに関する予約画面の画面情報を利用者端末５０に送信してもよい。利用者端末５０は、上記予約画面において利用者によって入力された情報（預り区分等に関する情報等）を管理装置１０に送信し、管理装置１０は、見積り時に既に受信した情報（商品の種類、処理、数量、預け日等）と、今回（実際の予約時）に受信した情報（預り区分等に関する情報等）とを用いて、商品預りに関する予約処理（各種ファイルの更新等）を実行してもよい。なお、顧客コードは、見積り時、又は、実際の予約時のうちの少なくとも一方のタイミングにおいて、利用者端末５０から管理装置１０に送信されるようにすればよい。なお、上記予約画面において利用者が入力（選択）する内容は、例えば、通常店舗預り、スピード預り等の預り区分（図５等）である。以上のように、見積り時に入力した情報が後の工程にそのまま利用できるため、便利である。なお、預り予約の情報は、ＰＯＳ端末２０に配信され、店員は、ＰＯＳ端末５０において予約内容を確認し、種々の準備（実際の準備のほか、心の準備等も含む）に役立てることができる。また、商品預りに関する予約画面は、見積りを行わずに（例えば、会員証画面等から直接）、呼び出せるようにしてもよい。
【０４５９】
また、上記実施形態では、幾つかの画面（例えば、伝票詳細画面、ロッカー返却予約確認画面等）について説明したが、クリーニングシステムが記憶する各種情報に基づいて、他の画面を表示してもよい。例えば、預り商品情報ファイル（図６）の進行区分等に基づいて、店舗の店員等が、進行状況を確認するための画面（例えば、保留中の預り商品の一覧画面、引渡し可能であるが引渡しが進まない利用者の一覧画面等）を表示してもよい。
【０４６０】
また、例えば、図４３にて説明した回収完了情報等に基づいてロッカー予約に関する実績情報を表示してもよい。一例として、過去の夫々のロッカー予約日に実際に商品が受けられたか否か（またはロッカー返却による商品の返却が完了せずに収納した商品が回収されたか否か）を示す情報を、ロッカー別に表示してもよいし、月別又は曜日別に表示してもよいし、利用者別に表示してもよいし、これらを組み合わせて表示してもよい。気象情報を取得し、上記に代えて又は加えて、当該ロッカーの設置場所の天候別に表示してもよい。また、ある利用者が、ロッカーを予約する際に、ロッカー返却予定日カレンダー画面や、ロッカー返却予定日カレンダー画面上の所定ボタンの押下によって表示される画面等において、当該利用者の過去の実績（例えば、前回の〇月○日の予約は返却完了、前々回の〇月×日の予約は返却未完（回収）というような履歴情報）を表示してもよい。
【０４６１】
また、他の例として、過去の夫々のロッカー予約日に実際に商品が受けられた割合（又は、当該割合の推移）等を、上述のように分類して（ロッカー別、利用者別等により）、表示してもよい。また、実績が好ましくない利用者（例えば、上記割合が予め設定した第１の基準値よりも低い利用者）を一覧表示してもよい。実績が好ましくないロッカー等についても同様である。また、状況を改善するために、例えば、実績が好ましくない利用者が、ロッカーを予約する際に、ロッカー返却予定日カレンダー画面や、ロッカー返却予定日カレンダー画面上の所定ボタンの押下によって表示される画面等において、実績が好ましくない旨を報知してもよいし、予約日にきちんと商品を受け取らせるためのメッセージを表示してもよい。また、実績が好ましくない利用者に対し、予約日の当日や前日などに、クリーニングアプリやメール等により、上述のようなメッセージを送信してもよい。
【０４６２】
なお、実績が好ましい利用者（例えば、上記割合が予め設定した第２の基準値よりも高い利用者）を一覧表示してもよい。第２の基準値は、第１の基準値よりも大きい値であってもよい。なお、実績が好ましい利用者に対し、ポイントを付与してもよい。
【０４６３】
また、早期（返却可能日（仕上予定日）の当日、又は、返却可能日から数日内）に商品を実際に引き取った利用者に対し、高いポイントを付与し、以降は、実際に商品を引き取った日までの経過日数に応じて段階的に付与するポイントを小さくしてもよい。また、「早期」以降は、段階を設けずに、全体として、単に「早期」か否かの２段階としてもよい。なお、引き取る態様（返却区分）は、ロッカー返却（ロッカー引渡し）に限定されず、例えば、対面による返却（例えば、通常店舗引渡し等）であっても、上述の如く、早期引取りに対しては高いポイントを付与し、以降は段階的に付与するポイントを小さくしてもよい。これにより、商品の早めの引き取りが促進され、店舗内の在庫の削減に貢献する。なお、利用者端末５０やＰＯＳ端末２０において、いつ商品を引き取ると何ポイント付与されるかを確認できる情報（例えば、引取日別の付与ポイント数、〇〇日迄に商品を引き取ると××ポイントが付与される旨のメッセージ）を表示してもよい。
【０４６４】
なお、上記実施形態では、利用者への特典としてポイントが付与される種々の場面を説明したが、利用者への特典はポイントに限定されない。例えば、ポイントの付与に代えて又は加えて、特別仕様の会員カード（例えば、通常とは異なる色やデザインのカード）を付与（通常のものと交換等）してもよいし、特別仕様の会員証画面（例えば、通常とは異なる色やデザインの会員証画面）等を表示させてもよい。
【０４６５】
なお、以上に説明したクリーニングシステム１、２、管理装置１０、ＰＯＳ端末２０、店舗携帯端末３０、工場用端末４０、利用者端末５０、受付専用ロッカー１００、共通ロッカー２００の機能を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０４６６】
以下、上記の技術的思想を付記項として示す。
【０４６７】
（付記項１Ａ）
利用者から預かるクリーニング品に関する預り情報（例えば、商品種別、処理種別等）を入力する入力手段（例えば、図９のステップＳ１８等）と、
収納庫（例えば、図１、図１８等に示したロッカー等）の使用状態（例えば、図２０、図２１に示す情報。特に、返却日毎の予約状況、返却口の空数等）を管理する管理手段（例えば、管理装置１０の記憶部やＰＯＳ端末２０のハードディスク２４等）と、
前記預り情報と前記使用状態とから返却可能日（予約可能日等）を算出する算出手段（例えば、図２２のステップＳ４０６の処理等）と、
前記算出手段が算出した返却可能日を出力する出力手段（例えば、図２２のステップＳ４０７の処理等）と、
を備えることを特徴とするクリーニングシステム。
【０４６８】
付記項１Ａによれば、クリーニング品に関する預り情報と収納庫の使用状態とに基づいて好適な返却可能日が得られるため、業務効率が向上する。
【０４６９】
（付記項２Ａ）
返却可能日と返却可能日以外の日とを識別可能に表示（例えば、図２３（Ｃ）、図２３（Ｆ）では予約可否（返却可否）を「〇」「×」で表示、図２４、図２５では予約可否を背景色で表示等）する表示手段（例えば、利用者端末５０の表示部、ＰＯＳ端末２０の表示部２５、管理装置１０の表示部等）を備えることを特徴とする付記項１Ａに記載のクリーニングシステム。
【０４７０】
付記項２Ａによれば、例えば、どの日が返却可能日であるかや、注目する日が返却可能日であるかが視認できるため、業務効率が向上する。
【０４７１】
（付記項３Ａ）
収納庫は複数の返却口を備え（例えば、図１８（Ｂ）の共通ロッカー２００は１２個の返却口２１０を備え）、
前記算出手段は、少なくとも、前記預り情報に含まれる預り点数に基づいて必要返却口数を特定し（例えば、図１９（Ｃ）の必要口数定義ファイルに基づいて図２３（Ａ）の如く必要口数を特定し）、返却可能日を算出（例えば、図２３（Ｂ）（Ｃ）の如く算出）することを特徴とする付記項１Ａ又は付記項２Ａに記載のクリーニングシステム。
【０４７２】
付記項３Ａによれば、預り点数と収納庫の使用状況とに基づいて好適な返却可能日が得られるため、業務効率が向上する。
【０４７３】
（付記項４Ａ）
収納庫は複数の返却口を備え（例えば、図１８（Ｂ）の共通ロッカー２００は１２個の返却口２１０を備え）、
前記表示手段は、
使用可能な返却口数を日別に表示（例えば、図２３（Ｃ）、図２３（Ｆ）、図２４、図２５では、返却口の空数を日別に表示等）することを特徴とする付記項２Ａに記載のクリーニングシステム。
【０４７４】
付記項４によれば、例えば、注目する日における返却口の空数や、必要返却口数以上空数がある日がいつであるかを視認できるため、業務効率が向上する。
【０４７５】
（付記項５Ａ）
返却可能日を指定し、クリーニング品の返却日とする指定手段（例えば、図２４のカレンダー欄（符号Ｈ）の夫々の日にちの領域のボタン。図３３のステップ６０６、図３４のステップＳ６３６等）と、
前記指定手段が指定した返却日における使用可能な返却口数を必要返却口数に基づいて更新する更新手段（例えば、図３３のステップＳ６１２、図３４のステップＳ６４２、図３５のステップＳ７６２等）と、
を備え、
前記表示手段は、更新後の使用可能な返却口数を表示（例えば、図３３のステップＳ６１７、図３４のステップＳ６４７等の処理により、図２５の４／２０のように更新後の使用可能な返却口数を表示等）することを特徴とする付記項２Ａ又は付記項５Ａに記載のクリーニングシステム。
【０４７６】
付記項５Ａによれば、返却日を指定すれば更新後の使用可能な返却口数が表示されるため、最新の返却を確認する作業等が不要となり、業務効率が向上する。
【０４７７】
（付記項６Ａ）
必要返却口数に基づいて使用する返却口を決定する返却口決定手段（例えば、図２９、図３０の処理、図３３のステップＳ６１１、図３４のステップＳ６４１、図３５のステップＳ７６１等）を備え、
前記返却口決定手段は、必要返却口数が２以上であるときは、隣接する返却口を決定（例えば、図２９や図３０に示すように、隣接する返却口が空いていれば、隣接する返却口を決定等）することを特徴とする付記項３Ａ乃至付記項７Ａの何れかに記載のクリーニングシステム。
【０４７８】
付記項６Ａによれば、利用者の利便性も向上させることができる。
【０４７９】
（付記項７Ａ）
前記返却口決定手段による返却口の決定結果を記憶（例えば、図３３のステップＳ６１２、図３４のステップＳ６４２、図３５のステップＳ７６２の処理により、図２０、図２１の如く記憶）する記憶手段を備え、
前記返却口決定手段は、過去の決定結果に基づいて返却口を決定（例えば、図２９〜図３２のように決定等）することを特徴とする付記項８Ａに記載のクリーニングシステム。
【０４８０】
付記項７Ａによれば、夫々の返却口を万遍なく利用することができる。
【０４８１】
（付記項８Ａ）
利用者識別情報又は前記預り情報を読み取る読取手段（例えば、図４３のステップＳ８３２にて判断されるＱＲコードの読み取り等）と、
前記読取手段が読み取った情報に基づいて、当該利用者又は前記預り情報に基づくクリーニング品を収納する返却口を報知する報知手段（例えば、図４３のステップＳ８３４の報知等）と
を備えることを特徴とする付記項１乃至付記項７の何れかに記載のクリーニングシステム。
【０４８２】
付記項８Ａによれば、読取手段による読み取りによって簡便に返却口を確認することができるため、業務効率が向上する。
【０４８３】
（付記項９Ａ）
付記１Ａ乃至付記８Ａの何れかに記載のクリーニングシステムを構成する装置であって、少なくとも前記出力手段を備えることを特徴とする販売データ処理装置（例えば、図１等に示したＰＯＳ端末２０等）。
【０４８４】
（付記項１０Ａ）
付記１Ａ乃至付記８Ａの何れかに記載のクリーニングシステムにおいて用いられる収納庫（例えば、図１、図１８等に示したロッカー等）。
例えば、クリーニングシステムにおいて用いられる収納庫であって、前記利用者又は前記預り情報に基づいて決定された返却口を表示する第２表示手段を備える。
【０４８５】
（付記項１１Ａ）
クリーニングシステムにおける装置のコンピュータを、利用者から預かるクリーニング品に関する預り情報を入力する入力手段と、収納庫の使用状態を管理する管理手段と、前記預り情報と前記使用状態とから返却可能日を算出する算出手段と、前記算出手段が算出した返却可能日を出力する出力手段として機能させるプログラム。
【０４８６】
付記項９Ａによれば、付記項１Ａと同様の効果を得ることができる。
【０４８７】
（付記項１Ｂ）
事業者が客（利用者）からクリーニング品を預かるとともに、預かっているクリーニング品を前記事業者が前記客へ引き渡す業務において、預かっているクリーニング品の情報を管理するクリーニング品管理システムであって、
前記客が所持する利用者携帯端末（例えば、利用者端末５０等）と、
前記事業者が前記業務を行う店舗に備えられる事業者端末（例えば、ＰＯＳ端末２０、、店舗携帯端末３０等）とを備え、
前記利用者携帯端末は、
店舗の会員を識別する会員情報、または前記事業者が預かっているクリーニング品を示す電子預り票（例えば、図１２、図１４、図２７の伝票詳細画面等）を出力する出力手段を備え、
前記事業者端末（例えば、ＰＯＳ端末２０等）は、
前記出力手段によって出力された会員情報または電子預り票に基づいて（例えば、図１３に示すように利用者端末５０において伝票表示画面が表示された後に）、預かっているクリーニング品を特定（例えば、図１３のステップＳ３５参照）する特定手段を備える
クリーニング品管理システム。
【０４８８】
（付記項２Ｂ）
前記事業者端末（例えば、ＰＯＳ端末２０、店舗携帯端末３０等）は、前記会員情報または前記電子預り票に基づいて、預かっているクリーニング品に関する情報を出力（例えば、図１３のステップＳ３６、図１４のステップＳ３３６、ステップＳ３３８等）する付記項１Ｂに記載のクリーニング品管理システム。
【０４８９】
（付記項３Ｂ）
前記出力手段は、前記会員情報または前記電子預り票をバーコードの態様で表示する付記項１Ｂ又は付記項２Ｂに記載のクリーニング品管理システム。
例えば、図１３のステップＳ３２、Ｓ３３に示すように、伝票詳細画面（図１２等）において引渡しを希望する預り商品が選択された場合に、利用者端末５０は、当該商品を示すバーコード（例えば、当該利用者の顧客ＩＤと、当該商品のタグ番号とをコード化したバーコード）を生成し、当該伝票詳細画面に重畳して表示させてもよい。なお、利用者端末５０は、バーコードとともに、例えば「店舗スタッフにお見せ下さい」というような利用者向けのメッセージを当該伝票詳細画面に重畳して表示させてもよい。
【０４９０】
（付記項４Ｂ）
前記出力手段は、前記会員情報または前記電子預り票と、客による事業者の利用状況を確認するための操作が行われる操作領域とを同じ画面において表示する付記項１Ｂ乃至付記項３Ｂのいずれかに記載のクリーニング品管理システム。
例えば、図１０に示した会員証画面では、バーコードＧ１１や預り票アイコンＧ１２などが表示されている。
【０４９１】
（付記項５Ｂ）
前記出力手段は、前記事業者端末から送信された、事業者が預かっているクリーニング品のイメージと、当該イメージに付加されたコメントとをさらに出力する付記項１Ｂ乃至付記項４Ｂのいずれかに記載のクリーニング品管理システム。
例えば、図８の画像（イメージの一例）には、シミがある旨や、ボタンが外れている旨のコメント（文言）が出力されている。
【０４９２】
（付記項６Ｂ）
事業者が客からクリーニング品を預かるとともに、預かっているクリーニング品を前記事業者が前記客へ引き渡す業務において、預かっているクリーニング品の情報を管理するクリーニング品管理システムおいて、前記客が所持する利用者携帯端末として第１コンピュータを機能させ、前記事業者が前記業務を行う店舗に備えられる事業者端末として第２コンピュータを機能させるためのプログラムであって、
前記第１コンピュータを
店舗の会員を識別する会員情報、または前記事業者が預かっているクリーニング品を示す電子預り票を出力する出力手段として機能させ、
前記第２コンピュータを
前記出力手段によって出力された会員情報または電子預り票に基づいて、預かっているクリーニング品を特定する特定手段
として機能させるためのプログラム。
【０４９３】
（付記項７Ｂ）
事業者が客からクリーニング品を預かるとともに、預かっているクリーニング品を前記事業者が前記客へ引き渡す業務において、預かっているクリーニング品の情報を管理し、前記客が所持する利用者携帯端末と、前記事業者が前記業務を行う店舗に備えられる事業者端末と備えるクリーニング品管理システムにおける利用者携帯端末としてのコンピュータを、
店舗の会員を識別する会員情報、または前記事業者が預かっているクリーニング品を示す電子預り票であって、事業者端末が預かっているクリーニング品を特定する際に用いる会員情報または電子預り票を出力する出力手段
として機能させるためのプログラム。
【符号の説明】
【０４９４】
１、２…クリーニングシステム
１０…管理装置
２０…ＰＯＳ端末
３０…店舗携帯端末
４０…工場用端末
５０…利用者端末
９０…ネットワーク
１００…受付専用ロッカー
１０１、２０１…投入口
１０２、２０２…回収部
１０３、２０３…カード挿入排出口
１０４、２０４…表示部
１０５、２０５…入力操作部
１０６、２０６…コード認識部
１０７、２０７…発行口
２００…共通ロッカー
２１０…返却口
２１１…発光部
３００…返却専用ロッカー
３１０…返却口
３１１…発光部
【図１】
2020074132.tif 000003
【図２】
2020074132.tif 000004
【図３】
2020074132.tif 000005
【図４】
2020074132.tif 000006
【図５】
2020074132.tif 000007
【図６】
2020074132.tif 000008
【図７】
2020074132.tif 000009
【図８】
2020074132.tif 000010
【図９】
2020074132.tif 000011
【図１０】
2020074132.tif 000012
【図１１】
2020074132.tif 000013
【図１２】
2020074132.tif 000014
【図１３】
2020074132.tif 000015
【図１４】
2020074132.tif 000016
【図１５】
2020074132.tif 000017
【図１６】
2020074132.tif 000018
【図１７】
2020074132.tif 000019
【図１８】
2020074132.tif 000020
【図１９】
2020074132.tif 000021
【図２０】
2020074132.tif 000022
【図２１】
2020074132.tif 000023
【図２２】
2020074132.tif 000024
【図２３】
2020074132.tif 000025
【図２４】
2020074132.tif 000026
【図２５】
2020074132.tif 000027
【図２６】
2020074132.tif 000028
【図２７】
2020074132.tif 000029
【図２８】
2020074132.tif 000030
【図２９】
2020074132.tif 000031
【図３０】
2020074132.tif 000032
【図３１】
2020074132.tif 000033
【図３２】
2020074132.tif 000034
【図３３】
2020074132.tif 000035
【図３４】
2020074132.tif 000036
【図３５】
2020074132.tif 000037
【図３６】
2020074132.tif 000038
【図３７】
2020074132.tif 000039
【図３８】
2020074132.tif 000040
【図３９】
2020074132.tif 000041
【図４０】
2020074132.tif 000042
【図４１】
2020074132.tif 000043
【図４２】
2020074132.tif 000044
【図４３】
2020074132.tif 000045